(57)【要約】      （修正有）【課題】グループベースの通信システムにおいて地理的に分散されたデータ格納を管理するためのシステム、装置、方法及びコンピュータプログラム製品を提供する。【解決手段】第１の地理的境界によって規定される第１の地理的領域に物理的に位置する装置による方法であって、メッセージに関連付けられたエンティティ識別子が地理的データ格納ポリシーに関連付けられていると判断すると、装置は、メッセージのメッセージデータを含む地理的データ常駐メッセージパッケージを、第２の地理的境界によって規定された第２の地理的領域に物理的に位置する地理的データ常駐サーバに送信する。第２の地理的領域は、地理的データ格納ポリシーに関連付けられており、装置は、地理的データ常駐サーバから受信された常駐トークンデータでメッセージのメッセージデータを更新する。【選択図】図４Ｂ
2020126600.tif 000002
【特許請求の範囲】
【請求項１】
グループベースの通信システムにおいて地理的に分散したデータ格納を管理するための、コンピュータに実装された方法であって、
前記コンピュータに実装された方法は、
第１の地理的境界によって規定された第１の地理的領域に物理的に位置する装置から、少なくともメッセージデータを含むメッセージを受信し、
前記メッセージに関連付けられたエンティティ識別子が地理的データ格納ポリシーに関連付けられていると判定すると、前記メッセージのメッセージデータを含む地理的データ常駐メッセージパッケージを、第２の地理的境界によって規定された第２の地理的領域に物理的に位置する地理的データ常駐サーバに送信し、ここで、該第２の地理的領域は、前記地理的データ格納ポリシーに関連付けられており、
前記地理的データ常駐サーバから、前記メッセージデータに関連付けられた常駐トークンデータを受信し、
前記地理的データ常駐サーバから受信した常駐トークンデータで前記メッセージの前記メッセージデータを更新し、
前記更新されたメッセージを、前記第１の地理的境界によって規定された前記第１の地理的領域に物理的に位置する地理的データ常駐ローカルリポジトリに、格納する、
ことを特徴とする、コンピュータに実装された方法。
【請求項２】
請求項１に記載のコンピュータに実装された方法において、
前記地理的データ常駐メッセージパッケージは、前記メッセージデータのサブセットを含み、
前記メッセージデータの前記サブセットは、前記更新されたメッセージにおける前記常駐トークンデータで置き換えられる、
ことを特徴とするコンピュータに実装された方法。
【請求項３】
請求項１に記載のコンピュータに実装された方法において、
前記メッセージは、メッセージ識別子を更に含み、
前記コンピュータに実装された方法は、更に、
第２のクライアントデバイスから、前記メッセージ識別子を含むメッセージ取得リクエストを受信することと、
ローカルリポジトリから、前記更新されたメッセージを取得することと、
前記更新されたメッセージが常駐トークンデータを含むと判定すると、前記常駐トークンデータを含む地理的データ常駐データ取得リクエストを前記常駐トークンデータに関連付けられた地理的データ常駐サーバに送信することと、
前記地理的データ常駐サーバから、前記常駐トークンデータに関連付けられた地理的データ常駐ローカルリポジトリアドレスにおける前記地理的データ常駐ローカルリポジトリに格納された前記メッセージデータを受信することと、
前記メッセージデータをクライアントデバイスに送信することと
を含む、ことを特徴とするコンピュータに実装された方法。
【請求項４】
請求項１に記載のコンピュータに実装された方法において、
前記メッセージが受信者識別子及び作成者識別子に更に関連付けられており、
前記受信者識別子が、前記作成者識別子に関連付けられた第２の地理的データ格納ポリシーとは異なる第１の地理的データ格納ポリシーに関連付けられている、
ことを特徴とするコンピュータに実装された方法。
【請求項５】
請求項１に記載のコンピュータに実装された方法において、
前記メッセージは、メッセージメタデータを更に含み、
前記地理的データ常駐メッセージパッケージは、前記メッセージメタデータのサブセットを更に含み、
前記メッセージメタデータの前記サブセットはまた、前記更新されたメッセージにおけるデータ常駐データで置き換えられる、
ことを特徴とするコンピュータに実装された方法。
【請求項６】
請求項１に記載のコンピュータに実装された方法において、
前記常駐トークンデータは、メッセージ識別子、格納場所識別子、又はメッセージ暗号化キーのうちの１つ以上を含む、
ことを特徴とするコンピュータに実装された方法。
【請求項７】
請求項１に記載のコンピュータに実装された方法において、
メッセージ暗号化キーが、グループベースの通信サーバによって管理された、中央管理のメッセージ暗号化キーと組み合わせて復号に使用される、
ことを特徴とするコンピュータに実装された方法。
【請求項８】
請求項１に記載のコンピュータに実装された方法において、
前記コンピュータに実装された方法は、更に、
前記第２の地理的領域に物理的に位置する前記地理的データ常駐サーバがアクセス不可であることを判定すると、
前記メッセージの前記メッセージデータを含む前記地理的データ常駐メッセージパッケージを、バックアップ地理的境界によって規定されたバックアップ地理的領域に物理的に位置するバックアップ地理的データ常駐サーバに送信し、前記バックアップ地理的領域は前記地理的データ格納ポリシーに関連付けられており、
前記バックアップ地理的データ常駐サーバから受信したバックアップ常駐トークンデータで、前記メッセージの前記メッセージデータを更新し、
前記更新されたメッセージデータを、前記第１の地理的境界によって規定された前記第１の地理的領域に物理的に位置する前記地理的データ常駐ローカルリポジトリに格納する、
ことを特徴とするコンピュータに実装された方法。
【請求項９】
請求項８に記載のコンピュータに実装された方法において、
前記コンピュータに実装された方法は、更に、
前記第２の地理的領域に物理的に位置する前記地理的データ常駐サーバがアクセス可能になったことを判定し、
前記バックアップ地理的領域に物理的に位置する前記バックアップ地理的データ常駐サーバから前記地理的データ常駐メッセージパッケージを識別し、
前記地理的データ常駐メッセージパッケージを前記第２の地理的領域に物理的に位置する前記地理的データ常駐サーバへ送信するのは、前記第２の地理的領域に位置する前記地理的データ常駐サーバがアクセス可能になったとの判定に応答して行う、
ことを特徴とするコンピュータに実装された方法。
【請求項１０】
グループベースの通信システムにおける地理的に分散したデータ格納を管理するためのコンピュータプログラム製品であって、
前記コンピュータプログラム製品は、コンピュータ実行可能プログラムコード命令が格納された少なくとも１つの非一時的コンピュータ可読記憶媒体を備え、
プロセッサで実行される前記コンピュータ実行可能プログラムコード命令は、請求項１〜９のいずれか１項に記載のコンピュータに実装された方法を実行するように構成された、
ことを特徴とするコンピュータプログラム製品。
【請求項１１】
グループベースの通信システムにおいて地理的に分散したデータ格納を管理するための装置であって、
前記装置は、第１の地理的境界によって規定された第１の地理的領域に物理的に位置し、少なくとも１つのプロセッサ及びコンピュータプログラムコードを含む少なくとも１つの非一時的メモリを備え、
前記少なくとも１つの非一時的メモリ及び前記コンピュータプログラムコードは、前記少なくとも１つのプロセッサにより、装置に、請求項１〜９のいずれか１項に記載のコンピュータに実装された方法を実行させるように構成された、
ことを特徴とする装置。
【発明の詳細な説明】
【技術分野】
【０００１】
関連出願の相互参照
この出願は、２０１８年１２月１４日に出願された米国仮出願番号６２／７８０，０６７、２０１９年９月３日に出願された米国仮出願番号６２／８９５，３３３、及び２０１９年１２月３日に提出された「METHODS, APPARATUSES, AND COMPUTER PROGRAM PRODUCTS FOR MANAGEMENT OF AND SEARCH INDEX GENERATION BASED ON GEOGARPHICALLY DISTRIBUTED DATA」という名称の米国非仮出願番号１６／７０２，１９７の優先権を主張し、それぞれの内容はその全体の参照によってここに組み込まれる。
【０００２】
メッセージングシステムは、一般に、地理的に分散した様々なクライアントデバイス間の電子通信を容易にするように構成されている。出願人は、従来のメッセージングシステムにおけるメッセージデータの送信に関連する多くの欠陥及び問題を特定した。注いだ努力、創意工夫、及び革新を通じて、これらの特定された問題の多くは、本開示のいくつかの実施形態に含まれる解決策により解決された。
【発明の概要】
【０００３】
本開示は、グループベースの通信システムにおけるメッセージデータの送信及びアクセスの管理に関する。更に、本開示は、様々な地理的領域に格納するための１つ以上の検索インデックスの生成、及び／又はグループベースの通信システムに格納されたメッセージデータ（例えば、メッセージテキストデータ及び／又はメッセージファイルデータ）に関連付けられた１つ以上の検索インデックスの利用に関する。
【０００４】
実施形態では、グループベースの通信システムにおいて地理的に分散したデータの格納を管理するための装置が提供される。この装置は、第１の地理的境界によって規定された第１の地理的領域に物理的に位置している。この装置は、少なくとも１つのプロセッサと、コンピュータプログラムコードを含む少なくとも１つの非一時的メモリとを備え、この少なくとも１つの非一時的メモリ及びコンピュータプログラムコードは、少なくとも１つのプロセッサにより、装置に以下を行わせるように構成されている：メッセージに関連付けられたエンティティ識別子（an entity identifier）が地理的データ格納ポリシーに関連付けられていると判定すると、そのメッセージのメッセージデータを含む地理的データ常駐メッセージパッケージを、第２の地理的境界によって規定された第２の地理的領域に物理的に位置する地理的データ常駐サーバに送信する。第２の地理的領域は、地理的データ格納ポリシーに関連付けられている。いくつかの実施形態では、少なくとも１つの非一時的メモリ及びコンピュータプログラムコードは、少なくとも１つのプロセッサにより、装置に、更に、地理的データ常駐サーバから受信した常駐トークンデータで、メッセージのメッセージデータを更新するように構成されている。いくつかの実施形態では、少なくとも１つの非一時的メモリ及びコンピュータプログラムコードは、少なくとも１つのプロセッサにより、装置に、更に、第１の地理的境界によって規定された第１の地理的領域に物理的に位置する地理的データ常駐ローカルリポジトリに、更新されたメッセージを格納させるように構成されている。いくつかの実施形態では、更新されたメッセージは、常駐トークンデータ、メッセージメタデータ、及びメッセージ識別子を含んでいる。いくつかの実施形態では、地理的データ常駐ローカルリポジトリアドレスは、地理的データ格納ポリシーに関連付けられた第２の地理的境界に物理的に位置する地理的データ常駐ローカルリポジトリに関連付けられている。いくつかの実施形態では、メッセージに関連付けられた受信者識別子は、作成者識別子が関連付けられているものとは異なる地理的データ格納ポリシーに関連付けられている。いくつかの実施形態では、装置は、更に、第２の地理的領域に物理的に位置する地理的データ常駐サーバがアクセス不可であるかを判定させられ、以下を行う；メッセージのメッセージデータを含む地理的データ常駐メッセージパッケージを、地理的データ格納ポリシーに関連付けさせられバックアップ地理的境界によって規定されたバックアップ地理的領域に物理的に位置する地理的データ常駐サーバに送信する；バックアップ地理的データ常駐サーバから受信したバックアップ常駐トークンデータでメッセージのメッセージデータを更新する；更新されたメッセージデータを、第１の地理的境界によって規定された第１の地理的領域に物理的に位置する地理的データ常駐ローカルリポジトリに格納する。追加又は代替として、いくつかの実施形態では、装置は、更に、第２の地理的領域に物理的に位置する地理的データ常駐サーバがアクセス可能になったことを判定し、バックアップ地理的領域に物理的に位置するバックアップ地理的データ常駐サーバからの地���的データ常駐メッセージパッケージを識別する。ここで、地理的データ常駐メッセージパッケージを物理的に第２の地理的領域に位置する地理的データ常駐サーバへ送信することは、第２の地理的領域に位置する地理的データ常駐サーバがアクセス可能になったとの判定に応答して行う。
【０００５】
実施形態では、グループベースの通信システムにおいて地理的に分散したデータ格納を管理するための装置が提供される。この装置は、第１の地理的境界によって規定された第１の地理的領域に物理的に位置している。この装置は、少なくとも１つのプロセッサと、コンピュータプログラムコードを含む少なくとも１つの非一時的メモリとを備え、この少なくとも１つの非一時的メモリ及びコンピュータプログラムコードは、少なくとも１つのプロセッサにより、装置に、メッセージメタデータからエンティティ識別子を抽出させるように構成されている。いくつかの実施形態では、少なくとも１つの非一時的メモリ及びコンピュータプログラムコードは、少なくとも１つのプロセッサにより、装置に、更に、エンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信させるように構成されている。第２の地理的領域は、地理的データ格納ポリシーに関連付けられている。いくつかの実施形態では、少なくとも１つの非一時的メモリ及びコンピュータプログラムコードは、少なくとも１つのプロセッサにより、装置に、更に、地理的データ常駐サーバから、メッセージデータに関連付けられた地理的データ常駐ローカルリポジトリアドレス、第２の地理的境界内に物理的に位置し、地理的データ格納ポリシーに関連付けられた地理的データ常駐ローカルリポジトリに関連付けられた地理的データ常駐ローカルリポジトリアドレスを参照する常駐トークンデータを受信させるように構成されている。いくつかの実施形態では、少なくとも１つの非一時的メモリ及びコンピュータプログラムコードは、少なくとも１つのプロセッサにより、装置に、更に、地理的データ常駐サーバから受信した常駐トークンデータでメッセージのメッセージデータを更新させるように構成されている。更新されたメッセージは、常駐トークンデータ、メッセージメタデータ、及びメッセージ識別子を含んでいる。いくつかの実施形態では、少なくとも１つの非一時的メモリ及びコンピュータプログラムコードは、少なくとも１つのプロセッサにより、装置に、更に、更新されたメッセージを、第１の地理的境界により規定された第１の地理的領域に物理的に位置するローカルリポジトリに格納させるように構成されている。
【０００６】
いくつかの実施形態では、地理的データ常駐メッセージパッケージは、メッセージデータのサブセットを含み、このメッセージデータのサブセットは、更新されたメッセージ内の常駐トークンデータで置き換えられる。いくつかの実施形態では、少なくとも１つの非一時的メモリ及びコンピュータプログラムコードは、少なくとも１つのプロセッサにより、装置に、更に、第２のクライアントデバイスから、メッセージ識別子を含むメッセージ取得リクエストを受信させるように構成されている。いくつかの実施形態では、少なくとも１つの非一時的メモリ及びコンピュータプログラムコードは、少なくとも１つのプロセッサにより、装置に、更に、ローカルリポジトリから更新されたメッセージを取得させるように構成されている。いくつかの実施形態では、少なくとも１つの非一時的メモリ及びコンピュータプログラムコードは、少なくとも１つのプロセッサにより、装置に、更に、更新されたメッセージが常駐トークンデータを含むと判定すると、その常駐トークンデータを含む地理的データ常駐データ取得リクエストを、その常駐トークンデータに関連付けられた地理的データ常駐サーバに送信させるように構成されている。いくつかの実施形態では、少なくとも１つの非一時的メモリ及びコンピュータプログラムコードは、少なくとも１つのプロセッサにより、装置に、更に、地理的データ常駐サーバから、常駐トークンデータに関連付けられた地理的データ常駐ローカルリポジトリアドレスにおける地理的データ常駐ローカルリポジトリに格納されたメッセージデータを受信させるように構成されている。いくつかの実施形態では、少なくとも１つの非一時的メモリ及びコンピュータプログラムコードは、少なくとも１つのプロセッサにより、装置に、更に、クライアントデバイスにメッセージデータを送信させるように構成されている。
【０００７】
いくつかの実施形態では、第１の地理的境界は、第１の複数の緯度及び経度座標によって規定され、第２の地理的境界は、第２の複数の緯度及び経度座標によって規定されている。いくつかの実施形態では、第１の地理的境界は第１のデータ格納ポリシーに従い、第２の地理的境界は第２のデータ格納ポリシーに従う。いくつかの実施形態では、地理的データ常駐メッセージパッケージは、メッセージメタデータのサブセットを更に含み、このメッセージメタデータのサブセットはまた更新されたメッセージにおけるデータ常駐データで置き換えられる。いくつかの実施形態では、地理的データ常駐サーバは、第３の地理的境界によって規定された第３の地理的領域に物理的に位置している。いくつかの実施形態では、メッセージデータは短期メモリに格納され、メッセージデータが永続的に存在するのは地理的データ常駐ローカルリポジトリにおいてのみである。いくつかの実施形態では、地理的データ格納ポリシーは、特定の地理的境界に関連付けられた法的データ格納要件に関連付けられている。いくつかの実施形態では、第１の地理的境界、第２の地理的境界、及び特定の地理的境界の各々は、アジア、西ヨーロッパ、及び北米のうちの１つ以上である。いくつかの実施形態では、常駐トークンデータは、メッセージ識別子、格納場所識別子、又はメッセージ暗号化キーのうちの１つ以上を含んでいる。いくつかの実施形態では、メッセージに関連付けられたグループベースの通信チャネル識別子に関連付けられた少なくとも１つの組織識別子は、エンティティ識別子に関連付けられた組織識別子とは異なっている。いくつかの実施形態では、メッセージ暗号化キーは、組織識別子に関連付けられた第１のメッセージ暗号化キー及び少なくとも１つの組織識別子に関連付けられた第２のメッセージ暗号化キーを含んでいる。いくつかの実施形態では、このメッセージ暗号化キーは、グループベースの通信サーバによって管理された中央管理のメッセージ暗号化キーと組み合わせて復号に使用される。いくつかの実施形態では、常駐トークンデータは、装置によって受信される前に、地理的データ常駐サーバによってグループベースの通信暗号化キー管理サーバに送信される。いくつかの実施形態では、地理的データ常駐サーバが常駐トークンデータを位置特定できない場合に、地理的データ常駐サーバにメッセージ取得リクエストが転送される。
【０００８】
いくつかの例示的な実施形態では、グループベースの通信システムにおいて地理的に分散したデータ格納に基づき検索インデックスを生成するための装置が提供される。この装置は、第１の地理的境界によって規定された第１の地理的領域に物理的に位置している。この装置は、少なくとも１つのプロセッサと、コンピュータプログラムコードを含む少なくとも１つの非一時的メモリとを備え、少なくとも１つの非一時的メモリ及びコンピュータプログラムコードは、少なくとも１つのプロセッサにより、装置に、第２の地理的境界によって規定された第２の地理的領域に位置する地理的データ常駐サーバから、少なくとも常駐トークンデータセットを含むメッセージメタデータセットを受信させるように構成されている。いくつかの実施形態では、少なくとも１つの非一時的メモリ及びコンピュータプログラムコードは、少なくとも１つのプロセッサにより、装置に、更に、第２の地理的境界に関連付けられた地理的データ常駐ローカルリポジトリから、少なくとも常駐トークンデータセットに基づくメッセージデータセットを取得させるように構成されている。いくつかの実施形態では、少なくとも１つの非一時的メモリ及びコンピュータプログラムコードは、少なくとも１つのプロセッサにより、装置に、更に、メッセージメタデータセット及びメッセージデータセットに基づき検索インデックスを生成させるように構成されている。いくつかの実施形態では、少なくとも１つの非一時的メモリ及びコンピュータプログラムコードは、少なくとも１つのプロセッサにより、装置に、更に、第２の地理的領域における地理的データ常駐ローカルリポジトリに検索インデックスを格納させるように構成されている。
【０００９】
いくつかの実施形態では、装置は、第２の地理的境界に関連付けられた地理的データ常駐ローカルリポジトリから、少なくとも常駐トークンデータセットに基づくメッセージデータセットを以下によって取得するように構成されている：常駐トークンデータセットを含む地理的データ常駐データ取得リクエストを生成する；地理的データ常駐データ取得リクエストを第２の地理的領域に関連付けられた地理的データ常駐サーバに送信して、地理的データ常駐サーバに第２の地理的領域に関連付けられた地理的データ常駐ローカルリポジトリからメッセージデータを取得させる；そして、第２の地理的領域に関連付けられた地理的データ常駐サーバからの応答としてメッセージデータセットを受信する。
【００１０】
いくつかの実施形態では、装置は、第２の地理的境界に関連付けられた地理的データ常駐ローカルリポジトリから、少なくとも常駐トークンデータセットに基づきメッセージデータセットを以下によって取得するように構成されている：常駐トークンデータセットに関連付けられた少なくとも１つの復号キーを識別する；常駐トークンデータセットを含む地理的データ常駐データ取得リクエストを生成する；第２の地理的領域に関連付けられた地理的データ常駐サーバからの応答として、暗号化されたメッセージデータセットを受信する；少なくとも１つのメッセージ復号キーを使用して暗号化されたメッセージセットを復号して、メッセージデータセットを識別する。
【００１１】
いくつかの実施形態では、装置は、１つ以上の常駐トークンデータセット又はメッセージ識別セットに基づきメッセージデータセットを取得するように構成されている。いくつかの実施形態では、地理的データ常駐ローカルリポジトリは、地理的データ常駐ローカルキャッシュを含んでいる。
【００１２】
いくつかの例示的な実施形態では、グループベースの通信システムにおける分散した検索インデックスを使用して検索結果データを生成するための装置が提供される。この装置は、第１の地理的境界によって規定された第１の地理的領域に物理的に位置している。この装置は、少なくとも１つのプロセッサと、コンピュータプログラムコードを含む少なくとも１つの非一時的メモリとを備え、少なくとも１つの非一時的メモリ及びコンピュータプログラムコードは、少なくとも１つのプロセッサにより、装置に、リクエスタシステム（a requestor system）から、検索エンティティ識別子に関連付けられた検索リクエストを受信させるように構成されている。この検索エンティティ識別子は、第２の地理的境界によって規定された第２の地理的領域に関連付けられている。いくつかの実施形態では、少なくとも１つの非一時的メモリ及びコンピュータプログラムコードは、少なくとも１つのプロセッサにより、装置に、更に、第２の地理的領域に関連付けられた地理的データ常駐サーバから、検索エンティティ識別子についての検索インデックスを取得させるように構成されている。いくつかの実施形態では、少なくとも１つの非一時的メモリ及びコンピュータプログラムコードは、少なくとも１つのプロセッサにより、装置に、更に、検索インデックスに基づき検索結果データを識別させるように構成されている。いくつかの実施形態では、少なくとも１つの非一時的メモリ及びコンピュータプログラムコードは、少なくとも１つのプロセッサにより、装置に、更に、検索結果データをリクエスタシステムに提供させるように構成されている。
【００１３】
いくつかの実施形態では、検索結果データは少なくともメッセージデータセットを含み、検索インデックスに基づき検索結果データを識別し、装置は、以下のように構成されている：検索リクエスト及び検索インデックスに基づき、検索結果データに関連付けられた常駐トークンデータセットを識別する；第２の地理的領域に関連付けられた地理的データ常駐サーバから、少なくとも常駐トークンデータセットに基づきメッセージデータセットを含む検索結果データを受信する；そして、少なくともメッセージデータセットを含む検索結果データをリクエスタシステムに提供する。
【００１４】
いくつかの実施形態では、メッセージデータセットは暗号化されたメッセージデータセットを含み、装置は、更に、以下のように構成されている：常駐トークンデータセットに基づきメッセージ復号キーセットを識別する；メッセージ復号キーセットに基づき暗号化されたメッセージデータセットを復号して、暗号化されていないメッセージデータセットを識別する；そして、その暗号化されていないメッセージデータセットを検索結果データに含める。
【００１５】
いくつかの実施形態では、装置は、更に、以下のように構成されている：エンティティ検索キーに基づき第２の地理的境界に関連付けられた地理的データ常駐サーバから検索インデックスを取得する。ここで、エンティティ検索キーは、検索エンティティ識別子に基づき取得可能である。
【００１６】
いくつかの例示的な実施形態では、グループベースの通信システムにおいて地理的に分散したデータ格納に基づき検索インデックスを生成するための装置が提供される。この装置は、第１の地理的境界によって規定された第１の地理的領域に物理的に位置している。この装置は、少なくとも１つのプロセッサと、コンピュータプログラムコードを含む少なくとも１つの非一時的メモリとを備え、この少なくとも１つの非一時的メモリ及びコンピュータプログラムコードは、少なくとも１つのプロセッサにより、装置に、第１の地理的境界に関連付けられた地理的データ常駐ローカルリポジトリから、共通のグループベースの通信チャネル識別子に関連付けられたメッセージメタデータセット及び第１のメッセージデータサブセットを取得するように構成されている。
【００１７】
いくつかの実施形態では、少なくとも１つの非一時的メモリ及びコンピュータプログラムコードは、少なくとも１つのプロセッサにより、装置に、更に、第２の地理的境界によって規定された第２の地理的領域に位置する地理的データ常駐サーバから、少なくとも常駐トークンデータセットに基づき第２のメッセージデータサブセットを受信させるように構成されている。第２のメッセージデータサブセットは、共通のグループベースの通信チャネル識別子に関連付けられている。いくつかの実施形態では、少なくとも１つの非一時的メモリ及びコンピュータプログラムコードは、少なくとも１つのプロセッサにより、装置に、更に、第１のメッセージデータサブセット、第２のメッセージデータサブセット、及びメッセージメタデータセットに基づき、検索インデックスを生成させるように構成されている。いくつかの実施形態では、少なくとも１つの非一時的メモリ及びコンピュータプログラムコードは、少なくとも１つのプロセッサにより、装置に、更に、第１の地理的境界に関連付けられた地理的データ常駐ローカルリポジトリに検索インデックスを格納させるように構成されている。
【００１８】
いくつかの実施形態では、第２のメッセージデータサブセットを取得するために、装置は、以下のように構成されている：第２の地理的領域に位置する地理的データ常駐サーバに少なくとも常駐トークンデータセットを送信し、ここで、第２の地理的領域における地理的データ常駐サーバは、常駐トークンデータセットに基づき、第２の地理的領域における第２の地理的データ常駐ローカルリポジトリから第２のメッセージデータサブセットを取得する；そして、この送信に応答して、第２の地理的領域における地理的データ常駐サーバから第１のメッセージデータサブセットを受信する。
【００１９】
いくつかの実施形態では、装置は、更に、共通のグループベースの通信チャネル識別子に関連付けられた第２のエンティティデータオブジェクト識別子の少なくとも１つのメッセージ復号キーを識別するように構成されている。いくつかの実施形態では、第２のエンティティデータオブジェクト識別子は、第２の地理的領域に対応するデータ常駐ポリシーデータオブジェクトに関連付けられている。
【００２０】
いくつかの実施形態では、第２のメッセージデータサブセットを取得するために、装置は、以下のように構成されている：第２の地理的領域に位置する地理的データ常駐サーバに常駐トークンデータセットを送信する、ここで、第２の地理的領域における地理的データ常駐サーバは、第２の復号メッセージデータサブセットを、第２の地理的領域における第２の地理的データ常駐ローカルリポジトリから、リポジトリトークンデータセットに基づき、取得する；第２の地理的領域における地理的データ常駐サーバから第２の暗号化メッセージデータのサブセットを受信する；そして、少なくとも１つのメッセージ復号キーを使用して、第２の暗号化メッセージデータサブセットを復号する。
【００２１】
いくつかの実施形態では、装置は、更に、メッセージメタデータセット又は常駐トークンデータセットの一部の１つ以上に基づき、第２の地理的領域に関連付けられた地理的データ常駐サーバを特定するように構成されている。いくつかの実施形態では、装置は、更に、第２の地理的境界に関連付けられた地理的データ常駐サーバにメッセージメタデータセットを複製させるように構成されている。
【００２２】
いくつかの例示的な実施形態では、グループベースの通信システムにおいて地理的に分散したデータ格納を管理するためのコンピュータに実装された方法が提供される。このコンピュータに実装された方法は、メッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する。第２の地理的領域は、地理的データ格納ポリシーに関連付けられている。いくつかの実施形態では、コンピュータに実装された方法は、更に、地理的データ常駐サーバから受信した常駐トークンデータでメッセージのメッセージデータを更新することを含んでいる。いくつかの実施形態では、コンピュータに実装された方法は、更に、第１の地理的境界によって規定された第１の地理的領域に物理的に位置する地理的データ常駐ローカルリポジトリに、更新されたメッセージを格納することを含んでいる。いくつかの実施形態では、コンピュータに実装された方法は、更に、以下を含んでいる：第２の地理的領域に物理的に位置する地理的データ常駐サーバがアクセス不可であると判定する；メッセージのメッセージデータを含む地理的データ常駐メッセージパッケージを、バックアップ地理的境界によって規定された地理的データ格納ポリシーに関連付けられたバックアップ地理的領域に物理的に位置するバックアップ地理的データ常駐サーバに送信する；バックアップ地理的データ常駐サーバから受信したバックアップ常駐トークンデータで、メッセージのメッセージデータを更新する；そして、この更新されたメッセージデータを、第１の地理的境界によって規定された第１の地理的領域に物理的に位置する地理的データ常駐ローカルリポジトリに格納する。追加又は代替として、いくつかの実施形態では、コンピュータに実装された方法は、更に、第２の地理的領域に物理的に位置する地理的データ常駐サーバがアクセス可能になったことを判定し、バックアップ地理的領域に物理的に位置するバックアップ地理的データ常駐サーバから地理的データ常駐メッセージパッケージを識別することを含んでいる。ここで、地理的データ常駐メッセージパッケージを第２の地理的領域に物理的に位置する地理的データ常駐サーバへ送信するのは、第２の地理的領域に位置する地理的データ常駐サーバがアクセス可能になったとの判定に応答して行う。
【００２３】
いくつかの実施形態では、更新されたメッセージは、常駐トークンデータ、メッセージメタデータ、及びメッセージ識別子を含んでいる。いくつかの実施形態では、地理的データ常駐ローカルリポジトリアドレスは、地理的データ格納ポリシーに関連付けられた第２の地理的境界内に物理的に位置する地理的データ常駐ローカルリポジトリに関連付けられている。いくつかの実施形態では、メッセージに関連付けられた受信者識別子は、作成者識別子が関連付けられているものとは異なる地理的データ格納ポリシーに関連付けられている。
【００２４】
いくつかの例示的な実施形態では、グループベースの通信システムにおける地理的に分散したデータ格納を管理するためのコンピュータに実装された方法が提供される。このコンピュータに実装された方法は、第１のクライアントデバイスから、第１の地理的境界によって規定された第１の地理的領域に物理的に位置する装置において、メッセージデータ、メッセージメタデータ、及びメッセージ識別子を含むメッセージを受信することを含んでいる。いくつかの実施形態では、コンピュータに実装された方法は、更に、メッセージメタデータからエンティティ識別子を抽出することを含んでいる。いくつかの実施形態では、コンピュータに実装された方法は、更に、エンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信することを含んでいる。第２の地理的領域は、地理的データ格納ポリシーに関連付けられている。いくつかの実施形態では、コンピュータに実装された方法は、更に、地理的データ常駐サーバから、メッセージデータに関連する地理的データ常駐ローカルリポジトリアドレスを参照する常駐トークンデータを受信することを含んでいる。この地理的データ常駐ローカルリポジトリアドレスは、地理的データ格納ポリシーに関連付けられた第２の地理的境界内に物理的に位置する地理的データ常駐ローカルリポジトリに関連付けられている。いくつかの実施形態では、コンピュータに実装された方法は、更に、地理的データ常駐サーバから受信した常駐トークンデータでメッセージのメッセージデータを更新することを含んでいる。この更新されたメッセージは、常駐トークンデータ、メッセージメタデータ、及びメッセージ識別子を含んでいる。いくつかの実施形態では、コンピュータに実装された方法は、更に、第１の地理的境界によって規定された第１の地理的領域に物理的に位置するローカルリポジトリに、この更新されたメッセージを格納することを含んでいる。
【００２５】
いくつかの実施形態では、地理的データ常駐メッセージパッケージは、メッセージデータのサブセットを含み、メッセージデータのサブセットは、更新されたメッセージにおける常駐トークンデータで置き換えられる。
【００２６】
いくつかの実施形態では、コンピュータに実装された方法は、更に、第２のクライアントデバイスから、メッセージ取得リクエストを受信することを含み、このメッセージ取得リクエストは、メッセージ識別子を含んでいる。いくつかの実施形態では、コンピュータに実装された方法は、更に、ローカルリポジトリから更新されたメッセージを取得することを含んでいる。いくつかの実施形態では、コンピュータに実装された方法は、更に、更新されたメッセージが常駐トークンデータを含むと判定すると、常駐トークンデータを含む地理的データ常駐データ取得リクエストを常駐トークンデータに関連付けられた地理的データ常駐サーバに送信することを含んでいる。いくつかの実施形態では、コンピュータに実装された方法は、更に、地理的データ常駐サーバから、常駐トークンデータに関連付けられた地理的データ常駐ローカルリポジトリアドレスにおける地理的データ常駐ローカルリポジトリに格納されたメッセージデータを受信することを含んでいる。いくつかの実施形態では、コンピュータに実装された方法は、更に、メッセージデータをクライアントデバイスに送信することを含んでいる。
【００２７】
いくつかの実施形態では、第１の地理的境界は第１の複数の緯度及び経度座標によって規定され、第２の地理的境界は第２の複数の緯度及び経度座標によって規定される。いくつかの実施形態では、第１の地理的境界は第１のデータ格納ポリシーに従い、第２の地理的境界は第２のデータ格納ポリシーに従う。いくつかの実施形態では、地理的データ常駐メッセージパッケージは、更に、メッセージメタデータのサブセットを含み、メッセージメタデータのサブセットはまた更新されたメッセージ内のデータ常駐データで置き換えられる。いくつかの実施形態では、地理的データ常駐サーバは、第３の地理的境界によって規定された第３の地理的領域に物理的に位置している。いくつかの実施形態では、メッセージデータは短期メモリに格納され、メッセージデータが永続的に存在するのは地理的データ常駐ローカルリポジトリにおいてのみである。いくつかの実施形態では、地理的データ格納ポリシーは、特定の地理的境界に関連付けられた法的データ格納要件に関連付けられている。いくつかの実施形態では、第１の地理的境界、第２の地理的境界、及び特定の地理的境界の各々は、アジア、西ヨーロッパ、及び北米のうちの１つ以上である。いくつかの実施形態では、常駐トークンデータは、メッセージ識別子、格納場所識別子、又はメッセージ暗号化キーのうちの１つ以上を含んでいる。いくつかの実施形態では、メッセージに関連付けられたグループベースの通信チャネル識別子に関連付けられた少なくとも１つの組織識別子は、エンティティ識別子に関連付けられた組織識別子とは異なっている。いくつかの実施形態では、メッセージ暗号化キーは、組織識別子に関連付けられた第１のメッセージ暗号化キー及び少なくとも１つの組織識別子に関連付けられた第２のメッセージ暗号化キーを含んでいる。いくつかの実施形態では、このメッセージ暗号化キーは、グループベースの通信サーバによって管理された中央管理のメッセージ暗号化キーと組み合わせて復号に使用される。いくつかの実施形態では、常駐トークンデータは、装置によって受信される前に、地理的データ常駐サーバによってグループベースの通信暗号化キー管理サーバに送信される。いくつかの実施形態では、地理的データ常駐サーバが常駐トークンデータを位置特定できない場合に、地理的データ常駐サーバにメッセージ取得リクエストが転送される。
【００２８】
いくつかの実施形態では、グループベースの通信システムにおける地理的に分散したデータ格納に基づき検索インデックスを生成するためのコンピュータに実装された方法が提供される。このコンピュータに実装された方法は、第２の地理的境界によって規定された第２の地理的領域に位置する地理的データ常駐サーバから、第１の地理的境界によって規定された第１の地理的領域に物理的に位置する装置で、少なくとも１つの常駐トークンデータセットを含むメッセージメタデータを受信することを含んでいる。いくつかの実施形態では、コンピュータに実装された方法は、更に、第２の地理的境界に関連付けられた地理的データ常駐ローカルリポジトリから、少なくとも常駐トークンデータセットに基づくメッセージデータセットを取得することを含んでいる。いくつかの実施形態では、コンピュータに実装された方法は、更に、メッセージメタデータセット及びメッセージデータセットに基づき検索インデックスを生成することを含んでいる。いくつかの実施形態では、コンピュータに実装された方法は、更に、第２の地理的領域の地理的データ常駐ローカルリポジトリに検索インデックスを格納することを含んでいる。いくつかの実施形態では、第２の地理的境界に関連付けられた地理的データ常駐ローカルリポジトリから、少なくとも常駐トークンデータセットに基づくメッセージデータセットを取得することは、以下を含んでいる：常駐トークンデータセットを含む地理的データ常駐データ取得リクエストを生成する；地理的データ常駐データ取得リクエストを第２の地理的領域に関連付けられた地理的データ常駐サーバに送信して、地理的データ常駐サーバに、第２の地理的領域に関連付けられた地理的データ常駐ローカルリポジトリからメッセージデータを取得させる；そして、第２の地理的領域に関連付けられた地理的データ常駐サーバからの応答としてメッセージデータセットを受信する。
【００２９】
いくつかの実施形態では、第２の地理的境界に関連付けられた地理的データ常駐ローカルリポジトリから、少なくとも常駐トークンデータセットに基づくメッセージデータセットを取得することは、以下を含む：常駐トークンに関連する少なくとも１つのメッセージ復号キーを識別する；常駐トークンデータセットを含む地理的データ常駐データ取得リクエストを生成する；暗号化されたメッセージデータセットを、第２の地理的領域に関連付けられた地理的データ常駐サーバからの応答として受信する；そして、少なくとも１つのメッセージ復号キーを使用して暗号化されたメッセージセットを復号して、メッセージデータセットを識別する。
【００３０】
いくつかの実施形態では、コンピュータに実装された方法は、更に、常駐トークンデータセット又はメッセージ識別セットのうちの１つ以上に基づきメッセージデータセットを取得することを含んでいる。いくつかの実施形態では、地理的データ常駐ローカルリポジトリは、地理的データ常駐ローカルキャッシュを含んでいる。
【００３１】
いくつかの実施形態では、グループベースの通信システムにおける分散した検索インデックスを使用して検索結果データを生成するためのコンピュータに実装された方法が提供される。このコンピュータに実装された方法は、リクエスタシステムから、第１の地理的境界によって規定された第１の地理的領域に物理的に位置する装置で、検索エンティティ識別子に関連付けられた検索リクエストを受信することを含んでいる。この検索エンティティ識別子は、第２の地理的境界によって規定された第２の地理的領域に関連付けられている。いくつかの実施形態では、コンピュータに実装された方法は、更に、第２の地理的領域に関連付けられた地理的データ常駐サーバから、検索エンティティ識別子の検索インデックスを取得することを含んでいる。いくつかの実施形態では、コンピュータに実装された方法は、更に、検索インデックスに基づき検索結果データを識別することを含んでいる。いくつかの実施形態では、コンピュータに実装された方法は、更に、検索結果データをリクエスタシステムに提供することを含んでいる。
【００３２】
いくつかの実施形態では、検索結果データは少なくともメッセージデータセットを含み、検索インデックスに基づき検索結果データを識別することは以下を含む：検索リクエスト及び検索インデックスに基づき、検索結果データに関連する常駐トークンデータセットを識別する；第２の地理的領域に関連付けられた地理的データ常駐サーバから、少なくとも常駐トークンデータセットに基づくメッセージデータセットを含む検索結果データを受信する；そして、少なくともメッセージデータセットを含む検索結果データをリクエスタシステムに提供する。
【００３３】
いくつかの実施形態では、メッセージデータセットは暗号化されたメッセージデータセットを含み、この方法は、更に、常駐トークンデータセットに基づきメッセージ復号キーセットを識別する；メッセージ復号キーセットに基づき暗号化されたメッセージデータセットを復号して、暗号化されていないメッセージデータセットを識別する；そして、その暗号化されていないメッセージデータセットを検索結果データに含める。いくつかの実施形態では、コンピュータに実装された方法は、更に、検索エンティティ識別子に基づき取得可能なエンティティ検索キーに基づき、第２の地理的境界に関連付けられた地理的データ常駐サーバから、検索インデックスを取得することを含んでいる。
【００３４】
いくつかの実施形態では、グループベースの通信システムにおける地理的に分散したデータ格納に基づき検索インデックスを生成するためのコンピュータに実装された方法が提供される。このコンピュータに実装された方法は、第１の地理的境界によって規定された第１の地理的領域に物理的に位置する装置により、第１の地理的境界に関連付けられた地理的データ常駐ローカルリポジトリから、共通のグループベースの通信チャネル識別子に関連付けられたメッセージメタデータセット及び第１のメッセージデータサブセットを取得することを含んでいる。いくつかの実施形態では、コンピュータに実装された方法は、更に、第２の地理的境界によって規定された第２の地理的領域に位置する地理的データ常駐サーバから、少なくともメッセージメタデータセットの常駐トークンデータセットに基づく第２のメッセージデータサブセットを受信することを含んでいる。この第２のメッセージデータサブセットは、共通のグループベースの通信チャネル識別子に関連付けられている。いくつかの実施形態では、コンピュータに実装された方法は、更に、第１のメッセージデータサブセット、第２のメッセージデータサブセット、及びメッセージメタデータセットに基づき、検索インデックスを生成することを含んでいる。いくつかの実施形態では、コンピュータに実装された方法は、更に、第１の地理的境界に関連付けられた地理的データ常駐ローカルリポジトリに検索インデックスを格納することを含んでいる。
【００３５】
いくつかの実施形態では、第２のメッセージデータサブセットを取得することは、以下を含む：少なくとも常駐トークンデータセットを第２の地理的領域に位置する地理的データ常駐サーバに送信し、ここで、この第２の地理的領域における地理的データ常駐サーバは、常駐トークンデータセットに基づき、第２のメッセージデータサブセットを、第２の地理的領域における第２の地理的データ常駐ローカルリポジトリから取得する；そして、その送信に応答して、第１のメッセージデータサブセット第２の地理的領域における地理的データ常駐サーバからを受信する。
【００３６】
いくつかの実施形態では、コンピュータに実装された方法は、更に、共通のグループベースの通信チャネル識別子に関連付けられた第２のエンティティデータオブジェクト識別子の少なくとも１つのメッセージ復号キーを識別することを含んでいる。いくつかの実施形態では、第２のエンティティデータオブジェクト識別子は、第２の地理的領域に対応するデータ常駐ポリシーデータオブジェクトに関連付けられている。
【００３７】
いくつかの実施形態では、第２のメッセージデータサブセットを取得することは、以下を含んでいる：常駐トークンデータセットを、第２の地理的領域に位置する地理的データ常駐サーバに送信する、ここで、この第２の地理的領域における地理的データ常駐サーバは、常駐トークンデータセットに基づき、第２の地理的領域における第２の地理的データ常駐ローカルリポジトリから第２の暗号化されたメッセージデータサブセットを取得する；この第２の地理的領域における地理的データ常駐サーバから第２の暗号化メッセージデータサブセットを受信する；少なくとも１つのメッセージ復号キーを利用して、第２の暗号化メッセージデータサブセットを復号する。
【００３８】
いくつかの実施形態では、この方法は、更に、メッセージメタデータセット又は常駐トークンデータセットの一部の１つ以上に基づき、第２の地理的領域に関連付けられた地理的データ常駐サーバを特定することを含んでいる。
【００３９】
いくつかの実施形態では、この方法は、更に、第２の地理的境界に関連付けられた地理的データ常駐サーバに、メッセージメタデータセットを複製させることを含んでいる。
【００４０】
いくつかの例示的な実施形態では、グループベースの通信システムにおける地理的に分散したデータ格納を管理するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は、以下のように構成されている：メッセージに関連付けられたエンティティ識別子が、地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する。この第２の地理的領域は、地理的データ格納ポリシーに関連付けられている。プロセッサで実行されるコンピュータ実行可能プログラムコード命令は、更に、地理的データ常駐サーバから受信した常駐トークンデータでメッセージのメッセージデータを更新するように構成されている。プロセッサで実行されるコンピュータ実行可能プログラムコード命令は、更に、第１の地理的境界によって規定された第１の地理的領域に物理的に位置する地理的データ常駐ローカルリポジトリに、更新されたメッセージを格納するように構成されている。いくつかの実施形態では、このコンピュータプログラム製品は、更に、以下のように構成されている：第２の地理的領域に物理的に位置する地理的データ常駐サーバがアクセス不可であると判定する；メッセージのメッセージデータを含む地理的データ常駐メッセージパッケージを、地理的データ格納ポリシーに関連付けられたバックアップ地理的境界により規定された、バックアップ地理的領域に物理的に位置する地理的データ常駐サーバに送信する；メッセージのメッセージデータを、バックアップ地理的データ常駐サーバから受信したバックアップ常駐トークンデータで更新する；そして、この更新されたメッセージデータを、第１の地理的境界によって規定された第１の地理的領域に物理的に位置する地理的データ常駐ローカルリポジトリに格納する。追加又は代替として、いくつかの実施形態では、コンピュータプログラム製品は、更に、第２の地理的領域に物理的に位置する地理的データ常駐サーバがアクセス可能になったことを判定し、バックアップ地理的領域に物理的に位置するバックアップ地理的データ常駐サーバからの地理的データ常駐メッセージパッケージを識別するように構成されている。ここで、地理的データ常駐メッセージパッケージを第２の地理的領域に物理的に位置する地理的データ常駐サーバへの送信は、第２の地理的領域に位置する地理的データ常駐サーバがアクセス可能になったとの判定に応答して行う。
【００４１】
いくつかの実施形態では、更新されたメッセージは、常駐トークンデータ、メッセージメタデータ、及びメッセージ識別子を含んでいる。
【００４２】
いくつかの実施形態では、地理的データ常駐ローカルリポジトリアドレスは、地理的データ格納ポリシーに関連付けられた第２の地理的境界内に物理的に位置する地理的データ常駐ローカルリポジトリに関連付けられている。
【００４３】
いくつかの実施形態では、メッセージに関連付けられた受信者識別子は、作成者識別子が関連付けられているものとは異なる地理的データ格納ポリシーに関連付けられている。
【００４４】
いくつかの例示的な実施形態では、グループベースの通信システムにおける地理的に分散したデータ格納を管理するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は、以下のように構成されている。第１のクライアントデバイスから、第１の地理的境界により規定された第１の地理的領域に物理的に位置する装置において、メッセージデータ、メッセージメタデータ、及びメッセージ識別子を含むメッセージを受信する。プロセッサで実行されるこのコンピュータ実行可能プログラムコード命令は、更に、メッセージメタデータからエンティティ識別子を抽出するように構成されている。プロセッサで実行されるコンピュータ実行可能プログラムコード命令は、更に、エンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信するように構成されている。この第２の地理的領域は、地理的データ格納ポリシーに関連付けられている。プロセッサで実行されるコンピュータ実行可能プログラムコード命令は、更に、地理的データ常駐サーバから、メッセージデータに関連付けられた地理的データ常駐ローカルリポジトリアドレスを参照する常駐トークンデータを受信するように構成されている。この地理的データ常駐ローカルリポジトリアドレスは、地理的データ格納ポリシーに関連付けられた第２の地理的境界内に物理的に位置する、地理的データ常駐ローカルリポジトリに関連付けられている。プロセッサで実行されるコンピュータ実行可能プログラムコード命令は、更に、メッセージのメッセージデータを、地理的データ常駐サーバから受信した常駐トークンデータで更新するように構成されている。この更新されたメッセージは、常駐トークンデータ、メッセージメタデータ、及びメッセージ識別子を含んでいる。プロセッサで実行されるコンピュータ実行可能プログラムコード命令は、更に、この更新されたメッセージを、第１の地理的境界によって規定された第１の地理的領域に物理的に位置するローカルリポジトリに格納するように構成されている。
【００４５】
いくつかの実施形態では、地理的データ常駐メッセージパッケージは、メッセージデータのサブセットを含み、このメッセージデータのサブセットは、更新されたメッセージ内の常駐トークンデータに置き換えられる。
【００４６】
いくつかの実施形態では、プロセッサで実行されるコンピュータ実行可能プログラムコード命令は、更に、以下のように構成されている：第２のクライアントデバイスから、メッセージ識別子を含む、メッセージ取得リクエストを受信する；ローカルリポジトリから、更新されたメッセージを取得する；この更新されたメッセージが常駐トークンデータを含むと判定したら、この常駐トークンデータを含む地理的データ常駐データ取得リクエストを、その常駐トークンデータに関連付けられた地理的データ常駐サーバに送信する；地理的データ常駐サーバから、その常駐トークンデータに関連付けられた地理的データ常駐ローカルリポジトリアドレスにおける地理的データ常駐ローカルリポジトリに格納されたメッセージデータを受信する；このメッセージデータをクライアントデバイスに送信する。
【００４７】
いくつかの実施形態では、第１の地理的境界は、第１の複数の緯度及び経度座標によって規定され、第２の地理的境界は、第２の複数の緯度及び経度座標によって規定される。いくつかの実施形態では、第１の地理的境界は第１のデータ格納ポリシーに従い、第２の地理的境界は第２のデータ格納ポリシーに従う。いくつかの実施形態では、地理的データ常駐メッセージパッケージは、更に、メッセージメタデータのサブセットを含み、このメッセージメタデータのサブセットはまた更新されたメッセージ内のデータ常駐データで置き換えられる。いくつかの実施形態では、地理的データ常駐サーバは、第３の地理的境界によって規定された第３の地理的領域に物理的に位置している。いくつかの実施形態では、メッセージデータは短期メモリに格納され、メッセージデータが永続的に存在するのは地理的データ常駐ローカルリポジトリにおいてのみである。いくつかの実施形態では、地理的データ格納ポリシーは、特定の地理的境界に関連付けられた法的データ格納要件に関連付けられている。いくつかの実施形態では、第１の地理的境界、第２の地理的境界、及び特定の地理的境界の各々は、アジア、西ヨーロッパ、及び北米のうちの１つ以上である。いくつかの実施形態では、常駐トークンデータは、メッセージ識別子、格納場所識別子、又はメッセージ暗号化キーのうちの１つ以上を含んでいる。
【００４８】
いくつかの実施形態では、メッセージに関連付けられたグループベースの通信チャネル識別子に関連付けられた少なくとも１つの組織識別子は、エンティティ識別子に関連付けられた組織識別子とは異なっている。いくつかの実施形態では、メッセージ暗号化キーは、組織識別子に関連付けられた第１のメッセージ暗号化キー及び少なくとも１つの組織識別子に関連付けられた第２のメッセージ暗号化キーを含んでいる。いくつかの実施形態では、このメッセージ暗号化キーは、グループベースの通信サーバによって管理された中央管理のメッセージ暗号化キーと組み合わせて復号に使用される。いくつかの実施形態では、常駐トークンデータは、装置によって受信される前に、地理的データ常駐サーバによってグループベースの通信暗号化キー管理サーバに送信される。いくつかの実施形態では、地理的データ常駐サーバが常駐トークンデータを位置特定できない場合に、地理的データ常駐サーバにメッセージ取得リクエストが転送される。
【００４９】
いくつかの実施形態では、グループベースの通信システムにおける地理的に分散したデータ格納に基づき検索インデックスを生成するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は、以下のように構成されている：第１の地理的境界により規定された第１の地理的領域に位置する装置において、第２の地理的境界により規定された第２の地理的領域に位置する地理的データ常駐サーバから、少なくとも常駐トークンデータセットを含むメッセージメタデータセットを受信する。いくつかの実施形態では、プロセッサで実行されるこのコンピュータ実行可能プログラムコード命令は、更に、第２の地理的境界に関連付けられた地理的データ常駐ローカルリポジトリから、少なくとも常駐トークンデータセットに基づくメッセージデータセットを取得するように構成されている。いくつかの実施形態では、プロセッサで実行されるコンピュータ実行可能プログラムコード命令は、更に、メッセージメタデータセット及びメッセージデータセットに基づき検索インデックスを生成するように構成されている。いくつかの実施形態では、プロセッサで実行されるコンピュータ実行可能プログラムコード命令は、更に、第２の地理的領域における地理的データ常駐ローカルリポジトリに検索インデックスを格納するように構成されている。
【００５０】
いくつかの実施形態では、プロセッサで実行されるコンピュータ実行可能プログラムコード命令は、更に、第２の地理的境界に関連付けられた地理的データ常駐ローカルリポジトリから、少なくとも常駐トークンデータセットに基づき、以下によってメッセージデータセットを取得するように構成されている：常駐トークンデータセットを含む地理的データ常駐データ取得リクエストを生成する；地理的データ常駐データ取得リクエストを、第２の地理的領域に関連付けられた地理的データ常駐サーバに送信して、この地理的データ常駐サーバに、第２の地理的領域に関連付けられた地理的データ常駐ローカルリポジトリからメッセージデータを取得する；そして、第２の地理的領域に関連付けられたこの地理的データ常駐サーバからの応答としてメッセージデータセットを受信する。
【００５１】
いくつかの実施形態では、プロセッサで実行されるコンピュータ実行可能プログラムコード命令は、更に、第２の地理的境界に関連付けられた地理的データ常駐ローカルリポジトリから、少なくとも常駐トークンデータセットに基づくメッセージデータセットを、以下によって取得するように構成されている：常駐トークンデータセットに関連付けられた少なくとも１つのメッセージ復号キーを識別する；常駐トークンデータセットを含む地理的データ常駐データ取得リクエストを生成する；暗号化メッセージデータセットを、第２の地理的領域に関連付けられた地理的データ常駐サーバからの応答として受信する；そして、少なくとも１つのメッセージ復号キーを使用して、暗号化されたメッセージセットを復号して、メッセージデータセットを識別する。
【００５２】
いくつかの実施形態では、プロセッサで実行されるこのコンピュータ実行可能プログラムコード命令は、更に、常駐トークンデータセット又はメッセージ識別セットの１つ以上に基づきメッセージデータセットを取得するように構成されている。いくつかの実施形態では、地理的データ常駐ローカルリポジトリは、地理的データ常駐ローカルキャッシュを含んでいる。
【００５３】
いくつかの実施形態では、グループベースの通信システムにおける分散した検索インデックスを使用して、検索結果データを生成するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は以下のように構成されている：第１の地理的境界によって規定された第１の地理的領域に位置する装置において、リクエスタシステムから、検索エンティティ識別子に関連付けられた検索リクエストを受信する。この検索エンティティ識別子は、第２の地理的境界によって規定された第２の地理的領域に関連付けられている。いくつかの実施形態では、プロセッサで実行されるコンピュータ実行可能プログラムコード命令は、更に、第２の地理的領域に関連付けられた地理的データ常駐サーバから、検索エンティティ識別子についての検索インデックスを取得するように構成されている。いくつかの実施形態では、プロセッサで実行されるコンピュータ実行可能プログラムコード命令は、更に、検索インデックスに基づき検索結果データを識別するように構成されている。いくつかの実施形態では、プロセッサで実行されるこのコンピュータ実行可能プログラムコード命令は、更に、検索結果データをリクエスタシステムに提供するように構成されている。いくつかの実施形態では、この検索結果データは少なくともメッセージデータセットを含み、検索インデックスに基づき検索結果データを識別するために、プロセッサで実行されるコンピュータ実行可能プログラムコード命令は、更に、以下のように構成されている：検索リクエスト及び検索インデックスに基づき、検索結果データに関連付けられた常駐トークンデータセットを識別する；第２の地理的領域に関連付けられた地理的データ常駐サーバから、少なくとも常駐トークンデータセットに基づくメッセージデータセットを含む検索結果データを受信する；そして、少なくともメッセージデータセットを含む検索結果データをリクエスタシステムに提供する。
【００５４】
いくつかの実施形態では、メッセージデータセットは暗号化されたメッセージデータセットを含み、プロセッサで実行されるコンピュータ実行可能プログラムコード命令は、更に、以下のように構成されている：常駐トークンデータセットに基づきメッセージ復号キーセットを識別する；このメッセージ復号キーセットに基づき暗号化メッセージデータセットを復号して、暗号化されていないメッセージデータセットを識別する；この暗号化されていないメッセージデータセットを検索結果データに含める；いくつかの実施形態では、プロセッサで実行されるコンピュータ実行可能プログラムコード命令は、更に、以下のように構成されている：エンティティ検索キーに基づき第２の地理的境界に関連付けられた地理的データ常駐サーバから検索インデックスを取得する、ここで、このエンティティ検索キーは、検索エンティティ識別子に基づき取得可能である。
【００５５】
いくつかの実施形態では、グループベースの通信システムにおける地理的に分散したデータ格納に基づき検索インデックスを生成するためのコンピュータプログラム製品が提供される。コンピュータプログラム製品は、コンピュータ実行可能プログラムコード命令が格納された少なくとも１つの非一時的コンピュータ可読記憶媒体を備えている。プロセッサで実行されるこのコンピュータ実行可能プログラムコード命令は、第１の地理的境界により規定された第１の地理的領域に位置する装置において、第１の地理的境界に関連付けられた地理的データ常駐ローカルリポジトリから、第１のメッセージデータサブセット、及び共通グループベースの通信チャネル識別子に関連付けられたメッセージメタデータセットを取得するように構成されている。いくつかの実施形態では、プロセッサで実行されるコンピュータ実行可能プログラムコード命令は、更に、第２の地理的境界によって規定された第２の地理的領域に位置する地理的データ常駐サーバから、少なくともメッセージメタデータセットの常駐トークンデータセットに基づく第２のメッセージデータサブセットを受信するように更に構成されており、この第２のメッセージデータサブセットは、共通のグループベースの通信チャネル識別子に関連付けられている。いくつかの実施形態では、プロセッサで実行されるコンピュータ実行可能プログラムコード命令は、更に、第１のメッセージデータサブセット、第２のメッセージデータサブセット、及びメッセージメタデータセットに基づき検索インデックスを生成するように構成されている。いくつかの実施形態では、プロセッサで実行されるコンピュータ実行可能プログラムコード命令は、更に、第１の地理的境界に関連付けられた地理的データ常駐ローカルリポジトリに検索インデックスを格納するように更に構成されている。
【００５６】
いくつかの実施形態では、第２のメッセージデータサブセットを取得するために、プロセッサで実行されるコンピュータ実行可能プログラムコード命令は、更に、以下のように構成されている：少なくとも常駐トークンデータセットを第２の地理的領域に位置する地理的データ常駐サーバに送信する、ここで、この第２の地理的領域に位置する地理的データ常駐サーバは、常駐トークンデータセットに基づき、第２の地理的領域における第２の地理的データ常駐ローカルリポジトリから第２のメッセージデータサブセットを取得する；送信に応答して、第２の地理的領域における地理的データ常駐サーバから第１のメッセージデータサブセットを受信する。
【００５７】
いくつかの実施形態では、プロセッサで実行されるコンピュータ実行可能プログラムコード命令は、更に、共通のグループベースの通信チャネル識別子に関連付けられた第２のエンティティデータオブジェクト識別子の少なくとも１つのメッセージ復号キーを識別するように構成されている。いくつかの実施形態では、この第２のエンティティデータオブジェクト識別子は、第２の地理的領域に対応したデータ常駐ポリシーデータオブジェクトに関連付けられている。いくつかの実施形態では、第２のメッセージデータサブセットを取得するために、プロセッサで実行されるコンピュータ実行可能プログラムコード命令は、更に、以下のように構成されている：常駐トークンデータセットを第２の地理的領域に位置する地理的データ常駐サーバに送信する、ここで、この第２の地理的領域における地理的データ常駐サーバは、第２の暗号化メッセージデータサブセットを、第２の地理的領域における第２の地理的データ常駐ローカルリポジトリから、常駐トークンデータセットに基づき、取得する；第２の暗号化メッセージデータサブセットを、第２の地理的領域における地理的データ常駐サーバから受信する；少なくとも１つのメッセージ復号キーを利用して、第２の暗号化メッセージデータサブセットを復号する。
【００５８】
いくつかの実施形態では、プロセッサで実行されるコンピュータ実行可能プログラムコード命令は、更に、メッセージメタデータセットの一部の１つ以上又は常駐トークンデータセットに基づき第２の地理的領域に関連付けられた地理的データ常駐サーバを識別するように構成されている。いくつかの実施形態では、プロセッサで実行されるコンピュータ実行可能プログラムコード命令は、更に、第２の地理的境界に関連する地理的データ常駐サーバにメッセージメタデータセットを複製させるように構成されている。
【００５９】
その他のシステム、装置、方法、コンピュータ可読媒体、及び特徴は、以下の図面及び詳細な説明から、当業者に明らかである。そのような追加のシステム、装置、方法、コンピュータ可読媒体、及び機能はすべて、本明細書に含まれ、本開示の範囲に含まれ、特許請求の範囲によって保護される。
【００６０】
前記では本開示を一般的な用語で説明したが、以下では、添付図面を参照する。尚、図面は必ずしも縮尺通りに描かれていない。
【図面の簡単な説明】
【００６１】
【図１】本開示の実施形態を実施するように構成されたグループベースの通信システムのシステムアーキテクチャを示す図である。
【図２】本開示の実施形態に係るコンピューティングエンティティを示す例示的な概略図である。
【図３】本開示の実施形態に係る例示的な遠隔装置を示す概略図である。
【図４Ａ】本開示の実施形態に係る、地理的に分散したデータ格納を管理するための例示的な信号送信フローを示す図である。
【図４Ｂ】本開示の実施形態に係る、地理的に分散したデータ格納を管理するための例示的なデータフローを示す図である。
【図５Ａ】本開示の実施形態に係る、地理的に分散したデータ格納を取得するための例示的な信号送信フローを示す図である。
【図５Ｂ】本開示の実施形態に係る、地理的に分散したデータ格納を取得するための例示的なデータフローを示す図である。
【図６】本開示の実施形態に係る、地理的領域に関連付けられた検索インデックスを生成するための例示的なデータフローを示す図である。
【図７】本開示の実施形態に係る、格納された検索インデックスを利用して検索リクエストを処理するための例示的なデータフローを示す図である。
【図８】本開示の実施形態に係る、検索インデックス生成のために実行される例示的な動作を示す図である。
【図９】本開示の実施形態に係る、検索インデックス生成のために実行される例示的な動作を示す図である。
【図１０】本開示の実施形態に係る、検索インデックス生成のために実行される例示的な動作を示す図である。
【図１１】本開示の実施形態に係る、検索インデックス生成のために実行される例示的な動作を示す図である。
【図１２】本開示の実施形態に係る、検索インデックス生成のために実行される例示的な動作を示す図である。
【図１３】本開示の実施形態に係る、検索インデックス生成のために実行される例示的な動作を示す図である。
【図１４】本開示の実施形態に係る、検索インデックスを利用するための例示的な動作を示す図である。
【図１５】本開示の実施形態に係る、検索インデックスを利用するための例示的な動作を示す図である。
【発明を実施するための形態】
【００６２】
詳細な説明
以下、本開示の実施形態を、本開示のすべてではないがいくつかの実施形態が示されている添付の図面を参照して、より完全に説明する。実際、本開示の実施形態は、多くの異なる形態で具現化することができ、本明細書に記載の実施形態に限定されると解釈されるべきではない。これらの実施形態は、本開示が、適用される法的要件を満たすようにするために提供される。全体を通して、同じ番号は同じ要素を指す。
【００６３】
概要
本開示の様々な実施形態は、一般に、グループベースの通信システムにおけるメッセージデータの送信及びアクセスを管理するためのプロトコルに関する。
【００６４】
いくつかの実施形態では、常駐トークンデータは、規定された地理的境界を越えて送信されるグループベースの通信メッセージ内のメッセージデータの置換として生成される。この常駐トークンデータを使用して、規定された地理的境界内に位置するローカルデータベースに関連付けられたローカルデータベースアドレスからメッセージデータを取得し、例えば、受信クライアントデバイスにメッセージデータを提供することができる。
【００６５】
他の実施形態では、グループベースの通信メッセージは、常駐トークンデータ及びメッセージデータを含むように構成されている。このメッセージデータは、暗号化されたメッセージデータを含んでいてもよい。暗号化されたメッセージデータを復号する復号キーを格納するために、規定された地理的境界内に位置するローカルデータベースに関連付けられた第２のローカルデータベースアドレスへの参照として、第２の常駐トークンデータを生成して使用できる。そのような実施形態では、規定された地理的境界を越えて送信されるグループベースの通信メッセージは、常駐トークンデータ、第２の常駐トークンデータ、及び暗号化されたメッセージデータを含むメッセージデータを含んでいる。
【００６６】
規定された地理的境界の外側に位置するグループベースの通信サーバによって、１つ以上の復号キーを取得できる。この１つ以上の復号キーは、規定された地理的境界内にあるローカルデータベースから取得され、暗号化されたメッセージデータを読み取り可能な形式に復号するために使用される。グループベースの通信システムは、復号されたメッセージデータを含むレンダリング可能なグループベースの通信メッセージを生成するように構成され、このレンダリング可能なグループベースの通信メッセージを、レンダリングのためにクライアントデバイスに送信できる。
【００６７】
追加又は代替として、本開示の様々な実施形態は、一般に、いくつかの地理的境界を越えて分散したデータに関連付けられた検索インデックスを生成、格納、及び／又は使用するためのプロトコルに関する。この検索インデックス、及び／又はグループベースのメッセージに関連付けられたメッセージデータは、地理的データ常駐ローカルリポジトリと通信する地理的データ常駐サーバによって維持されてもよい。いくつかの実施形態では、地理的データ常駐サーバ及び／又は地理的データ常駐ローカルリポジトリは、特定の地理的領域に位置している。複数の地理的データ常駐サーバ及び／又は地理的データ常駐ローカルリポジトリが様々な地理的領域に分散しており、各地理的データ常駐サーバは、その地理的領域において１つ以上の地理的データ常駐ローカルリポジトリを管理するように構成されている。
【００６８】
いくつかの実施形態では、１つ以上の地理的データ常駐ローカルリポジトリは、異なる地理的領域に位置する少なくとも１つの他の地理的データ常駐ローカルリポジトリによって格納される１つ以上のグループベースのメッセージに関連付けられたメッセージメタデータ及び／又は常駐トークンデータを格納している。地理的データ常駐サーバは、対応するグループベースのメッセージのメッセージデータを取得するために、常駐トークンデータを、単独で、又は、関連する地理的データ常駐ローカルサーバに格納された他のメッセージメタデータと組み合わせて、利用できる。各地理的データ常駐サーバは、将来受信する検索リクエストの処理で使用する検索インデックスを生成及び／又は格納するために、１つの地理的データ常駐ローカルリポジトリ、及び／又は１つ以上の分散した地理的データ常駐サーバを介した１つ以上の地理的データ常駐ローカルリポジトリと通信できる。
【００６９】
定義
いくつかの実施形態では、前記の動作のいくつかは変更されるか、又は更に拡張される場合がある。更に、いくつかの実施形態では、追加のオプションの動作が含まれてもよい。前記の操作に対する変更、拡張、又は追加は、任意の順序及び任意の組み合わせで行ってもよい。
【００７０】
本明細書に記載される本開示の多くの修正及び他の実施形態は、前述の説明及び関連する図面の開示によって利益を得る、これらの発明に関係する当業者が、想到するであろう。従って、本発明は開示された特定の実施形態に限定されるものではなく、変更された他の実施形態は特許請求の範囲に含まれることを理解されたい。更に、前述の説明及び関連する図面は、要素及び／又は機能の特定の例示的な組み合わせの文脈で、例示的な実施形態を説明しているが、要素及び／又は機能の異なる組み合わせが、特許請求の範囲から逸脱することなく、代替の実施形態によって提供できることを理解されたい。これに関して、例えば、特許請求の範囲のいくつかの請求項に記載されているように、前述で明示されたものとは異なる要素及び／又は機能の組み合わせも考えられる。ここでは特定の用語が使用されるが、それらは一般的かつ説明的な意味でのみ使用されており、限定の目的ではない。
【００７１】
本明細書では、「データ」、「コンテンツ」、「デジタルコンテンツ」、「デジタルコンテンツオブジェクト」、「情報」、及びこれらに類似する用語は、本開示の実施形態に従って、送信、受信、及び／又は格納ができるデータを言及するために、交換可能に使用される。従って、そのような用語の使用は、本開示の実施形態の思想及び範囲を限定するものと解釈されるべきではない。更に、別のコンピューティングデバイスからデータを受信するためのコンピューティングデバイスが本明細書で説明される場合、データは他のコンピューティングデバイスから直接受信されるか、又は、例えば１つ以上の中間コンピューティングデバイス（１つ以上のサーバ、リレー、ルータ、ネットワークアクセスポイント、基地局、ホストなどであり、本明細書では「ネットワーク」と呼ぶ場合がある。）を介して間接的に受信されることを理解されたい。同様に、データを別のコンピューティングデバイスに送信するためのコンピューティングデバイスが本明細書で説明される場合、データは別のコンピューティングデバイスに直接送信されるか、又は１つ以上のサーバ、リレー、ルータ、ネットワークアクセスポイント、基地局、ホストなどの、１つ以上の中間コンピューティングデバイスを介して間接的に送信されることを理解されたい。
【００７２】
「グループベース」は、本明細書では、決まったユーザグループのみがアクセスできるように十分なセキュリティを備えたシステム、チャネル、メッセージ、又は仮想環境を指すために使用される。そのグループは、組織や営利企業などの共通のアクセス資格情報によって定義できる。更に、アクセスは、参加するための認証済みリクエスト、又は、グループへのアクセスを許可された１人のユーザからグループへのアクセスを許可されていない別のエンティティへの招待によって円滑に進めることができる。グループ識別子は、データ、情報、メッセージなどを特定のグループに関連付けるために使用される。
【００７３】
「グループベースの通信システム」という用語は、複数のグループベースの通信インターフェース及びすべての関連機能をサポート及び管理するように構成された通信ソフトウェアプラットフォーム並びに関連ハードウェアを指す。グループベースの通信システムユーザは、組織グループに編成され（例えば、異なる会社の従業員は別々の組織グループである場合がある）、各グループはそれぞれのグループベースの通信インターフェースを介してシステムとインタラクションする。例えば、グループベースの通信システムは、特に、Ｓｌａｃｋ  Ｃｏｒｐｏｒａｔｉｏｎのグループベースの通信インターフェース及びＡＣＭＥ  Ｃｏｒｐｏｒａｔｉｏｎのグループベースの通信インターフェースをサポートする場合がある。
【００７４】
「グループベースの通信サーバ」という用語は、グループベースの通信システムの様々なグループベースの通信インターフェースへのアクセスを管理するように構成されたソフトウェアプラットフォーム及び関連するハードウェアを指す。グループベースの通信サーバは、グループベースの通信システムのアプリケーション製品論理回路に対して、アクセスし、管理し、及びサポートし、グループベースの通信リポジトリなどの１つ以上のデータリポジトリにアクセスするように構成されている。グループベースの通信リポジトリには、１つ以上の地理的データ常駐ローカルリポジトリが含まれていてもよい。グループベースの通信サーバには、異なる地理的領域にあるいくつかの地理的データ常駐サーバが含まれていてもよい。
【００７５】
「グループベースの通信インターフェース」という用語は、グループベースの通信システムとのユーザのインタラクションを容易にするように構成された仮想通信環境を指す。各グループベースの通信インターフェースは、ビジネス又は組織の従業員グループなどの、選択したユーザグループがアクセス及び閲覧できる（例えば、Ｓｌａｃｋ  ＣｏｒｐｏｒａｔｉｏｎインターフェースはＳｌａｃｋ従業員がアクセス及び閲覧できるが、ＡＣＭＥ  Ｃｏｒｐｏｒａｔｉｏｎグループベースの通信インターフェースは、Ｓｌａｃｋの従業員はアクセス及び閲覧できない）。グループベースの通信インターフェースは、以下に定義される複数のグループベースの通信チャネル（例えば、マーケティングチャネル、販売チャネル、会計チャネルなど）を含んでいる。
【００７６】
「グループベースの通信チャネル」という用語は、チャネルメンバ（例えば、クライアントデバイスを使用して環境にアクセスする認証済みユーザ）によって投稿された、グループのメンバにのみ閲覧可能なメッセージング通信を表示するように構成された仮想通信環境又はフィードを指す。このグループベースの通信チャネルのフォーマットは、グループベースの通信チャネルのメンバごとに異なっていてもよい。しかし、グループベースの通信チャネルのコンテンツ（つまり、メッセージング通信）は、グループベースの通信チャネルの各メンバに表示される。例えば、グループベースのメッセージング通信の共通セットは、グループベースの通信チャネルのコンテンツ（つまり、メッセージング通信）がメッセージのメンバごとに変化しないように、それぞれのグループベースの通信チャネルの各メンバに表示される。
【００７７】
いくつかの実施形態では、１つのグループベースの通信チャネルは、１つ以上の組織識別子に関連付けられていてもよい。１つ以上の組織識別子に関連付けられたグループベースの通信チャネルは、「共通のグループベースの通信チャネル」である。
【００７８】
「グループベースの通信チャネル識別子」又は「チャネル識別子」という用語は、グループベースの通信システムによってグループベースの通信チャネルを一意的に識別できる、１つ以上のデータ項目を指す。例えば、グループベースの通信チャネル識別子は、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）テキスト、ポインタ、メモリアドレスなどを含んでいてもよい。共通のグループベースの通信チャネルに関連付けられたグループベースの通信チャネル識別子は、「共通のグループベースの通信チャネル識別子」である。
【００７９】
「グループ識別子」又は「チーム識別子」という用語は、グループベースの通信システム内のグループを一意的に識別できる１以上のデータ項目を指す。例えば、グループ識別子は、ＡＳＣＩＩテキスト、ポインタ、メモリアドレスなどを含んでいてもよい。例えば、スラックコーポレーション（Ｓｌａｃｋ  Ｃｏｒｐｏｒａｔｉｏｎ）ワークスペースのメンバユーザ（つまり、グループベースの通信インターフェース）に関連付けられたグループ識別子は、１０４３５６７２１である。
【００８０】
グループベースの通信システムのユーザは組織グループに編成され（例えば、各会社の従業員は別個の組織グループであってもよい）、各組織グループは、ユーザが割り当てられ得る又はユーザが参加できる、１つ以上のグループベースの通信チャネル（以下で説明）を有していてもよい（例えば、グループベースの通信チャネルは、部門、オフィスなどの地理的位置、製品ライン、ユーザの関心、トピック、問題などを表していてもよい）。グループ識別子は、メッセージのアクセス制御を容易にするために使用される（例えば、検索クエリへの応答として検索結果の一部としてこのメッセージを返すなど、このメッセージへのアクセスは、ユーザプロファイルが関連するグループ識別子を有するユーザに制限されていてもよい）。このグループ識別子は、メッセージのコンテキストを判定するために使用してもよい（例えば、組織の名前及び／又は簡単な説明など、グループの説明をグループ識別子に関連付けてもよい）。
【００８１】
グループベースの通信システムのユーザは、グループベースの通信チャネルに参加できる。いくつかのグループベースの通信チャネルは、ユーザプロファイルに関連付けられた特定の組織グループ識別子を有するユーザ（つまり、組織のメンバであるユーザ）がグローバルにアクセス可能であってもよい。一部のグループベースの通信チャネルへのアクセスは、指定されたグループのメンバに制限されていてもよい。これにより、ユーザプロファイルに関連付けられた特定のグループ識別子を有するユーザはグループベースの通信チャネルにアクセス可能である。このグループベースの通信チャネル識別子は、メッセージのアクセス制御を容易にするために使用してもよい（例えば、検索クエリへの応答として検索結果の一部としてメッセージを返すなど、メッセージへのアクセスは、ユーザプロファイルに関連付けられたグループベースの通信チャネル識別子を有するユーザ、又はグループベースの通信チャネルに参加できるユーザに制限されていてもよい）。グループベースの通信チャネル識別子は、このメッセージのコンテキストを判定するために使用してもよい（例えば、グループベースの通信チャネルで議論されたプロジェクトの説明など、グループベースの通信チャネルの説明は、グループベースの通信チャネル識別子に関連付けられていてもよい）。
【００８２】
本明細書で使用される「グループベースの通信メッセージ」、「グループベースのメッセージ」、及び「メッセージ」という用語は、クライアントデバイスを使用するユーザによって提供され且つグループベースの通信チャネルにおいて表示用に構成された、電子的に生成されたあらゆるデバイスレンダリングオブジェクトを指す。グループベースの通信メッセージは、ユーザが（クライアントデバイスを使用して）提供するテキスト、ファイル、画像、動画、オーディオ、又はそれらの組み合わせを含んでいる。例えば、ユーザは、メッセージの内容としてグループベースのメッセージ内にテキスト、画像、及び動画を含むグループベースのメッセージを提供してもよい。このような場合、そのテキスト、画像、及び動画が、グループベースのメッセージ又はデバイスレンダリングオブジェクトを構成する。グループベースの通信システムのグループベースの通信チャネルに送信又は投稿される各メッセージは、送信ユーザ識別子、メッセージ識別子、メッセージの内容、グループ識別子、及びグループベースの通信チャネル識別子を含むメタデータを含んでいる。前述の識別子の各々は、ＡＳＣＩＩテキスト、ポインタ、メモリアドレスなどを含んでいてもよい。いくつかの実施形態では、ユーザは、アプリケーションプログラミングインターフェース（ＡＰＩ）を介してファイルをアップロードすることによりグループベースのメッセージを提供してもよく、そのファイルはグループベースの通信チャネルにおいてレンダリング可能となり得る。
【００８３】
「送信ユーザ識別子」は、特定のユーザ（すなわち、その特定のユーザに関連付けられたクライアントデバイス）によって送信されるメッセージの集合に関連付けられている。これらのメッセージは、解析してユーザに関するコンテキストを判定してもよい（例えば、あるトピックに関するユーザの専門知識や関心を、そのメッセージ内のトピック又はトピックに関連するキーワードについて言及する頻度に基づき判定してもよい）。いくつかの実施形態では、送信ユーザ識別子は、作成者識別子として使用されてもよい。
【００８４】
「作成者識別子」は、ユーザアカウント識別子、組織識別子、又は他のエンティティ識別子に関連付けられたクライアントデバイスによって開始された１つ以上のメッセージに関連付けられている。いくつかの実施形態では、この作成者識別子はユーザ識別子の形態をとってもよく、送信ユーザ識別子を作成者識別子として使用してもよい。いくつかの実施形態では、この作成者識別子は組織識別子の形態をとってもよい。いくつかの実施形態では、この作成者識別子は、別のエンティティ識別子の形態をとってもよい。
【００８５】
この「エンティティ」という用語は、１人のユーザやグループベースの通信チャネル若しくはワークスペースへのアクセス権を有するユーザなどのサブセットのユーザなど、１人以上のユーザ又は組織を含む実体を指す。ユーザ識別子、組織識別子、又はサブセットのユーザに関連付けられた他の識別子の形態をとり得るエンティティ識別子は、グループベースの通信チャネル識別子又はワークスペース識別子などのエンティティを一意的に識別してもよい。
【００８６】
「受信者識別子」という用語は、ユーザ識別子、組織識別子、又はメッセージの受信者に関連付けられた他の識別子の集合を指す。いくつかの実施形態では、あるチャネル識別子に関連付けられたメッセージの受信者識別子は、このチャネル識別子に関連付けられたユーザ識別子及び／又は組織識別子の１つ以上である。
【００８７】
「メッセージ」という用語は、グループベースの通信システム内のメッセージテキストデータ及び／又はメッセージファイルデータを含むグループベースの通信メッセージのクライアントデバイスから受信した電子メッセージを指す。メッセージリクエストは、クライアントデバイスを介したユーザ入力に基づき電子的に生成されたメッセージデータ及びメッセージメタデータを含んでいてもよい。
【００８８】
「更新されたメッセージ」という用語は、メッセージに組み込まれた１つ以上のメッセージデータオブジェクトを常駐トークンデータで置換した「メッセージ」を指す。例えば、更新されたメッセージは、その更新されたメッセージが常駐トークンデータ、メッセージメタデータ、及びメッセージ識別子を含むように、メッセージからのメッセージデータのすべて又はサブセットを常駐トークンデータで置き換えることにより、作成してもよい。他の実施形態では、更新されたメッセージは、その更新されたメッセージが常駐トークンデータ、メッセージデータオブジェクト、及びメッセージ識別子を含むように、メッセージメタデータのすべて又はサブセットを常駐トークンデータで置き換えることにより、作成してもよい。本開示の範囲から逸脱することなく、メッセージデータのすべて又はサブセットとメタデータのすべて又はサブセットとの組み合わせを常駐トークンデータで置き換えてもよいことが理解されよう。
【００８９】
「ユーザ」という用語は、個人、個人のグループ、ビジネス、組織などを指すと理解されるべきである。ここで言及されるユーザは、クライアントデバイスを使用してグループベースの通信又はメッセージングシステムにアクセスしている。
【００９０】
「ユーザプロファイル」、「ユーザアカウント」、及び「ユーザアカウントの詳細」という用語は、例えば、ユーザ識別子、ユーザがアクセスを許可されたグループベースの通信チャネルに関連付けられた１つ以上のグループベースの通信チャネル識別子、ユーザが関連するグループの１つ以上のグループ識別子、ユーザが関連する組織の１つ以上の組織識別子、ユーザプロファイルに関連付けられたクライアントデバイスがそれぞれの１つ以上の第三者パーティへのアクセスを許可されているかどうかを示す、１つ以上の第三者パーティのリソースプロバイダ識別子、ユーザがグループベースの通信チャネルの所有者であるかどうかの表示、ユーザがグループベースの通信チャネル制限を有しているかどうかの表示、複数のメッセージ、絵文字、複数の会話、複数の会話トピック、アバター、メールアドレス、実名（Ｊｏｈｎ  Ｄｏｅなど）、ユーザ名（ｊｄｏｅなど）、パスワード、実名、タイムゾーン、ステータスなどを含む、ユーザに関連付けられた情報を指す。ユーザアカウントの詳細は、例えば、ユーザのユーザ名及びパスワードを含むユーザのログイン情報など、ユーザ資格情報のサブセット指定を含んでいてもよい。
【００９１】
「グループベースの通信リポジトリ」という用語は、グループベースの通信システムによってデータが永続的に格納、アクセス、変更、及び管理されるクライアントデバイスの外部の場所を指す。この格納されたデータは、グループベースの通信システムの運用を容易にする情報を含んでいる。このグループベースの通信リポジトリは、１つ以上のデータ格納デバイス若しくはデバイス、１つ以上の個別のデータベースサーバ、又はデータ格納デバイスと個別のデータベースサーバとの組み合わせとして具現化されていてもよい。更に、いくつかの実施形態では、このグループベースの通信リポジトリは、いくつかの格納データがグループベースの通信システム内の場所に集中的に格納され、他のデータが単一の遠隔地又は複数の遠隔地に格納されるように、分散したリポジトリとして具現化されていてもよい。或いはこれに代えて、いくつかの実施形態では、このグループベースの通信リポジトリは、複数の遠隔の格納場所のみに分散していてもよい。いくつかの実施形態では、このグループベースの通信リポジトリは、異なる地理的領域に位置する１つ以上の地理的データ常駐ローカルリポジトリを含んでいてもよい。
【００９２】
「グループベースの通信インターフェース」という用語は、ユーザとグループベースの通信システムとのインタラクションを容易するように構成された仮想通信環境を指す。各グループベースの通信インターフェースは、ビジネス又は組織の従業員グループなどのユーザの選択グループがアクセス及び表示可能である（例えば、Ｓｌａｃｋ  Ｃｏｒｐ．インターフェースはＳｌａｃｋ従業員がアクセス及び表示可能であるが、ＡＣＭＥ  Ｃｏｒｐｏｒａｔｉｏｎグループベースの通信インターフェースは、Ｓｌａｃｋの従業員はアクセス及び表示不可能である）。このグループベースの通信インターフェースは、以下で定義される複数のグループベースの通信チャネル（例えば、マーケティングチャネル、販売チャネル、会計チャネルなど）を含んでいる。いくつかの実施形態では、異なる組織（例えば、Ｓｌａｃｋ  Ｃｏｒｐ．及びＡＣＭＥ  Ｃｏｒｐｏｒａｔｉｏｎ）のユーザは、組織間通信を容易にするために、グループベースの通信インターフェースにより、１つ以上の共通のグループベースの通信チャネルなどの特定のグループベースの通信チャネルにアクセスし、これを介して通信し、及び／又はこれを表示できるようになる。
【００９３】
「地理的データ格納ポリシー」、「地理的データセキュリティポリシー」、「データ格納ポリシー」、「データ常駐ポリシー」、及び「データセキュリティポリシー」という用語は、特定のデータを永続的に格納できる（すなわち、短期の格納ではない）物理的な場所を管理するポリシーを指す。例えば、地理的データ格納ポリシーは、多くの場合国際的に転送される（通常、情報がどのように使用されるかをユーザに通知し、同意を得るなど、地域のプライバシー保護法又はデータ保護法を満たした後に転送される）より前に、国民若しくは居住者に属し又はそれらに関するデータを、その国内で収集し、処理し、及び／又は保存することを求める法律に準拠していてもよい。更に、地理的データ格納ポリシーは、国民若しくは居住者に属し又はそれらに関する記録が、個人又は金融データ処理法に従うことを要求してもよい。データの局所化は、最初の収集、処理、及び格納が最初に国境内で発生することを要求するステップに更に進む。場合によっては、国民又は居住者に関するデータは、データ主体の国のシステムから削除する前に、外国のシステムから削除する必要もある。従って、いくつかの実施形態では、地理的データ格納ポリシーは、特定の地理的境界に関連する法的データ格納要件に関連付けられている（例えば、アジア、西ヨーロッパ、北米、米国、ドイツ、インド、中国、日本、ヨーロッパ、フランスなど）。
【００９４】
「地理的領域」という用語は、サーバ、リポジトリ、及び／又は他のコンピューティングハードウェアが物理的に位置する物理的領域を指す。地理的領域は、特定の地理的領域を囲む地域境界を指す「地理的境界」によって規定される。一部の事例では、地理的領域は、物理的な国境によって規定された国を指す。いくつかの実施形態では、地理的領域を規定する地理的境界は、囲まれた領域を規定する様々な位置マーカ（例えば、ＧＰＳ座標、緯度及び経度座標など）を含んでいる。様々なレベルの細かさで様々な地理的領域を構築できることを理解されたい。地理的領域の非限定的な例は、少なくとも地理的データ常駐サーバ及び地理的データ常駐ローカルリポジトリなどのコンピューティングデバイスが物理的に位置する様々な都市、州、及び／又は国を含んでいる。コンテキストの一例では、地理的データ領域は、フランクフルト、パリ、ロンドン、東京、米国、及びカナダを含むが、これらに限定されない。いくつかの実施形態では、グループベースの通信システムによってアクセス可能な地理的領域は、地理的境界内の物理的及び／又は仮想的コンピューティングデバイスへのアクセスを可能にするクラウドサービス及び／又は他の遠隔コンピューティングサービスを介してアクセス可能なコンピューティングデバイスに基づき規定される。
【００９５】
地理的データ格納ポリシーは、１つ以上の地理的領域を識別するように構成されていてもよい。「主要な地理的領域」という用語は、地理的データ格納ポリシーにおいて識別されるエンティティに関連付けられたメッセージデータ及び／又はメタデータを格納するための地理的領域として、この地理的データ格納ポリシーの中で識別される地理的領域を指す。これに関して、いくつかの実施形態は、主要な地理的領域におけるコンピューティングデバイスにアクセス可能な状況では、この主要な地理的領域に位置するコンピューティングデバイスに、エンティティに関連付けられたメッセージデータ及び／又は関連するメタデータを格納するように構成されている。
【００９６】
「バックアップ地理的領域」という用語は、地理的データ格納ポリシーにおいて識別されるエンティティに関連付けられたメッセージデータ及び／又はメタデータを格納するための一時的及び／又は第２の地理的領域として地理的データ格納ポリシーの中で識別される第２の地理的領域を指す。これに関して、いくつかの実施形態は、主要な地理的領域におけるコンピューティングデバイスにアクセス可能な状況では、このバックアップ地理的領域に位置するコンピューティングデバイスに、エンティティに関連付けられたメッセージデータ及び／又は関連付けられたメタデータを格納するように構成されている。いくつかの実施形態では、各主要な地理的領域は、地理的データ格納ポリシーを生成し及び／又は編集するときに、対応するエンティティの管理者ユーザアカウントによる選択が可能なバックアップ地理的領域の所定のリストにリンクしている。
【００９７】
「アクセス不可」という用語は、コンピューティングデバイスに関して使用される場合、第１のコンピューティングデバイスが、第２のコンピューティングデバイスに、正常に、１つ以上のリクエスト、送信、及び／若しくは他のデータの処理及び／若しくは通信ができない、並びに／或いは、第２のコンピューティングデバイスから、正常に、１つ以上のリクエスト、応答、送信、及び／若しくは他のデータを受信及び／若しくは処理ができない、第１のコンピューティングデバイスと第２のコンピューティングデバイスとの間の通信状態を指す。いくつかの実施形態では、コンピューティングデバイスは、例えばこの第２のコンピューティングデバイスへの試行送信が送信タイムアウトとなるなど、エラー応答を受信することにより他のコンピューティングデバイスにアクセスできないと判定するように構成されている。いくつかの実施形態では、コンピューティングデバイスは、１つ以上の関連するコンピューティングデバイス及び／又はサブシステムがアクセス不可のままである場合、他のコンピューティングデバイスにエラー応答を送信するように構成されている。例えば、地理的領域における地理的データ常駐ローカルリポジトリにアクセスできないが、対応する地理的データ常駐サーバが通信を受信できるという状況では、この地理的データ常駐サーバは、この地理的データ常駐サーバがアクセス不可であることを示すエラー応答を送信するように構成されていてもよい。コンピューティングデバイスは、例えば通信ネットワークの欠陥や悪天候などの一時的な事情のために、一時的にアクセス不可となる場合がある。コンピューティングデバイスは、例えばコンピューティングデバイスが破壊され、及び／又はその中のデータに永久にアクセス不可となる状況で、永久にアクセスできなくなる場合がある。同様に、「アクセス可能」という用語は、コンピューティングデバイスに関して使用される場合、第１のコンピューティングデバイスが第２のコンピューティングデバイスと正常に通信でき、並びに／又は、第２のコンピューティングデバイスへの１以上のリクエスト、送信、及び／若しくは他のデータ通信を正常に完了でき、並びに／又は、第２のコンピューティングデバイスからの１つ以上のリクエスト、応答、送信、及び／若しくは他のデータの受信、処理を正常に完了できる状態を指す。
【００９８】
「地理的データ常駐ローカルリポジトリ」という用語は、特定の地理的領域に位置し、グループベースの通信システム機能に関連する様々なデータを格納するように構成されたコンピューティングハードウェアを指す。いくつかの実施形態では、地理的データ常駐ローカルリポジトリは、少なくともメッセージメタデータセット、メッセージデータセット、常駐トークンデータセット、検索インデックスセット、データ暗号化キーセット、エンティティ検索キーセット、又はそれらの任意の組み合わせを格納するように構成されている。いくつかの実施形態では、この地理的データ常駐ローカルデータリポジトリは、この地理的データ常駐ローカルリポジトリが物理的に位置する地理的領域に関連付けられた１つ以上のエンティティ（例えば、組織、グループベースの通信ワークスペース、又はグループベースの通信ユーザ）のデータを格納するように構成されている。例えば、いくつかの実施形態では、エンティティは、このエンティティに関連付けられたデータを格納するための特定の地理的領域を識別する特定のデータ常駐ポリシーデータオブジェクトに関連付けられている。そのようなリポジトリに格納したデータは、地理的データ常駐ローカルリポジトリアドレスに関連付けられていてもよい。「バックアップ地理的データ常駐ローカルリポジトリ」という用語は、特定の地理的データ格納ポリシーのためのバックアップ地理的領域に物理的に位置する地理的データ常駐ローカルリポジトリを指す。いくつかのそのような実施形態では、特定の地理的データ格納ポリシーのための主要な地理的領域における地理的データ常駐ローカルリポジトリにアクセスできない場合、データはバックアップ地理的データ常駐ローカルリポジトリに格納される。
【００９９】
「メッセージ行」という用語は、数値、カテゴリ、及び／又はテキスト識別子によって識別される、地理的データ常駐ローカルリポジトリ内の所定位置に位置する１つ以上のデータ列を指す。いくつかの実施形態では、メッセージ行は、常駐トークンデータオブジェクトを特定のグループベースのメッセージに対応するメッセージ行を取得し及び／又は識別するために使用できるように、その常駐トークンデータオブジェクトに対応している。いくつかの実施形態では、特定のグループベースのメッセージに対応するメッセージ行の１つ以上の列は、グループベースのメッセージのためのメッセージデータオブジェクトを定義する。
【０１００】
「地理的データ常駐サーバ」という用語は、特定の地理的領域に位置し、１つ以上の他のコンピューティングシステム、コンピューティングデバイス、及び／又は他のコンピューティングハードウェアとの通信用に構成されているコンピューティングハードウェアを指す。いくつかの実施形態では、地理的データ常駐サーバは、１つ以上のネットワークを介して通信するように構成されている。いくつかの実施形態では、地理的データ常駐サーバは、例えば、地理的データ常駐ローカルリポジトリを介してデータを格納し、データを取得し、及び／又はデータを管理するために、同じ地理的領域における少なくとも１つの地理的データ常駐ローカルリポジトリと通信するように構成されている。いくつかの実施形態では、地理的データ常駐サーバは、複数のサブサーバ及び／又は分散クラウドサーバーを含んでいる。「バックアップ地理的データ常駐サーバ」という用語は、特定の地理的データ格納ポリシーのためのバックアップ地理的領域に物理的に位置する地理的データ常駐サーバを指す。いくつかのそのような実施形態では、バックアップ地理的データ常駐サーバは、特定の地理的データ格納ポリシーのための主要な地理的領域における地理的データ常駐サーバ及び／又は地理的データ常駐ローカルリポジトリがアクセス不可であるときに、対応するバックアップ地理的データ常駐ローカルリポジトリと、そのバックアップ地理的データ常駐ローカルリポジトリに格納するために、通信する。
【０１０１】
「常駐トークンデータオブジェクト」及び「常駐トークンデータ」という用語は、第２の地理的領域に関連付けられた第２の地理的データ常駐ローカルリポジトリに格納された特定のグループベースのメッセージのためのメッセージデータオブジェクトを参照する、第１の地理的領域に位置する第１の地理的データ常駐ローカルリポジトリによって格納された電子的に管理されたデータを指す。
【０１０２】
いくつかの実施形態では、常駐トークンデータオブジェクトは、この常駐トークンデータオブジェクトに対応するメッセージデータオブジェクトを取得するために、地理的データ常駐ローカルリポジトリに提供される。地理的データ常駐ローカルリポジトリは、０個以上の常駐トークンデータオブジェクトを具現化するデータオブジェクトを指す「常駐トークンデータセット」を含んでいてもよい。いくつかの実施形態では、常駐トークンデータオブジェクトは、メッセージ識別子（時間制限されたユニバーサルユニーク識別子（ＵＵＩＤ）や、ランダムに生成されたＵＵＩＤなどを含むが、これらに限定されない）、格納場所識別子、及びメッセージ暗号化キーを含んでいる。
【０１０３】
「バックアップ常駐トークンデータオブジェクト」及び「バックアップ常駐トークンデータ」という用語は、特定の地理的データ格納ポリシーのためのバックアップ地理的領域にあるバックアップ地理的データ常駐ローカルリポジトリに格納されているデータを識別する常駐トークンデータオブジェクトを指す。いくつかの実施形態では、バックアップ常駐トークンデータは、データが格納されている現在の地理的領域がバックアップ地理的領域であることを示すデータを含んでいる。
【０１０４】
「組織識別子」という用語は、グループベースの通信システムにおける組織エンティティ（例えば、各企業の従業員が別個の組織／ビジネスであってもよい）を識別できる１つ以上のデータ項目を指す。例えば、組織識別子は、ＡＳＣＩＩテキスト、数字などを含んでいてもよい。
【０１０５】
「メッセージ識別子」という用語は、グループベースの通信システムを介して送信される特定のグループベースのメッセージを一意的に示す電子的に管理されたデータを指す。いくつかのそのような実施形態では、メッセージ識別子は、特定のエンコーディング（例えば、ＡＳＣＩＩテキスト、Ｕｎｉｃｏｄｅテキストなど）の少なくとも最小数の文字を含むユニバーサルユニーク識別子（ＵＵＩＤ）を含んでいる。いくつかの実施形態では、メッセージ識別子は、グループベースのメッセージがグループベースの通信システムによって受信された時刻を表すタイムスタンプに基づき時系列に並べられたＵＵＩＤである。
【０１０６】
「メッセージメタデータデータオブジェクト」という用語は、特定のグループベースのメッセージに関連する情報及び／又はデータを指し、対応するグループベースのメッセージ若しくは関連するメッセージデータを識別し、位置特定し、及び／又は取得するために使用される。いくつかの実施形態では、メッセージメタデータデータオブジェクトは、ユーザが明示的に入力する情報及び／又はデータなしでグループベースの通信システムによって識別され及び／又は判定されるデータを含む情報及び／又はデータを含んでいる。いくつかの例示的な実施形態では、メッセージメタデータデータオブジェクトは、チーム識別子、チャネル識別子、作成者識別子、言及識別子セット、タイムスタンプ、本明細書で定義されるあらゆる形式のエンティティ識別子、又はそれらの任意の組み合わせを含むが、これらに限定されない。いくつかの実施形態では、メッセージメタデータデータオブジェクトは、対応するグループベースのメッセージを識別し、位置特定し、及び／又は取得するためにグループベースの通信システムによって生成されたデータを含んでいる。例えば、いくつかの実施形態では、メッセージメタデータデータオブジェクトは、他の地理的領域に物理的に位置する地理的データ常駐ローカルリポジトリから関連するメッセージデータを識別し、特位置定し、及び／又は取得する常駐トークンデータオブジェクトを含んでいる。「メッセージメタデータセット」又は「メッセージメタデータ」という用語は、各々がグループベースのメッセージに関連付けられた１つ以上のメッセージメタデータデータオブジェクトを指す。
【０１０７】
「メッセージデータ」という用語は、１つ以上のメッセージデータオブジェクトの集合を指す。この「メッセージデータオブジェクト」という用語は、グループベースのメッセージに関連付けられた実質的なコンテンツを含む電子的に管理されたデータを指す。メッセージデータオブジェクトの例は、メッセージテキストデータ、メッセージファイルデータ、メッセージ画像データ、メッセージビデオデータ、メッセージオーディオデータ、又はそれらのあらゆる組み合わせを含むが、これらに限定されない。いくつかの実施形態では、特定のグループベースのメッセージに関連付けられたメッセージデータオブジェクトは、グループベースのメッセージのためのメッセージメタデータデータオブジェクトの特定のデータに基づき特定の地理的データ常駐ローカルリポジトリに格納されている。
【０１０８】
「メッセージファイルデータ」という用語は、１つ以上のファイルデータオブジェクトの集合を指す。「ファイルデータオブジェクト」という用語は、グループベースの通信システムによって管理されるデータのパッケージを含む電子的に管理されるデータを指す。
いくつかの実施形態では、ファイルデータオブジェクトは、グループベースの通信システムの外部リソースによって管理される、及び／又は外部リソースを介してアクセス可能なデータを含んでいる。追加又は代替として、いくつかの実施形態では、ファイルデータオブジェクトは、第三者パーティのアプリケーション（a third-party application）によって管理される、及び／又は第三者パーティのアプリケーションを介してアクセス可能なデータを含んでいる。いくつかの実施形態では、グループベースのメッセージは、メッセージデータの一部としてメッセージファイルデータを含んでいる。いくつかのそのような実施形態では、グループベースのメッセージは、例えば、グループベースのメッセージにおいて提供されるテキスト、画像、ビデオ、及び／若しくはオーディオデータに加え、又は、これらの代替として、他のメッセージデータ及び／若しくはメッセージメタデータに添付されたファイルデータを含んでいる。いくつかの実施形態では、メッセージファイルデータは、ＡＰＩを介してアップロードされたユーザ識別子に関連付けられたファイルであってもよく、このファイルはグループベースの通信チャネルにおいてレンダリング可能であってもよい。
【０１０９】
「地理的データ常駐メッセージパッケージ」という用語は、１つ以上のデータ構造の電子送信を指し、この１つ以上のデータ構造は、メッセージ識別子、組織識別子、及び１つ以上のメッセージデータのすべて若しくはサブセット、又は、メッセージ識別子に関連付けられたメッセージメタデータのすべて若しくはサブセットを含んでいる。この地理的データ常駐メッセージパッケージは、地理的データ常駐サーバに送信され、この地理的データ常駐サーバは、メッセージデータのすべて若しくはサブセットの１つ以上、又はメッセージ識別子に関連付けられたメッセージメタデータのすべて若しくはサブセットの１つ以上を、組織識別子に関連付けられたデータ格納／セキュリティポリシーに従い格納のためのリポジトリに、適切に送信できる。
【０１１０】
「メッセージデータオブジェクトの取得リクエスト」という用語は、１つ以上のメッセージ内の１つ以上のメッセージデータオブジェクトを取得するためにクライアントデバイス（又は他のコンピューティングデバイス）から受信した電子的リクエストを指す。いくつかの実施形態では、このメッセージデータオブジェクトの取得リクエストはメッセージ識別子を含んでいる。例えば、クライアントデバイスは、結果としてのいくつかのメッセージを返すグループベースの通信システムで、検索クエリを実行してもよい。このような例では、このクライアントデバイスは、その結果に含まれるメッセージの１つ以上のメッセージデータオブジェクトを取得するようにリクエストしてもよい。そのために、このクライアントデバイスは、メッセージ識別子を含むメッセージデータオブジェクトの取得リクエストを送信する。
【０１１１】
「地理的データ常駐データ取得リクエスト」という用語は、この地理的データ常駐データ取得リクエストに含まれる常駐トークンデータによって参照されるリポジトリアドレスに格納されたメッセージデータ及び／又はメタデータについて、グループベースの通信サーバによって地理的データ常駐サーバに送られた電子的リクエストを指す。
【０１１２】
「検索インデックス」という用語は、グループベースの通信システムによって制御されるゼロ以上のデータオブジェクトに検索データをリンクするための電子的に管理されたデータセット、ファイル、又は情報表現を指す。例えば、いくつかの実施形態では、検索インデックスは、特定の地理的データ常駐ローカルリポジトリによって格納されたグループベースのメッセージがこの検索インデックスを使用して簡単に検索できるように、検索用語をゼロ以上のグループベースのメッセージにリンクするための情報を含んでいる。いくつかの実施形態では、検索インデックスは、グループベースのメッセージの作成者及び／又は受信者のユーザアカウントに関連付けられた１つ以上のポリシーに基づき、地理的データ常駐ローカルリポジトリに局所的に格納されている。いくつかの実施形態では、この検索インデックスは、「暗号化検索インデックス」と呼ばれる地理的データ常駐ローカルリポジトリにおいて暗号化される。
【０１１３】
「エンティティ検索キー」という用語は、特定のエンティティに対応する電子的に管理されたデータを指し、そのエンティティに関連付けられた暗号化検索インデックスを復号するために使用される。これに関して、いくつかの実施形態では、地理的データ常駐ローカルリポジトリは、地理的データ常駐ローカルリポジトリが存在する地理的領域に対応するデータ常駐ポリシーデータオブジェクトに関連付けられた各エンティティを含むエンティティセットに関連付けられたエンティティ検索キーを格納している。「組織検索キー」という用語は、例えば、地理的データ常駐ローカルリポジトリによって格納される特定のエンティティ検索キーを指す。ここで、この組織検索キーは、グループベースの通信システムの特定の組織に対応し、その組織はこの組織検索キーが格納された地理的データ常駐ローカルリポジトリが位置する地理的境界にリンクされたデータ常駐ポリシーデータオブジェクトに関連付けられている。
【０１１４】
「メッセージ復号キー」という用語は、特定のエンティティに対応する、エンティティに関連付けられた１つ以上のグループベースのメッセージ又はその一部を復号する際に使用する電子的に管理されたデータを指す。いくつかの実施形態では、例えば、メッセージ復号キーは、組織内のユーザアカウントに関連付けられたグループベースのメッセージを復号するために使用できるように、グループベースの通信システムのその組織に関連付けられて格納されている。他の実施形態では、メッセージ復号キーは、このメッセージ復号キーを使用してグループベースの通信ワークスペースに関連付けられたグループベースのメッセージを復号できるように、特定のグループベースの通信ワークスペースに関連付けられている。他の実施形態では、メッセージ復号キーは、このメッセージ復号キーを使用してユーザアカウントに関連付けられたグループベースのメッセージを復号できるように、特定のユーザアカウントに関連付けられている。いくつかの実施形態では、復号キーは、復号アルゴリズムを使用してメッセージデータをスクランブルし及びスクランブル解除する（unscrambling）ために設計された単語、数字、フレーズ、又はランダムな一連のデータビットであってもよい。いくつかの実施形態では、メッセージ復号キーは、グループベースの通信メッセージを暗号化するために使用されるメッセージ暗号化キーと同じであってもよい。
【０１１５】
「メッセージ暗号化キー」という用語は、特定のエンティティに対応する、エンティティに関連付けられた１つ以上のグループベースのメッセージ又はその一部の暗号化に使用する電子的に管理されたデータを指す。いくつかの実施形態では、例えば、メッセージ暗号化キーは、このメッセージ暗号化キーを組織内のユーザアカウントに関連付けられたグループベースのメッセージを暗号化するために使用できるように、グループベースの通信システムの組織に関連付けられて格納されている。他の実施形態では、メッセージ暗号化キーは、このメッセージ暗号化キーをグループベースの通信ワークスペースに関連付けられたグループベースのメッセージを暗号化するために使用できるように、特定のグループベースの通信ワークスペースに関連付けられている。他の実施形態では、メッセージ暗号化キーは、このメッセージ暗号化キーを使用して、対応するユーザアカウントに関連付けられたグループベースのメッセージを暗号化できるように、特定のユーザアカウントに関連付けられている。いくつかの実施形態では、メッセージ暗号化キーは、暗号化アルゴリズムを使用してメッセージデータをスクランブル及びスクランブル解除するために設計された単語、数字、フレーズ、又はランダムな一連のデータビットであってもよい。いくつかの実施形態では、このメッセージ暗号化キーはメッセージ復号キーと同じであってもよい。いくつかの実施形態では、このメッセージ暗号化キーはメッセージ復号キーと異なっていてもよい。
【０１１６】
「リクエスタシステム」という用語は、処理のために特定の地理的領域に関連付けられた地理的データ常駐サーバにリクエストを送信するグループベースの通信システムのサブデバイス、システム、及び／又はコンピューティングハードウェアを指す。いくつかの実施形態では、リクエスタシステムは、クライアントデバイスからの１つ以上のリクエストの受信に応じて、１つ以上の地理的データ常駐サーバ及び／又は地理的データ常駐ローカルリポジトリと通信するように構成されている。
【０１１７】
「検索リクエスト」という用語は、特定のコンテンツを含む又は特定のコンテンツに関連する、グループベースのメッセージ（又は関連する識別子）又は対応するメッセージデータのクエリを表す電子的に管理されたデータを指す。検索リクエストは、検索対象のコンテンツを表す検索リクエストデータを含んでいる。いくつかの実施形態では、この検索リクエストデータは、グループベースの通信システムから、格納されたメッセージデータ及び／又はメッセージメタデータ（例えば、１つ以上のメッセージ識別子）を取得するためにグループベースの通信システムによって使用される。いくつかの実施形態では、検索リクエストは、その検索リクエストに関連するエンティティに対応する特定の地理的領域の地理的データ常駐ローカルリポジトリによって格納された１つ以上の検索インデックスを利用するグループベースの通信システムによって処理される。いくつかの実施形態では、検索リクエストは、特定の地理的データ常駐ローカルリポジトリに関連付けられた地理的データ常駐サーバに提供され、及び／又は処理される。「検索結果データ」という用語は、検索リクエストに応答してローカルリポジトリにある１つ以上の地理的データから取得した電子的に管理されたデータを指す。検索結果データの例には、グループベースのメッセージセット、メッセージデータセット、１つ以上のデータオブジェクト識別子、ユーザ識別子セット、及び／又はそれらの任意の組み合わせが含まれるが、これらに限定されない。
【０１１８】
「短期メモリ」という用語は、グループベースの通信システムにおけるメッセージデータを格納し、送信し、又はこのメッセージデータにアクセスする目的で、情報又はデータを一時的に格納し及び管理するために使用されるデータベース又はメモリを指す。例えば、短期メモリは、データ処理のためにデータ消去期間におけるメッセージデータ又は復号キーを保持又は格納するために使用されるキャッシュメモリ、ランダムアクセスメモリ（ＲＡＭ）、静的ランダムアクセスメモリ（ＳＲＡＭ）などであってもよい。このような例では、このデータ消去期間は、メッセージ又は復号キーが処理されるために必要な期間を超えない短い期間であってもよい。例えば、このデータワイプ期間は、所定の秒数であってもよい。短期メモリの１つの例は、地理的データ常駐ローカルキャッシュである。
【０１１９】
システムアーキテクチャ及び例示的な装置
本開示に係る方法、装置、及びコンピュータプログラム製品は、様々なデバイスのいずれによって具現化されていてもよい。例えば、例示的な実施形態の方法、装置、及びコンピュータプログラム製品は、１つ以上のクライアントデバイスなどの１つ以上のデバイスと通信するように構成された、サーバ又は他のネットワークエンティティなどのネットワークデバイス（例えば、エンタープライズプラットフォーム）によって具現化されていてもよい。追加又は代替として、このコンピューティングデバイスは、パーソナルコンピュータ又はコンピュータワークステーションなどの固定コンピューティングデバイスを含んでいてもよい。更に、例示的な実施形態は、携帯情報端末（ＰＤＡ）、携帯電話、スマートフォン、ラップトップコンピュータ、タブレットコンピュータ、ウェアラブル、又はこれらのデバイスのあらゆる組み合わせなど、様々なモバイルデバイスのいずれかによって具現化されていてもよい。
【０１２０】
図１は、本開示の実施形態が動作できる例示的なコンピューティングシステム１００を示している。ユーザは、クライアントデバイス１０１Ａ〜１０１Ｎを使用して、通信ネットワーク１０４を介してグループベースの通信システム１０５にアクセスできる。
【０１２１】
通信ネットワーク１０４は、例えば、有線若しくは無線のローカル領域ネットワーク（ＬＡＮ）、パーソナル領域ネットワーク（ＰＡＮ）、メトロポリタン領域ネットワーク（ＭＡＮ）、又はワイド領域ネットワーク（ＷＡＮ）を含むあらゆる有線若しくは無線の通信ネットワーク、並びに、それを実装するために必要なハードウェア、ソフトウェア、及び／又はファームウェア（例えば、ネットワークルーターなど）を含んでいてもよい。例えば、通信ネットワーク１０４は、携帯電話、８０２．１１、８０２．１６、８０２．２０、及び／又はＷｉＭａｘネットワークを含んでいてもよい。更に、通信ネットワーク１０４は、インターネットなどのパブリックネットワーク、イントラネットなどのプライベートネットワーク、又はそれらの組み合わせを含んでいてもよく、ＴＣＰ／ＩＰベースのネットワークプロトコルを含むがこれに限定されない、現在利用可能か又は将来開発される様々なネットワークプロトコルを利用できる。例えば、このネットワークプロトコルは、グループベースの通信システムのニーズに合わせてカスタマイズされてもよい。いくつかの実施形態では、このプロトコルは、Ｗｅｂｓｏｃｋｅｔチャネルを介して送信されるＪＳＯＮ（ＪａｖａＳｃｒｉｐｔ（登録商標）  Ｏｂｊｅｃｔ  Ｎｏｔａｔｉｏｎ）オブジェクトのカスタムプロトコルである。いくつかの実施形態では、このプロトコルは、ＲＰＣ上のＪＳＯＮ、ＲＥＳＴ／ＨＴＴＰ上のＪＳＯＮなどである。
【０１２２】
グループベースの通信サーバ１０６Ａは、１つ以上のコンピュータとして実施してもよい。このグループベースの通信サーバ１０６Ａは、クライアントデバイス１０１Ａ〜１０１Ｎを含むが必ずしもこれに限定されない様々なソースからの電子データの受信を提供してもよい。例えば、このグループベースの通信サーバ１０６Ａは、クライアントデバイス１０１Ａ〜１０１Ｎによって提供されるグループベースのメッセージング通信を受信及び投稿又は送信するように動作可能であってもよい。いくつかの実施形態では、このグループベースの通信サーバ１０６Ａは、グループベースの通信サーバ１０６Ａが位置する地理的領域とは異なる地理的領域に位置する地理的データ常駐サーバとして機能する１つ以上の他のグループベースの通信サーバ１０６Ｂ〜１０６Ｃと通信できる。
【０１２３】
グループベースの通信リポジトリ１０７Ａは、１つ以上のネットワーク接続格納（Ｎｅｔｗｏｒｋ  Ａｔｔａｃｈｅｄ  Ｓｔｏｒａｇｅ（ＮＡＳ））デバイスなどのデータ格納デバイスとして、又は１つ以上の別個のリポジトリサーバとして、実施してもよい。このグループベースの通信リポジトリ１０７Ａは、グループベースの通信システム１０５の動作を容易にするために、グループベースの通信サーバ１０６Ａによってアクセス及び格納される情報を含んでいる。例えば、グループベースの通信リポジトリ１０７Ａは、限定することなく、複数のグループベースの通信チャネルで体系化された複数のメッセージング通信などを含んでいてもよい。いくつかの実施形態では、地理的データ常駐サーバとして機能するグループベースの通信サーバ１０６Ｂ〜１０６Ｃの各々は、地理的データ常駐ローカルリポジトリとして機能する独自のグループベースの通信リポジトリ１０７Ｂ〜１０７Ｃに関連付けられてもよい。
【０１２４】
クライアントデバイス１０１Ａ〜１０１Ｎは、前記で定義されたような任意のコンピューティングデバイスであってもよい。グループベースの通信サーバ１０６Ａによってクライアントデバイス１０１Ａ〜１０１Ｎから受信された電子データは、様々な形態で、様々な方法を介して提供され得る。例えば、これらのクライアントデバイス１０１Ａ〜１０１Ｎは、デスクトップコンピューター、ラップトップコンピュータ、スマートフォン、ネットブック、タブレットコンピュータ、ウェアラブルなどを含んでいてもよい。
【０１２５】
いくつかの実施形態では、クライアントデバイス１０１Ａ〜１０１Ｎがスマートフォン又はタブレットなどのモバイルデバイスであり、これらのクライアントデバイス１０１Ａ〜１０１Ｎは、「アプリ」を実行して、グループベースの通信システム１０５とインタラクションしてもよい。このようなアプリは、通常、タブレット又はスマートフォンなどのモバイルデバイスで実行するように設計されている。例えば、ｉＯＳ（商標登録）、Ａｎｄｒｏｉｄ（商標登録）、Ｗｉｎｄｏｗｓ（商標登録）などのモバイルデバイスのオペレーティングシステムで実行されるアプリが提供されていてもよい。通常、これらのプラットフォームは、アプリが、相互に、並びに、モバイルデバイスの特定のハードウェア及びソフトウェアコンポーネントと通信できるようにするフレームワークを提供している。例えば、前記のモバイルオペレーティングシステムは、各々、位置情報サービス回路、有線及び無線ネットワークインターフェース、ユーザの連絡先、並びにその他のアプリケーションとインタラクションするためのフレームワークを提供している。アプリの外部で実行されるハードウェア及びソフトウェアモジュールとの通信は、通常、モバイルデバイスのオペレーティングシステムによって提供されるＡＰＩを介して提供されている。
【０１２６】
追加又は代替として、クライアントデバイス１０１Ａ〜１０１Ｎは、ウェブブラウザを介してグループベースの通信システム１０５とインタラクションしてもよい。更に別の例として、これらのクライアントデバイス１０１Ａ〜１０１Ｎは、グループベースの通信システム１０５とインターフェースするように設計された様々なハードウェア又はファームウェアを含んでいてもよい。
【０１２７】
グループベースの通信システム１０５の、例示的ないくつかの実施形態では、メッセージ通信又はメッセージング通信は、クライアントデバイス１０１Ａ〜１０１Ｎからグループベースの通信システム１０５に送信されてもよい。様々な実装形態では、そのメッセージは、クライアントデバイス１０１Ａ〜１０１Ｎによって通信ネットワーク１０４を介して、直接、グループベースの通信システム１０５に送信されてもよく、メッセージサーバなどを介してグループベースの通信システム１０５に送信されてもよい。例えば、クライアントデバイス１０１Ａ〜１０１Ｎは、クライアントアプリケーション（例えば、グループベースの通信アプリ）を実行しているデスクトップ、ラップトップ、タブレット、スマートフォンなどであってもよい。一実装形態では、このメッセージは、メッセージ識別子、送信ユーザ識別子、グループ識別子、グループベースの通信チャネル識別子、メッセージコンテンツ（例えば、テキスト、絵文字、画像、リンクなど）、添付されたもの（ファイルなど）、メッセージ階層データ（例えば、そのメッセージは別のメッセージへの返信であってもよい）、第三者パーティのメタデータなどのデータを含んでいてもよい。一実施形態では、これらのクライアントデバイス１０１Ａ〜１０１Ｎは、以下に示す、ｅＸｔｅｎｓｉｂｌｅ  Ｍａｒｋｕｐ  Ｌａｎｇｕａｇｅ（「ＸＭＬ」）フォーマットデータを含む、実質的には（セキュア）ハイパーテキスト転送プロトコル（（Ｓｅｃｕｒｅ）  Ｈｙｐｅｒｔｅｘｔ  Ｔｒａｎｓｆｅｒ  Ｐｒｏｔｏｃｏｌ）（「ＨＴＴＰ（Ｓ）」）ＰＯＳＴメッセージの形式を含む以下の例のメッセージ例を提供してもよい：
POST /authrequest.php HTTP/1.1
Host: www.server.com
Content-Type: Application/XML
Content-Length: 667
<?XML version = “1.0” encoding = “UTF-8”?>
<auth_request>
<timestamp>2020-12-31 23:59:59</timestamp> 
<user_accounts_details>
<user_account_credentials>
<user_name>ID_user_1</user_name>
<password>abc123</password>
//OPTIONAL <cookie>cookieID</cookie>
//OPTIONAL <digital_cert_link>www.mydigitalcertificate.com/ 
JohnDoeDaDoeDoe@gmail.com/mycertifcate.dc</digital_cert_link>
//OPTIONAL <digital_certificate>_DATA_</digital_certificate>
</user_account_credentials>
</user_accounts_details>
<client_details> //iOS Client with App and Webkit
//it should be noted that although several client details
//sections are provided to show example variants of client
//sources, further messages will include only on to save
//space
<client_IP>10.0.0.123</client_IP>
<user_agent_string>Mozilla/5.0 (iPhone; CPU iPhone OS 7_1_1 like Mac OS X) 
AppleWebKit/537.51.2 (KHTML, like Gecko) Version/7.0 Mobile/11D201 
Safari/9537.53</user_agent_string>
<client_product_type>iPhone6,1</client_product_type>
<client_serial_number>DNXXS1S1XXXX</client_serial_number>
<client_UDID>3XXXXXXXXXXXXXXXXXXXXXXXXD</client_UDID>
<client_OS>iOS</client_OS>
<client_OS_version>7.1.1</client_OS_version>
<client_app_type>app with webkit</client_app_type>
<app_installed_flag>true</app_installed_flag>
<app_name>MSM.app</app_name>
<app_version>1.0 </app_version>
<app_webkit_name>Mobile Safari</client_webkit_name>
<client_version>537.51.2</client_version>
</client_details>
<client_details> //iOS Client with Webbrowser
<client_IP>10.0.0.123</client_IP>
<user_agent_string>Mozilla/5.0 (iPhone; CPU iPhone OS 7_1_1 like Mac OS X) 
AppleWebKit/537.51.2 (KHTML, like Gecko) Version/7.0 Mobile/11D201 
Safari/9537.53</user_agent_string>
<client_product_type>iPhone6,1</client_product_type>
<client_serial_number>DNXXS1S1XXXX</client_serial_number>
<client_UDID>3XXXXXXXXXXXXXXXXXXXXXXXXD</client_UDID>
<client_OS>iOS</client_OS>
<client_OS_version>7.1.1</client_OS_version>
<client_app_type>web browser</client_app_type>
<client_name>Mobile Safari</client_name>
<client_version>9537.53</client_version>
</client_details>
<client_details> //Android Client with Webbrowser
<client_IP>10.0.0.123</client_IP>
<user_agent_string>Mozilla/5.0 (Linux; U; Android 4.0.4; en-us; Nexus S 
Build/IMM76D) AppleWebKit/534.30 (KHTML, like Gecko) Version/4.0 Mobile 
Safari/534.30</user_agent_string>
<client_product_type>Nexus S</client_product_type>
<client_serial_number>YXXXXXXXXZ</client_serial_number>
<client_UDID>FXXXXXXXXX-XXXX-XXXX-XXXX-
XXXXXXXXXXXXX</client_UDID>
<client_OS>Android</client_OS>
<client_OS_version>4.0.4</client_OS_version>
<client_app_type>web browser</client_app_type>
<client_name>Mobile Safari</client_name>
<client_version>534.30</client_version>
</client_details>
<client_details> //Mac Desktop with Webbrowser
<client_IP>10.0.0.123</client_IP>
<user_agent_string>Mozilla/5.0 (Macintosh; Intel Mac OS X 10_9_3) 
AppleWebKit/537.75.14 (KHTML, like Gecko) Version/7.0.3 
Safari/537.75.14</user_agent_string>
<client_product_type>MacPrK5,1</client_product_type>
<client_serial_number>YXXXXXXXXZ</client_serial_number>
<client_UDID>FXXXXXXXXX-XXXX-XXXX-XXXX-
XXXXXXXXXXXXX</client_UDID>
<client_OS>Mac OS X</client_OS>
<client_OS_version>10.9.3</client_OS_version>
<client_app_type>web browser</client_app_type>
<client_name>Mobile Safari</client_name>
<client_version>537.75.14</client_version>
</client_details>
<message>
<message_identifier>ID_message_10</message_identifier>
<team_identifier>ID_team_1</team_identifier>
<channel_identifier>ID_channel_1</channel_identifier>
<contents>That is an interesting invention. I have attached a copy our paten  t policy.</contents>
<attachments>patent_policy.pdf</attachments>
</message>
</auth_request>
【０１２８】
グループベースの通信システム１０５は、メッセージのインデックス付け及びグループベースの通信リポジトリ１０７Ａへの格納を容易にするために、受信されたメッセージに基づき格納メッセージを作成できる、少なくとも１つのグループベースの通信サーバ１０６Ａを備えている。一実施形態では、この格納メッセージは、メッセージ識別子、グループ識別子、グループベースの通信チャネル識別子、送信ユーザ識別子、トピック、応答、メッセージコンテンツ、添付ファイル、メッセージ階層データ、第３者パーティのメタデータなどのデータを含むことができ、会話プリミティブデータ（conversation primitive data）など。例えば、グループベースの通信サーバ１０６Ａは、以下に提供されるように、実質的にＸＭＬ形式のデータを含むＨＴＴＰ（Ｓ）ＰＯＳＴメッセージの形式で、以下の例示的な格納メッセージを提供してもよい。
POST /storage_message.php HTTP/1.1
Host: www.server.com
Content-Type: Application/XML
Content-Length: 667
<?XML version = “1.0” encoding = “UTF-8”?>
<storage_message>
<message_identifier>ID_message_10</message_identifier>
<team_identifier>ID_team_1</team_identifier>
<channel_identifier>ID_channel_1</channel_identifier>
<sending_user_identifier>ID_user_1</sending_user_identifier>
<topics>
<topic>inventions</topic>
<topic>patents</topic>
<topic>policies</topic>
</topics>
<responses>
<response>liked by ID_user_2</response>
<response>starred by ID_user_3</response>
</responses>
<contents>That is an interesting invention. I have attached a copy our patent   policy.</contents>
<attachments>patent_policy.pdf</attachments>
<conversation_primitive>
conversation includes messages: ID_message_8, ID_message_9, ID_message_10, 
ID_message_11, ID_message_12
</conversation_primitive>
</storage_message>
【０１２９】
いくつかの実施形態では、グループベースの通信サーバ１０６Ａは、グループベースの通信メッセージに関連付けられたエンティティ識別子が地理的データ格納ポリシーに関連付けられていることを判定し、メッセージデータを含む地理的データ常駐メッセージパッケージを地理的データ常駐サーバとして機能するグループベースの通信サーバ１０６Ｂ〜１０６Ｃの１つに送信してもよい。地理的データ常駐サーバとして機能するこのグループベースの通信サーバ１０６Ｂ〜１０６Ｃは、地理的データ常駐ローカルリポジトリとして機能するグループベースの通信リポジトリ１０７Ｂ〜１０７Ｃにメッセージデータを格納してもよい。地理的データ常駐サーバとして機能するこのグループベースの通信サーバ１０６Ｂ〜１０６Ｃは、そのメッセージデータに従って常駐トークンデータを生成し、この常駐トークンデータをグループベースの通信サーバ１０６Ａに送り返してもよい。グループベースの通信サーバ１０６Ａは、グループベースの通信リポジトリ１０７Ａにこの常駐トークンデータを格納してもよい。
【０１３０】
いくつかの実施形態では、前記で定義されたグループ識別子は、メッセージに関連付けられていてもよい。
【０１３１】
いくつかの実施形態では、前記で定義されたグループベースの通信チャネル識別子は、メッセージに関連付けられていてもよい。
【０１３２】
いくつかの実施形態では、前記で定義された送信ユーザ識別子は、メッセージに関連付けられてもよい。一実装形態では、メッセージを解析して（例えば、ＰＨＰのコマンドを使用して）、メッセージを送信したユーザの送信ユーザ識別子を判定してもよい。
【０１３３】
いくつかの実施形態では、トピックはメッセージに関連付けられてもよい。一実装形態では、メッセージの内容を解析して（例えば、ＰＨＰのコマンドを使用して）メッセージで議論されたトピックを判定してもよい。例えば、メッセージ内のハッシュタグは、そのメッセージに関連付けられたチャネルであってもよい。他の例では、そのメッセージは、解析（例えば、会話プリミティブ（a conversation primitive）内の他のメッセージとともに解析する）し、又はトピックモデリングなどの機械学習技術を使用して解析し、そのメッセージに関連付けられたトピックを判定してもよい。
【０１３４】
いくつかの実施形態では、応答を示すデータがメッセージに関連付けられていてもよい。例えば、他のユーザによるメッセージへの応答は、リアクション（例えば、そのメッセージに関連付けられた絵文字の選択、そのメッセージに関連付けられた「いいね（like）」ボタンの選択）、そのメッセージに埋め込まれたハイパーリンクのクリック、そのメッセージへの返信（例えば、そのメッセージに応答してグループベースの通信チャネルにメッセージを投稿する）、そのメッセージに関連付けられたファイルをダウンロードする、１つのグループベースの通信チャネルからのメッセージを別のグループベースの通信チャネルと共有する、メッセージをピン留めする（pinning）、そのメッセージにスターを付けるなどを含んでいてもよい。一実装形態では、他のユーザによるそのメッセージへの応答に関するデータをメッセージに含めてもよく、そのメッセージを解析して（例えば、ＰＨＰのコマンドを使用して）応答を判定してもよい。他の実施では、そのメッセージへの応答に関するデータをリポジトリから取得してもよい。例えば、以下のようなＭｙＳＱＬリポジトリコマンドを使用して、そのメッセージへの応答に関するデータを取得してもよい。
SELECT messageResponses
FROM MSM_Message
WHERE messageID = ID_message_10.
【０１３５】
例えば、そのメッセージへの応答に関するデータを使用して、そのメッセージのコンテキスト（例えば、あるユーザの観点からのそのメッセージのソーシャルスコア）を判定してもよい。他の例では、そのメッセージへの応答に関するデータを解析して、ユーザに関するコンテキストを判定してもよい（例えば、トピックに関するそのユーザの専門知識を、そのトピックに関するそのユーザのメッセージへの応答に基づき判定してもよい）。
【０１３６】
いくつかの実施形態では、添付ファイルをメッセージに含んでいてもよい。添付ファイルがある場合、ファイルがそのメッセージに関連付けられていてもよい。一実装形態では、そのメッセージを解析して（ＰＨＰコマンドを使用するなど）、その添付ファイルのファイル名を判定してもよい。例えば、ファイルコンテンツを解析して、そのメッセージのコンテキストを判定してもよい（例えば、特許方針文書は、そのメッセージがトピック「特許」に関連付けられていることを示していてもよい）。
【０１３７】
いくつかの実施形態では、第三者パーティのメタデータがメッセージに関連付けられていてもよい。例えば、第三者パーティのメタデータは、企業、グループ、グループベースの通信チャネルなどに固有のメッセージ又はユーザに関する追加のコンテキストを提供してもよい。一実装形態では、そのメッセージを解析して（例えば、ＰＨＰコマンドを使用して）第三者パーティのメタデータを判定してもよい。例えば、第三者パーティのメタデータは、メッセージを送信したユーザがグループベースの通信チャネルの許可された代理人であるかどうかを示していてもよい（例えば、許可された代理人は、グループベースの通信チャネルの質問に回答するために、会社によって許可されていてもよい）。
【０１３８】
いくつかの実施形態では、会話プリミティブがメッセージに関連付けられていてもよい。一実装形態では、会話プリミティブは、そのメッセージの解析、インデックス付け、格納などに使用される要素である。例えば、メッセージはそれ自体で解析され、独自の会話プリミティブを形成していてもよい。他の例では、メッセージは、会話を構成する他のメッセージとともに解析され、この会話を構成するメッセージが会話プリミティブを形成していてもよい。一実装形態では、この会話プリミティブは、そのメッセージ、指定された数（例えば、２）の先行メッセージ、及び指定された数（例えば、２）の後続メッセージが判定されてもよい。他の実施では、この会話プリミティブは、そのメッセージ及び他のメッセージ（例えば、チャネルにおいての）で議論されたトピックの解析及び／又はこれらのメッセージの近接度（例えば、メッセージ送信順序近接度、メッセージ送信時刻近接度）に基づき判定されてもよい。
【０１３９】
いくつかの実施形態では、前述のように判定される様々なメタデータ、及び／又はメッセージのコンテンツを使用して、メッセージのインデックス付け（例えば、会話プリミティブを使用して）を行って、様々な検索（すなわち、グループベースの通信リポジトリ１０７Ａから結果を返す検索クエリ）の局面を容易にする。一実装形態では、グループベースの通信リポジトリ１０７Ａでのインデックス付けを容易にするために、グループベースの通信サーバ１０６Ａから格納メッセージを送信してもよい。他の実装形態では、メッセージに関連付けられたメタデータを判定してもよく、そのメッセージをグループベースの通信リポジトリ１０７Ａでインデックス付けしてもよい。一実施形態では、メッセージは、１つの会社又はグループのメッセージを別にインデックス付けしてもよい（例えば、他のグループ及び／又は会社と共有されないグループ及び／又は会社に関連付けられた別個のインデックスによって）。一実施形態では、メッセージは、別の分散リポジトリでインデックス付けされてもよい（例えば、セキュリティ目的のためのデータの分離を促すため）。いくつかの実施形態では、検索リクエストは、グループベースの通信サーバ１０６Ａから発信されてもよく、地理的データ常駐サーバとして機能するこのグループベースの通信サーバ１０６Ｂ〜１０６Ｃは、他の図と併せてより詳細に説明するように、それに応じて検索を実行してもよい。
【０１４０】
メッセージに関連する添付ファイルがある場合、検索を容易にするために、関連するファイルのファイルコンテンツを使用して、グループベースの通信リポジトリ１０７Ａ内のそのようなファイルをインデックス付けしてもよい。一実施形態では、１つの会社又はグループのファイルが別の分散リポジトリでインデックス付けされるように、ファイルにインデックス付けしてもよい。
【０１４１】
本開示の実施形態に係る例示的な装置
グループベースの通信サーバ１０６Ａ〜１０６Ｃは、図２に示す装置２００などの１つ以上のコンピューティングシステムによって実施してもよい。この装置２００は、プロセッサ２０２、メモリ２０１、入出力回路２０３、通信回路２０５、グループベースの通信回路２０４、ローカル検索モジュール２０６、及び検索管理モジュール２０７を備えていてもよい。この装置２００は、ここで説明する操作を実行するように構成されている。コンポーネントは機能上の制限に関して説明するが、特定の実施には必ず特定のハードウェアの使用が含まれることを理解されたい。また、本明細書で説明される特定のコンポーネントには、同様の又は共通のハードウェアが含まれることがあることも理解されたい。例えば、２組の回路は両方とも同じプロセッサ、ネットワークインターフェース、記憶媒体などの使用を活用して、関連する機能を実行するため、回路の各セットのためにハードウェアの複製は必要ない。従って、装置のコンポーネントに関して本明細書で使用される「回路」及び「モジュール」という用語の使用は、本明細書で説明される特定の回路に関連する機能を実行するように構成された特定のハードウェアを含むと理解されるべきである。
【０１４２】
「回路」及び「モジュール」という用語は、ハードウェアを含み、いくつかの実施形態では、そのハードウェアを構成するためのソフトウェアを含むと広く理解されるべきである。例えば、いくつかの実施形態では、「回路」は、処理回路、記憶媒体、ネットワークインターフェース、入力／出力デバイスなどを含む場合がある。いくつかの実施形態では、装置２００の他の要素は、特定の回路の機能を提供又は補足してもよい。例えば、プロセッサ２０２は処理機能を提供してもよく、メモリ２０１は格納機能を提供してもよく、通信回路２０５はネットワークインターフェース機能などを提供してもよい。
【０１４３】
いくつかの実施形態では、プロセッサ２０２（及び／又はコプロセッサ、又はプロセッサを補助する又はそうでなければプロセッサに関連するあらゆる他の処理回路）は、装置のコンポーネント間で情報を受け渡すバスを介してメモリ２０１と通信してもよい。メモリ２０１は、非一時的であってもよく、例えば、１つ以上の揮発性及び／又は不揮発性メモリを含んでいてもよい。言い換えれば、例えば、メモリは、電子記憶装置（例えば、コンピュータ可読記憶媒体）であってもよい。メモリ２０１は、本開示の例示的な実施形態に従って、装置が様々な機能を実行できるようにするために、情報、データ、コンテンツ、アプリケーション、命令などを格納するように構成されていてもよい。
【０１４４】
プロセッサ２０２は、いくつかの異なる方法で具現化することができ、例えば、独立して実行するように構成された１つ以上の処理デバイスを含んでいてもよい。追加又は代替として、プロセッサは、バスを介して直列（タンデム）に構成された１つ以上のプロセッサを含んでいてもよく、命令の独立した実行、パイプライン処理、及び／又はマルチスレッドを可能にできる。「処理回路」という用語の使用は、シングルコアプロセッサ、マルチコアプロセッサ、装置内の複数のプロセッサ、及び／又は遠隔又は「クラウド」プロセッサを含むと理解してもよい。
【０１４５】
例示的な実施形態では、プロセッサ２０２は、メモリ２０１に格納された命令又はプロセッサにアクセス可能な命令を実行するように構成されていてもよい。代替又は追加として、プロセッサはハードコーディングされた機能を実行するように構成されていてもよい。そのようなものとして、ハードウェア、ソフトウェア、及びそれらの組み合わせのいずれによって構成されているかどうかにかかわらず、このプロセッサは、適切な構成の本開示の実施形態に係る動作を実行できるエンティティ（例えば、回路において物理的に具現化される）を表していてもよい。或いは、他の例として、プロセッサがソフトウェア命令を実行するものとして具現化される場合、その命令は、その命令が実行されるときに本明細書で説明されるアルゴリズム及び／又は動作を実行させるようにプロセッサを具体的に構成していてもよい。
【０１４６】
いくつかの実施形態では、装置２００は、プロセッサ２０２と通信する入出力回路２０３を含んでいてもよく、この入出力回路２０３が、ユーザに出力を提供し、いくつかの実施形態では、ユーザの入力を受信する。この入出力回路２０３は、ユーザインターフェースを含んでいてもよく、ディスプレイを含んでいてもよく、ウェブユーザインターフェース、モバイルアプリケーション、クライアントデバイス、キオスクなどを含んでいてもよい。いくつかの実施形態では、入出力回路２０３は、また、キーボード、マウス、ジョイスティック、タッチスクリーン、タッチ領域、ソフトキー、マイクロフォン、スピーカ、又は他の入出力機構も含んでいてもよい。プロセッサ及び／又はプロセッサを含むユーザインターフェース回路は、プロセッサにアクセス可能なメモリ（メモリ２０１など）に格納されたコンピュータプログラム命令（例えばソフトウェア及び／又はファームウェア）を通じて１つ以上のユーザインターフェース要素の１つ以上の機能を制御するように構成されていてもよい。
【０１４７】
通信回路２０５は、ネットワーク及び／若しくは装置２００と通信するあらゆるデバイス、回路、若しくはモジュールからデータを受信し並びに／又はこれらにデータを送信するように構成されたハードウェア或いはハードウェアとソフトウェアとの組み合わせのいずれかで具現化されるデバイス或いは回路などのあらゆる手段であってもよい。これに関して、通信回路２０５は、例えば、有線又は無線通信ネットワークとの通信を可能にするためのネットワークインターフェースを含んでいてもよい。例えば、通信回路２０５は、１つ以上のネットワークインターフェースカード、アンテナ、バス、スイッチ、ルータ、モデム、並びにサポートハードウェア及び／又はソフトウェア、或いはネットワークを介した通信を可能にするのに適した他のあらゆるデバイスを含んでいてもよい。追加又は代替として、通信インターフェースは、アンテナを介して信号の送信を引き起こすために、又はアンテナを介して受信する信号の受信を処理するために、アンテナとインタラクションする回路を含んでいてもよい。
【０１４８】
グループベースの通信回路２０４は、グループベースの通信システムにおけるグループベースの通信及びアクセスをサポートするように構成されたハードウェアを含む。このグループベースの通信回路２０４は、プロセッサ２０２などの処理回路を利用して、クライアントデバイス１０１Ａ〜１０１Ｎからメッセージリクエストを受信すること、又はグループベースの通信メッセージをクライアントデバイス１０１Ａ〜１０１Ｎに送信することを含む動作を実行してもよい。このグループベースの通信回路２０４は、グループベースの通信リポジトリ１０７Ａからのメッセージデータを格納及び／又はこれにアクセスできる。このグループベースの通信回路２０４は、地理的データ常駐ローカルリポジトリ１０７Ｂ／Ｃとして機能するグループベースの通信リポジトリからメッセージデータを割り当て及び／又は取得してもよい。いくつかの実施では、送信及び／又は受信データは、規定された地理的境界内に位置する地理的データ常駐ローカルリポジトリ１０７Ｂ／Ｃとして機能するグループベースの通信リポジトリに永続的に格納されるか、又は、規定された地理的境界外にあるグループベースの通信リポジトリ１０７Ａに一時的に格納されるように制限されるメッセージコンテンツを含んでいてもよい。また、いくつかの実施形態では、グループベースの通信回路２０４は、別個のプロセッサ、特別に構成されたフィールドプログラマブルゲートアレイ（ＦＰＧＡ）、又は特定用途向け集積回路（ＡＳＩＣ）を含んでいてもよいことも理解されたい。
【０１４９】
検索管理モジュール２０７は、様々な地理的データ常駐ローカルリポジトリ全体に配信されるグループベースのメッセージに関連する検索インデックスの生成及び管理をサポートするように構成されたハードウェア、ソフトウェア、又はそれらの組み合わせを含んでいる。この検索管理モジュール２０７は、例えば、いくつかの実施形態では、異なる地理的領域に格納された少なくとも１つのグループベースのメッセージのメッセージメタデータセットを識別するように構成されている。例えば、検索管理モジュール２０７は、装置２００と同じ地理的領域のメッセージデータベースと通信して、グループベースのメッセージのメッセージデータ及び／又は他のコンテンツが異なる地理的領域にある地理的データ常駐ローカルリポジトリに格納されることを示す格納データを取得してもよい。追加又は代替として、この検索管理モジュール２０７は、１つ以上のリクエスト、データ、情報などを生成し、及び／又は、少なくとも１つの地理的データ常駐サーバに送信し、地理的データ常駐サーバと通信可能な地理的データ常駐ローカルリポジトリに格納されているグループベースのメッセージのためのメッセージデータを取得するように構成されたハードウェア、ソフトウェア、又はそれらの組み合わせを含んでいてもよい。いくつかのそのような実施形態では、以前に取得された格納データを使用して、通信する１つ以上の地理的データ常駐サーバを識別してもよい。例えば、その格納データは、常駐トークンデータセットを含んでいてもよく、各常駐トークンデータオブジェクトは、グループベースのメッセージに対応するメッセージデータが格納され、アクセス可能な、特定の地理的データ常駐サーバ及び／又は地理的領域を識別してもよい。追加又は代替として、検索管理モジュール２０７は、取得された情報の１つ以上の部分に基づき検索インデックスの生成及び／又は格納を行うように構成されていてもよい。
【０１５０】
いくつかの実施形態では、検索管理モジュール２０７は、ハードウェア、ソフトウェア、又はそれらの組み合わせを使用して、検索リクエストの処理に使用される検索インデックスを取得するように構成されている。いくつかの実施形態では、例えば、検索管理モジュール２０７は、特定のエンティティ識別子に関連付けられた検索リクエストを受信するためのハードウェア、ソフトウェア、又はそれらの組み合わせを含んでいてもよく、ここで、そのエンティティ識別子は、特定の地理的領域に関連付けられている（例えば、そのエンティティ識別子にリンクした１つ以上のデータ常駐ポリシーに基づく）。いくつかの実施形態では、検索管理モジュール２０７は、エンティティ識別子及び／又はリンクした情報に基づき地理的領域及び／又は地理的データ常駐サーバを識別するように構成されている。検索管理モジュール２０７は、例えば、地理的データ常駐サーバへの検索インデックス取得リクエストの送信を通じて、地理的データ常駐サーバに関連付けられた地理的データ常駐ローカルリポジトリから検索インデックスを取得するように構成されていてもよい。検索管理モジュール２０７は、追加又は代替として、取得された検索インデックス及び／若しくは検索リクエストに基づき、例えばその中の検索リクエストデータを使用して、検索結果データを識別するように構成されたハードウェア、ソフトウェア、又はそれらの組み合わせを含んでいてもよい。検索管理モジュール２０７は、検索結果データを、検索リクエストを発信し若しくは送信したシステム、デバイス、又は他のコンピューティングハードウェアに提供するハードウェア、ソフトウェア、又はそれらの組み合わせを追加又は代替として含んでいてもよい。
【０１５１】
いくつかの実施形態では、検索管理モジュール２０７は、１つ以上の種類の格納データを暗号化解除するためのキーデータを識別し、取得し、及び／又は利用するように構成されていてもよい。いくつかの実施形態では、例えば、検索管理モジュール２０７は、１つ以上のエンティティ検索キー又はメッセージ復号キーを識別でき、これらは、例えば他の地理的領域にある地理的データ常駐サーバからのそれぞれ特定のデータを復号するため及び／又は復号データを取得するために使用してもよい。例えば、いくつかの実施形態では、検索管理モジュール２０７は、ハードウェア、ソフトウェア、又はそれらの組み合わせを介して、復号されたメッセージデータセットを取得する際に使用するメッセージ復号キー及び／若しくは復号された検索インデックスを取得する際に使用するエンティティ検索キーを識別し並びに／又は取得するように構成されていてもよい。
【０１５２】
いくつかの実施形態では、検索管理モジュール２０７は、装置２００に関して説明した１つ以上の他のモジュールを利用して、前記の動作の一部又は全部を実行できることを理解されたい。例えば、いくつかの実施形態では、検索管理モジュール２０７は、プロセッサ２０２などの処理回路を利用して、前記の動作の少なくとも１つを実行する。いくつかの実施形態では、検索管理モジュール２０７は、別個のプロセッサ、特別に構成されたフィールドプログラマブルゲートアレイ（ＦＰＧＡ）、又は特別に構成された特定用途向け集積回路（ＡＳＩＣ）を含んでいてもよいことも理解されたい。
【０１５３】
前述のように、また本開示に基づき理解されるように、本開示の実施形態は、方法、モバイルデバイス、バックエンドネットワークデバイスなどとして構成されていてもよい。従って、実施形態は、完全なハードウェア、又はソフトウェア及びハードウェアのあらゆる組み合わせを含む、様々な手段を備えていてもよい。更に、実施形態は、記憶媒体に組み込まれたコンピュータ可読プログラム命令（例えば、コンピュータソフトウェア）を有する少なくとも１つの非一時的コンピュータ可読記憶媒体上のコンピュータプログラム製品の形態であってもよい。非一時的ハードディスク、ＣＤ−ＲＯＭ、フラッシュメモリ、光学式記憶デバイス、又は磁気記憶デバイスを含む、あらゆる適切なコンピュータ可読記憶媒体を利用できる。
【０１５４】
本開示の実施形態に係る例示的なクライアントデバイス／遠隔装置
規定された地理的境界の外側に位置するクライアントデバイス１０１Ａ〜１０１Ｎのうちのいくつかのクライアントデバイス／遠隔装置は、図３に示される装置３２０などの１つ以上のコンピューティングシステムによって具現化されてもよい。この遠隔装置３２０は、プロセッサ３２２、メモリ３２１、入力／出力回路３２３、及び通信回路３２５を含んでいてもよい。この遠隔装置３２０は、本明細書で説明する動作を実行するように構成されていてもよい。コンポーネントは機能上の制限に関して説明するが、特定の実装には必ず特定のハードウェアの使用が含まれることを理解されたい。また、本明細書で説明される特定のコンポーネントには、同様の又は共通のハードウェアが含まれることがあることも理解されたい。例えば、２組の回路は両方とも同じプロセッサ、ネットワークインターフェース、記憶媒体などの使用を活用して、関連する機能を実行するため、回路の各セットのためにハードウェアの複製は必要ない。従って、装置のコンポーネントに関して本明細書で使用される「回路」という用語の使用は、本明細書で説明する特定の回路に関連する機能を実行するように構成された特定のハードウェアを含むと理解されるべきである。
【０１５５】
「回路」という用語は、ハードウェアを含み、いくつかの実施形態では、ハードウェアを構成するためのソフトウェアを含むと広く理解されるべきである。例えば、いくつかの実施形態では、「回路」は、処理回路、記憶媒体、ネットワークインターフェース、入出力デバイスなどを含み得る。いくつかの実施形態では、遠隔装置３２０の他の要素は、特定の回路の機能を提供又は補完してもよい。例えば、プロセッサ３２２は処理機能を提供してもよく、メモリ３２１は記憶機能を提供してもよく、通信回路３２５はネットワークインターフェース機能などを提供してもよい。
【０１５６】
いくつかの実施形態では、プロセッサ３２２（及び／又はコプロセッサ、又はプロセッサを補助する又はそうでなければプロセッサに関連するあらゆる他の処理回路）は、装置のコンポーネント間で情報を受け渡すバスを介してメモリ３２１と通信してもよい。メモリ３２１は、非一時的であってもよく、例えば、１つ以上の揮発性及び／又は不揮発性メモリを含んでいてもよい。言い換えれば、例えば、メモリは、電子記憶装置（例えば、コンピュータ可読記憶媒体）であってもよい。メモリ３２１は、本開示の例示的な実施形態に従って、装置が様々な機能を実行できるようにするために、情報、データ、コンテンツ、アプリケーション、命令などを格納するように構成されていてもよい。
【０１５７】
プロセッサ３２２は、いくつかの異なる方法で具現化することができ、例えば、独立して実行するように構成された１つ以上の処理デバイスを含んでいてもよい。追加又は代替として、プロセッサは、バスを介して直列（タンデム）に構成された１つ以上のプロセッサを含んでいてもよく、命令の独立した実行、パイプライン処理、及び／又はマルチスレッドを可能にできる。「処理回路」及び「処理モジュール」という用語の使用は、シングルコアプロセッサ、マルチコアプロセッサ、装置内の複数のプロセッサ、及び／又は遠隔又は「クラウド」プロセッサを含むと理解してもよい。
【０１５８】
例示的な実施形態では、プロセッサ３２２は、メモリ３２１に格納された命令又はプロセッサにアクセス可能な命令を実行するように構成されていてもよい。代替又は追加として、プロセッサはハードコーディングされた機能を実行するように構成されていてもよい。そのようなものとして、ハードウェア、ソフトウェア、及びそれらの組み合わせのいずれによって構成されているかどうかにかかわらず、このプロセッサは、適切な構成の本開示の実施形態に係る動作を実行できるエンティティ（例えば、回路において物理的に具現化される）を表していてもよい。或いは、他の例として、プロセッサがソフトウェア命令を実行するものとして具現化される場合、その命令は、その命令が実行されるときに本明細書で説明されるアルゴリズム及び／又は動作を実行させるようにプロセッサを具体的に構成していてもよい。
【０１５９】
いくつかの実施形態では、遠隔装置３２０は、プロセッサ３２２と通信する入出力回路３２３を含んでいてもよく、この入出力回路３２３が、ユーザに出力を提供し、いくつかの実施形態では、ユーザの入力を受信する。この入出力回路３２３は、ユーザインターフェースを含んでいてもよく、ディスプレイを含んでいてもよく、ウェブユーザインターフェース、モバイルアプリケーション、クライアントデバイス、キオスクなどを含んでいてもよい。いくつかの実施形態では、入出力回路３２３は、また、キーボード、マウス、ジョイスティック、タッチスクリーン、タッチ領域、ソフトキー、マイクロフォン、スピーカ、又は他の入出力機構も含んでいてもよい。プロセッサ及び／又はプロセッサを含むユーザインターフェース回路は、プロセッサにアクセス可能なメモリ（メモリ３２１など）に格納されたコンピュータプログラム命令（例えばソフトウェア及び／又はファームウェア）を通じて１つ以上のユーザインターフェース要素の１つ以上の機能を制御するように構成されていてもよい。
【０１６０】
通信回路３２５は、ネットワーク及び／若しくは遠隔装置３２０と通信するあらゆるデバイス、回路、若しくはモジュールからデータを受信し並びに／又はこれらにデータを送信するように構成されたハードウェア或いはハードウェアとソフトウェアとの組み合わせのいずれかで具現化されるデバイス或いは回路などのあらゆる手段であってもよい。これに関して、通信回路３２５は、例えば、有線又は無線通信ネットワークとの通信を可能にするためのネットワークインターフェースを含んでいてもよい。例えば、通信回路３２５は、１つ以上のネットワークインターフェースカード、アンテナ、バス、スイッチ、ルータ、モデム、並びにサポートハードウェア及び／又はソフトウェア、或いはネットワークを介した通信を可能にするのに適した他のあらゆるデバイスを含んでいてもよい。追加又は代替として、通信インターフェースは、アンテナを介して信号の送信を引き起こすために、又はアンテナを介して受信する信号の受信を処理するために、アンテナとインタラクションする回路を含んでいてもよい。
【０１６１】
前述のように、また本開示に基づき理解されるように、本開示の実施形態は、方法、モバイルデバイス、バックエンドネットワークデバイスなどとして構成されていてもよい。従って、実施形態は、完全なハードウェア、又はソフトウェア及びハードウェアのあらゆる組み合わせを含む、様々な手段を備えていてもよい。更に、実施形態は、記憶媒体に組み込まれたコンピュータ可読プログラム命令（例えば、コンピュータソフトウェア）を有する少なくとも１つの非一時的コンピュータ可読記憶媒体上のコンピュータプログラム製品の形態であってもよい。非一時的ハードディスク、ＣＤ−ＲＯＭ、フラッシュメモリ、光学式記憶デバイス、又は磁気記憶デバイスを含む、あらゆる適切なコンピュータ可読記憶媒体を利用できる。
【０１６２】
メッセージデータの送信、格納、及び取得の管理のための例示的な処理
図４Ａ及び４Ｂは、本開示の実施形態に係る地理的に分散したデータ格納を管理するための例示的なデータフロー４００を示している。いくつかの実施形態では、装置は、グループベースの通信システムにおいて地理的に分散したデータ格納を管理するために構成されている。いくつかの実施形態では、この装置は、第１の地理的境界により規定された第１の地理的領域（例えば、地理的領域１）に物理的に位置している。この装置は、少なくとも１つのプロセッサと、この少なくとも１つのプロセッサとともに、装置にデータフロー４００の機能を含む様々な機能を実行させるコンピュータプログラムコードを含む少なくとも１つの非一時的メモリとを備える。いくつかの実施形態では、この装置は、グループベースの通信システム１０６Ａである。いくつかの実施形態では、第１の地理的境界は、複数の第１の緯度及び経度座標によって規定される。
【０１６３】
いくつかの実施形態では、データフロー４００は、グループベースの通信サーバにより、第１のクライアントデバイスから、メッセージデータ、メッセージメタデータ、及びメッセージ識別子を含むメッセージを受信すること４０１を含んでいる。
【０１６４】
いくつかの実施形態では、データフロー４００は、メッセージメタデータからエンティティ識別子を抽出すること４０２と、エンティティ識別子が地理的データ格納ポリシーに関連付けられていることを判定することとを含んでいる。いくつかの実施形態では、メッセージに関連付けられた受信者識別子は、エンティティ識別子が関連付けられているものとは異なる地理的データ格納ポリシーに関連付けられている。いくつかの実施形態では、装置は、メッセージメタデータから組織識別子を抽出し、この組織識別子をエンティティ識別子として使用するように構成されていてもよい。いくつかの実施形態では、装置は、メッセージメタデータから送信ユーザ識別子を抽出し、抽出されたこの送信ユーザ識別子を使用してグループベースの通信リポジトリにクエリして、送信ユーザ識別子に関連付けられた組織識別子を識別し、この組織識別子を抽出されたエンティティ識別子として識別するように構成されていてもよい。
【０１６５】
いくつかの実施形態では、データフロー４００、エンティティ識別子が地理的データ記憶ポリシーに関連付けられていると判定すると、メッセージデータを含む地理的データ常駐メッセージパッケージを、地理的データ格納ポリシーに関連付けられた第２の地理的境界（地理的領域２など）により規定された第２の地理的領域に物理的に位置する地理的データ常駐サーバに送信すること４０３に続く。いくつかの実施形態では、地理的データ常駐サーバは、常駐トークンデータを生成する（４０３Ａ）。この常駐トークンデータは、メッセージデータに関連付けられた地理的データ常駐ローカルリポジトリアドレスを参照する。いくつかの実施形態では、地理的データ常駐サーバは、メッセージデータ及び任意で常駐トークンデータを、格納のための地理的データ記憶ポリシーに関連付けられた第２の地理的境界内に物理的に位置する地理的データ常駐ローカルリポジトリに提供する（４０３Ｂ）。いくつかの実施形態では、第２の地理的境界は、複数の第２の緯度及び経度座標によって規定される。いくつかの実施形態では、第１の地理的境界は第１の地理的データ格納ポリシーに従い、第２の地理的境界は第２の地理的データ格納ポリシーに従う。いくつかの実施形態では、地理的データ常駐メッセージパッケージは、メッセージメタデータのサブセットを更に含み、このメッセージメタデータのサブセットはまた、更新されたメッセージのデータ常駐データで置き換えられる。いくつかの実施形態では、メッセージに関連付けられた受信者識別子は、エンティティ識別子が関連付けられたものとは異なる地理的データ格納ポリシーに関連付けられている。
【０１６６】
いくつかの実施形態では、データフロー４００は、地理的データ常駐サーバから、メッセージデータに関連付けられた地理的データ常駐ローカルリポジトリアドレスを参照する常駐トークンデータを受信すること４０４に続く。いくつかの実施形態では、この地理的データ常駐ローカルリポジトリアドレスは、地理的データ格納ポリシーに関連付けられた第２の地理的境界内に物理的に位置する地理的データ常駐ローカルリポジトリに関連付けられている。いくつかの実施形態では、常駐トークンデータは、メッセージ識別子、格納場所識別子、及びメッセージ暗号化キーを含んでいる。いくつかの実施形態では、このメッセージ暗号化キーは、エンティティ識別子、受信者識別子、送信ユーザ識別子などのうちの１つ以上に従ってグループ化されたメッセージのサブセットに固有のメッセージ暗号化キーであってもよい。いくつかの実施形態では、このメッセージ暗号化キーは、独立型（standalone）のメッセージ復号キーとして使用されてもよい。いくつかの実施形態では、このメッセージ暗号化キーは、暗号化又は復号のためにグループベースの通信サーバ１０６Ａによって管理される他の中央管理メッセージ暗号化キーと併せて使用されてもよい。いくつかの実施形態では、このメッセージ暗号化キーは、グループベースの通信暗号化キー管理サーバによって管理されていてもよく、これは、その内容全体が参照によりここに組み込まれる、２０１９年６月６日に出願された、「METHOD, APPARATUS, AND COMPUTER PROGRAM PRODUCT FOR ENCRYPTION KEY MANAGEMENT WITHIN A GROUP-BASED COMMUNICATION SYSTEM」という名称の米国特許出願番号１６／４３４，０９７でより詳細に議論されている。いくつかの実施形態では、常駐トークンデータは、操作４０４の前に地理的データ常駐サーバからグループベースの通信暗号化キー管理サーバに送信されてもよい。
【０１６７】
例えば４０４で、常駐トークンデータを受信することにより、グループベースの通信サーバは、地理的データ常駐サーバとの通信を通じて、対応するメッセージデータの取得を可能にするように構成されている。同様に、メッセージが複数のデータ常駐ポリシーに関連付けられた共通のグループベースの通信チャネルに関連付けられているいくつかの実施形態では、例えば常駐トークンデータを含むメッセージメタデータが、データ常駐ポリシーのための他の地理的領域における地理的データ常駐サーバを介して、他の地理的領域における任意の数の他の地理的データ常駐ローカルリポジトリに複製されてもよい。これに関して、共通のグループベースの通信チャネルが、各エンティティがデータを異なる地理的領域に格納することを示すデータ保持ポリシーを割り当てられている複数のエンティティからアクセス可能である場合、そのメッセージコンテンツは、メッセージを作成した作成者ユーザアカウントに関連付けられた地理的領域に格納されてもよく、そして、残りの地理的領域は、そのメッセージに関連付けられたメッセージメタデータを格納するように構成されていてもよい。そのメッセージメタデータを各地理的領域、例えば他の地理的領域における地理的データ常駐サーバと通信可能な地理的データ常駐ローカルリポジトリ内に、格納することにより、メッセージコンテンツが格納された地理的領域からそのメッセージコンテンツを取得するためにそのメッセージメタデータを使用してもよい。この点に関して、そのメッセージコンテンツは、１人以上のユーザへの表示、並びに／又は、例えば本明細書に記載の１つ以上の検索インデックスの作成し及び／若しくは格納するための処理のために、取得されてもよい。例示的なコンテキストでは、共通のグループベースの通信チャネルは、少なくとも３つの組織識別子に関連付けられ、各組織識別子はデータを格納するための異なる地理的領域（又は少なくともいくつかの実施形態では異なる主要な地理的領域）を識別する異なる地理的データ格納ポリシーに関連付けられている。この点に関して、共通のグループベースの通信チャネルは各地理的データ格納ポリシーに関連付けられており、メッセージが共通グループベースの通信チャネルに投稿されると、そのメッセージコンテンツ及び／又はメッセージメタデータが、様々な地理的データ格納ポリシーに基づき、適切な各地理的領域にある各地理的データ常駐ローカルリポジトリに複製される。例えば、そのメッセージコンテンツは、メッセージを投稿した認証済みユーザアカウントの組織に関連付けられた地理的データ格納ポリシーによって識別される地理的領域に複製されてもよく、対応するメッセージメタデータは、共通のグループベースの通信チャネルにおける他の組織に関連付けられた残りの地理的データ格納ポリシーによって識別される他の各地理的領域に格納されてもよい。
【０１６８】
いくつかの実施形態では、メッセージに関連付けられたグループベースの通信チャネル識別子に関連付けられた少なくとも１つの組織識別子は、エンティティ識別子に関連付けられた組織識別子とは異なる。そのような実施形態では、メッセージ暗号化キーは、組織識別子に関連付けられた第１のメッセージ暗号化キーと、少なくとも１つの組織識別子に関連付けられた第２のメッセージ暗号化キーとを含んでいる。
【０１６９】
いくつかの実施形態では、データフロー４００は、メッセージからのメッセージデータを常駐トークンデータで置き換えることによる、メッセージの更新４０５に続く。その更新されたメッセージは、常駐トークンデータ、メッセージメタデータ、及びメッセージ識別子を含んでいる。
【０１７０】
いくつかの実施形態では、データフロー４００は、その更新されたメッセージを、第１の地理的境界により規定された第１の地理的領域に物理的に位置するローカルリポジトリに格納すること４０６／４０７に続く。
【０１７１】
いくつかの実施形態では、データフロー４００は、メッセージが正常に配信され及び処理されたことの確認をクライアントデバイスにオプションで送信４０８してもよい。
【０１７２】
地理的データ常駐サーバは、任意の地理的領域に位置していてもよく、例えば、図４Ａに示す地理的領域１又は地理的領域２のいずれにも結び付けられていないことが理解されよう。
【０１７３】
いくつかの実施形態では、地理的データ常駐メッセージパッケージは、メッセージデータのサブセットを含み、このメッセージデータのサブセットは、更新されたメッセージ内の常駐トークンデータで置き換えられる。
【０１７４】
図５Ａ及び５Ｂは、本開示の実施形態に係る、地理的に分散したデータ格納を取得するための例示的なデータフロー５００を示している。いくつかの実施形態では、装置は、グループベースの通信システムにおいて地理的に分散したデータ格納を管理するために構成されている。いくつかの実施形態では、装置は、第１の地理的境界により規定された第１の地理的領域（例えば、地理的領域１）に物理的に位置している。この装置は、少なくとも１つのプロセッサと、少なくとも１つのプロセッサとともに、装置にデータフロー５００の機能を含む様々な機能を実行させるコンピュータプログラムコードを含む少なくとも１つの非一時的メモリとを備える。
【０１７５】
いくつかの実施形態では、データフロー５００は、第２のクライアントデバイスからメッセージ識別子を含むメッセージ取得リクエストを受信すること５０１を含んでいる。
【０１７６】
いくつかの実施形態では、データフロー５００は、ローカルリポジトリから、メッセージ識別子に関連付けられた更新されたメッセージを取得すること５０２を含む。
【０１７７】
いくつかの実施形態では、データフロー５００は、その更新されたメッセージが常駐トークンデータを含むと判定すると、その常駐トークンデータに関連付けられた地理的データ常駐サーバに、その常駐トークンデータを含む地理的データ常駐データ取得リクエストを送信すること５０３を含んでいる。いくつかの実施形態では、地理的データ常駐サーバは、地理的データ格納ポリシーに関連付けられた第２の地理的境界内に物理的に位置する地理的データ常駐ローカルリポジトリからメッセージデータを取得する（５０３Ａ）。いくつかの実施形態では、メッセージデータの永続性が地理的データ常駐ローカルリポジトリにのみ存在するように、メッセージデータは短期メモリに格納される。いくつかの実施形態では、地理的データ常駐サーバが常駐トークンデータを取得できない場合に、地理的データ常駐取得リクエストをグループベースの通信暗号化キー管理サーバに送信してもよい。
【０１７８】
いくつかの実施形態では、データフロー５００は、地理的データ常駐サーバから、常駐トークンデータに関連付けられた地理的データ常駐ローカルリポジトリアドレスにおける地理的データ常駐ローカルリポジトリに格納されたメッセージデータを受信すること５０４を含んでいる。
【０１７９】
いくつかの実施形態では、データフロー５００は、メッセージデータをクライアントデバイスに送信すること５０５を含んでいる。
【０１８０】
いくつかの実施形態では、第１の地理的境界は第１の複数の緯度及び経度座標によって規定され、第２の地理的境界は第２の複数の緯度及び経度座標によって規定される。
【０１８１】
いくつかの実施形態では、第１の地理的境界は第１のデータ格納ポリシーに従い、第２の地理的境界は第２のデータ格納ポリシーに従う。
【０１８２】
いくつかの実施形態では、地理的データ常駐メッセージパッケージはメッセージメタデータのサブセットを更に含み、メッセージメタデータのサブセットはまた、更新されたメッセージ内の常駐トークンデータで置き換えられる。
【０１８３】
いくつかの実施形態では、地理的データ常駐サーバは、第３の地理的境界によって規定された第３の地理的領域に物理的に位置している。
【０１８４】
いくつかの実施形態では、メッセージデータの永続性が地理的データ常駐ローカルリポジトリにのみ存在するように、メッセージデータは短期メモリに格納される。
【０１８５】
いくつかの実施形態では、常駐トークンデータはトークンを含んでいる。
【０１８６】
いくつかの実施形態では、地理的データ格納ポリシーは、特定の地理的境界に関連付けられた法的データ格納要件に関連付けられている。
【０１８７】
いくつかの実施形態では、地理的境界は、アジア、西ヨーロッパ、北米、米国、ドイツ、インド、中国、日本、ヨーロッパ、及びフランスのうちの１つ以上である。
【０１８８】
検索インデックス生成の例示的なデータフロー
図６は、特定の地理的領域に関連する検索インデックスを生成し及び／又は管理するための例示的なデータフローを示している。このデータフロー図は、例示的なコンピューティングアーキテクチャの様々なコンピューティングデバイスによって実行される例示的な動作を含んでいる。具体的には、このコンピューティングアーキテクチャは、地理的データ常駐ローカルリポジトリ６０６Ａと通信する地理的データ常駐サーバ６０４Ａ、及び地理的データ常駐ローカルリポジトリ６０６Ｂと通信する地理的データ常駐サーバ６０４Ｂを含んでいる。地理的データ常駐サーバ６０４Ａ及び地理的データ常駐ローカルリポジトリ６０６Ａは、第１の地理的領域６０８Ａに物理的に位置し、地理的データ常駐サーバ６０４Ｂ及び地理的データ常駐ローカルリポジトリ６０６Ｂは、第２の地理的領域６０８Ｂに物理的に位置している。オプションとして、いくつかの実施形態では、この例示的なコンピューティングアーキテクチャは、地理的データ常駐サーバの一方（例えば、地理的データ常駐サーバ６０４Ａ）、又は地理的データ常駐サーバの両方と通信可能なリクエスタシステム６０２を含んでいてもよい。リクエスタシステム６０２は、地理的データ常駐サーバに対して、局所的に（例えば、同じ地理的領域に）格納された検索インデックスの生成及び／又は更新を開始するために、地理的データ常駐サーバと通信してもよい。いくつかのそのような実施形態では、リクエスタシステム６０２は、グループベースの通信サーバ１０６Ａなどのグループベースの通信サーバ、又はクライアントデバイス１０１Ａ〜１０１Ｎのうちの１つなどのクライアントデバイスによって具現化されてもよい。他の実施形態では、地理的データ常駐サーバは、リクエスタシステム６０２を具現化してもよく、そうでなければそのようなシステムと通信することなく機能してもよい（例えば、各地理的データ常駐サーバは、例えば予め決められたスケジュールに基づき、自動的に更新するように構成されていてもよい）。
【０１８９】
図示された特定のデータフローは、単一のデバイスによって実行されてもよい、又は複数のデバイス（例えば、送信デバイス及び受信デバイス）によって実行される１つ以上の動作を介して実行されてもよいステップを含む。いくつかの実施形態では、各ステップは１つ以上のサブステップを含んでいてもよいことを理解されたい。追加又は代替として、いくつかの実施形態では、ステップは、全体的に又は部分的に他のコンピューティングデバイスによって実行されてもよい。オプションのステップは破線（broken lines）（又は「断続線（dashed line）」）で示されている。いくつかの実施形態では、１つ以上のこのオプションの動作を実行してもよく、又は、対応するコンピューティングデバイスがそのようなオプションの動作の実行用に構成されていてもよく、他の実施形態では、動作を実行しないか、１つ以上のコンピューティングデバイスがそのような実行のために構成されていなくてもよい。
【０１９０】
オプションのステップ６５２で、リクエスタシステム６０２は、検索インデックス生成リクエストを地理的データ常駐サーバ６０４Ａに送信してもよい。これに関して、このリクエスタシステムは、１つ以上の地理的データ常駐サーバによって格納される検索インデックスの生成及び／又は更新を促すように構成されていてもよい。例えば、このリクエスタシステム６０２は、例えば、複数の地理的データ常駐サーバと関連して、相関する地理的データ常駐ローカルリポジトリにより格納され、そして、様々な地理的領域に分散した検索インデックスの更新を調整するように構成されていてもよい。このリクエスタシステム６０２は、このリクエスタシステムによって識別された特定のユーザインタラクションなどの特定の動作又はイベントに応じて検索インデックス生成リクエストを生成及び／又は送信するように構成されていてもよい。代替又は追加として、いくつかの実施形態では、このリクエスタシステム６０２は、１つ以上のタイムスタンプを追跡及び／又は解析して、検索インデックスの更新がいつ必要になるかを判断することによって１つ以上の予め決められた時間（例えば、毎時、毎日、毎週、毎月など）に検索インデックス生成リクエストを生成及び／又は送信するように構成されていてもよい。
【０１９１】
いくつかの実施形態では、検索インデックス生成リクエストなどの及び／又は１つ以上の他の送信などのリクエスタシステム６０２からの送信は、地理的データ常駐サーバ６０４Ａに１つ以上のアクションを開始及び／又は実行させてもよい。例えば、地理的データ常駐サーバ６０４Ａは、この送信の受信に応答して、以下に説明するステップのうちの１つ以上を開始してもよい。この送信は、後続のステップに使用されるデータの取得、そのようなデータの復号、及び／又はデータを取得するべき１つ以上のコンピューティングデバイスの識別に使用するための、データ及び／又は情報を含んでいてもよい。例えば、検索インデックス生成リクエストは、メッセージメタデータセット、常駐トークンデータセット、メッセージデータセット、エンティティ検索キー（又はそのセット）、メッセージ復号キー（又はそのセット）など、及び／又はそれらの任意の組み合わせを含んでいてもよい。
【０１９２】
ステップ６５４では、地理的データ常駐サーバ６０４Ａは、地理的データ常駐ローカルリポジトリ６０６Ａに、１つ以上の局所的に格納された（例えば、同じ地理的領域に格納された）グループベースのメッセージに関連するメッセージデータセットについてクエリするように構成されている。いくつかの実施形態では、この地理的データ常駐サーバ６０４Ａは、１つ以上のリクエストを生成し、及び／又は、これを地理的データ常駐ローカルリポジトリ６０６Ａに送信してもよい。例えば、地理的データ常駐サーバ６０４Ａは、地理的データ常駐データ取得リクエストを生成してもよく、及び／又は地理的データ常駐データ取得リクエストを地理的データ常駐ローカルリポジトリ６０６Ａに送信してもよい。いくつかの実施形態では、地理的データ常駐データ取得リクエストは、地理的データ常駐ローカルリポジトリ６０６Ａに格納されたすべてのメッセージデータをリクエストするように構成されていてもよい。いくつかの実施形態では、地理的データ常駐データ取得リクエストは、地理的データ常駐サーバ６０４Ａによって識別され及び／又は受信された情報に基づき構成されていてもよい。いくつかのそのような実施形態では、地理的データ常駐データ取得リクエストは、地理的データ常駐ローカルリポジトリ６０６Ａに格納されたメッセージデータのサブセットを取得するように構成されていてもよい。例えば、この地理的データ常駐データ取得リクエストは、特定のエンティティ識別子に関連付けられたメッセージデータを取得するように、特別に構成されていてもよい。
【０１９３】
ステップ６５６で、地理的データ常駐ローカルリポジトリ６０６Ａは、例えばそれより前のリクエスト（例えば、ステップ６５４において）に応答して、メッセージデータセットを取得してそれを地理的データ常駐サーバ６０４Ａに提供してもよい。そのメッセージデータセットを取得するために、地理的データ常駐ローカルリポジトリ６０６Ａは、ステップ６５４での送信によって表された、又はこの送信に関連した、１つ以上のクエリを実行してもよい。例えば、地理的データ常駐ローカルリポジトリ６０６Ａは、すべてのメッセージデータ、又は特定のエンティティ識別子に関連付けられた（例えば、特定の組織に関連付けられた）メッセージデータのサブセットのための、クエリを実行してもよい。いくつかの実施形態では、地理的データ常駐サーバ６０４Ａはこのクエリを開始し（例えば、リクエストを利用して）、地理的データ常駐ローカルリポジトリ６０６Ａはそのクエリを実行し、地理的データ常駐サーバ６０４Ａは、その実行されたクエリに応答して結果データとしてのメッセージデータセットを受信する。取得されたメッセージデータセットは、１つ以上の地理的データ格納ポリシーに基づき、第１の地理的領域６０８Ａに格納された１つ以上のグループベースのメッセージのメッセージコンテンツを具現化してもよい。
【０１９４】
オプションのステップ６５８で、地理的データ常駐サーバ６０４Ａは、取得されたメッセージデータセットを復号してもよい。いくつかの実施形態では、例えば、地理的データ常駐サーバ６０４Ａは、取得されたメッセージデータセットを復号する際に使用するための１つ以上のメッセージ復号キーを識別してもよい。いくつかの実施形態では、地理的データ常駐サーバ６０４Ａは、安全な環境にメッセージ復号キーを格納するキー管理システムを含んでいてもよく、又はそれと通信してもよい。地理的データ常駐サーバ６０４Ａは、地理的データ常駐ローカルリポジトリ６０６Ａから取得された情報、例えばメッセージデータセット自体及び／又は関連するメタデータに基づき、１つ以上のメッセージ復号キーを取得してもよい。追加又は代替として、地理的データ常駐サーバ６０４Ａは、前のステップで受信され及び／又は識別された情報に基づき、１つ以上のメッセージ復号キーを取得できる。例えば、地理的データ常駐サーバ６０４Ａは、ステップ６５２で受信した送信から、又はそれに応答して、識別される、エンティティ識別子及び／又は他の情報を利用してもよい。
【０１９５】
いくつかの実施形態では、メッセージデータセットは、局所的に格納されたグループベースのメッセージ（例えば、第１の地理的領域６０８Ａにのみ格納されたメッセージ）のみを含んでいてもよい。いくつかのそのような実施形態では、データフローは、１つ以上の中間ステップを実行することなく、ステップ６７２に続いてもよい。
【０１９６】
他の実施形態では、ステップ６６０で、地理的データ常駐サーバ６０４Ａは、異なる地理的領域に関連付けられた地理的データ常駐サーバから取得されるべき第２のメッセージデータセットを識別してもよい。例えば、地理的データ常駐サーバ６０４Ａは、地理的データ常駐ローカルリポジトリ６０６Ａから取得されたメッセージデータセットが、非ローカルメッセージデータの識別及び／又は取得に使用するための常駐トークンデータセット（例えば、１つ以上の常駐トークンデータオブジェクト）を含むと判定してもよい。これに関して、いくつかのそのような実施形態では、地理的データ常駐サーバ６０４Ａは、取得されたメッセージデータセット及び／又は関連するメタデータセットが、例えば１つ以上の検索方法を利用して、常駐トークンデータセットを含むと判定することによって、取得されるべき第２のメッセージデータセットを識別してもよい。代替又は追加として、いくつかの実施形態では、地理的データ常駐サーバ６０４Ａは、受信したリクエストに含まれるデータの一部などの（例えば、１つ以上のエンティティ識別子）、事前に識別された１つ以上のインジケータ及び／又はデータに基づき、第２の地理的データ常駐サーバから取得されるべき第２のメッセージデータセットを識別してもよい。
【０１９７】
オプションのステップ６６２で、地理的データ常駐サーバ６０４Ａは、第２のメッセージデータセットを取得する際に使用するために、少なくともデータ常駐トークンデータセットを含むメッセージメタデータセットを、地理的データ常駐サーバ６０４Ｂに送信する。いくつかの実施形態では、メッセージメタデータセット、データ常駐トークンデータセットなどは、地理的データ常駐サーバ６０４Ｂに、第２のメッセージデータセットを取得するための１つ以上の動作を開始させるに構成された、地理的データ常駐データ取得リクエストなどの、１つ以上のリクエストの一部として送信されてもよい。いくつかの実施形態では、地理的データ常駐サーバ６０４Ａは、セット内の１つ以上の常駐トークンデータオブジェクトに基づく少なくとも常駐トークンデータセットを送信するサーバを識別する。例えば、各常駐トークンデータオブジェクトは、地理的識別子に関連付けられた第２の地理的領域における地理的データ常駐サーバを識別するために使用してもよい、第２の地理的領域に関連付けられた、地理的領域識別子を含んでいてもよい。代替又は追加として、いくつかの実施形態では、地理的データ常駐サーバ６０４Ａは、例えば前に受信したリクエストに含まれる、前のステップで受信され及び／又は識別されたデータを使用して地理的データ常駐サーバ６０４Ｂを識別してもよい。
【０１９８】
地理的データ常駐サーバ６０４Ｂは、地理的データ常駐サーバ６０４Ａとは異なる地理的領域に位置してもよい。例えば、図示されるように、地理的データ常駐サーバ６０４Ｂは、第２の地理的領域６０８Ｂに位置している。地理的データ常駐サーバ６０４Ａ及び６０４Ｂは、任意の距離だけ離れていてもよい。例えば、いくつかの実施形態では、第１の地理的領域６０８Ａは第１の国であってもよく、第２の地理的領域６０８Ｂは第２の国であってもよい。地理的領域は、特定の大陸又は他の場所の要件に限定されず、例えば、第１の地理的領域６０８Ａは北米を定義し、第２の地理的領域６０８Ｂはヨーロッパを定義してもよい。通信を容易にするために、地理的データ常駐サーバ６０４Ａ及び地理的データ常駐サーバ６０４Ｂは、１つ以上のネットワーク、例えばインターネットを介して、通信するように構成されていてもよい。いくつかの実施形態では、そのネットワークは、大きな物理的距離（例えば、数十、数百、数千マイル、又はそれ以上）を超えて送信するように構成されていてもよい。そのようなネットワークは、そのような送信を容易にするために１つ以上のサブネットワークを含んでいてもよい。
【０１９９】
オプションのステップ６６４で、地理的データ常駐サーバ６０４Ｂは、地理的データ常駐ローカルリポジトリ６０６Ｂに、第２のメッセージデータセットをクエリするように構成されている。いくつかの実施形態では、地理的データ常駐サーバ６０４Ｂは、常駐トークンデータセット及び／又は地理的データ常駐サーバ６０４Ａによって受信されるメッセージメタデータセットに含まれる若しくはこれに関連する他の情報を使用して、地理的データ常駐ローカルリポジトリ６０６Ｂにクエリするように構成されている。いくつかの実施形態では、地理的データ常駐サーバ６０４Ｂは、地理的データ常駐データ取得リクエストを生成し、及び／又はこの地理的データ常駐データ取得リクエストを地理的データ常駐ローカルリポジトリ６０６Ａに送信してもよい。地理的データ常駐データ取得リクエストは、常駐トークンデータセットに基づき第２のメッセージデータセットのクエリ及び取得を開始するように特別に構成されていてもよい。第２のメッセージデータセットは、常駐トークンデータセット内の対応する常駐トークンデータオブジェクトを有する各グループベースのメッセージの、メッセージデータオブジェクトを含んでいてもよい。これに関して、地理的データ常駐データ取得リクエストは、地理的データ常駐ローカルリポジトリ６０６Ｂに格納された第２のメッセージデータサブセットの取得を促すように構成されてもよい。
【０２００】
ステップ６６６で、地理的データ常駐ローカルリポジトリ６０６Ｂは、第２のメッセージデータセットを取得し、それを地理的データ常駐サーバ６０４Ｂに提供してもよい。第２のメッセージデータセットを取得するために、地理的データ常駐ローカルリポジトリ６０６Ｂは、ステップ６６４での送信によって表され、又はこの送信によって開始される１つ以上のクエリを実行してもよい。いくつかの実施形態では、地理的データ常駐サーバ６０４Ｂは、その前のクエリに応答した結果データとして設定された第２のメッセージデータを受信してもよい。
【０２０１】
オプションのステップ６６８で、地理的データ常駐サーバ６０４Ｂは、取得された第２のメッセージデータセットを復号してもよい。いくつかの実施形態では、例えば、地理的データ常駐サーバ６０４Ｂは、第２のメッセージデータセットを復号する際に使用するための１つ以上のメッセージ復号キーを識別してもよい。例えば、いくつかの実施形態では、地理的データ常駐サーバ６０４Ｂは、第２の地理的領域６０８Ｂの安全な環境にメッセージ復号キーを格納する第２のキー管理システムを含むか、又はそれと通信してもよい。地理的データ常駐サーバ６０４Ｂは、地理的データ常駐ローカルリポジトリ６０６Ｂから取得された情報、例えば第２のメッセージデータセット及び／又は関連するメタデータセット、に基づき１つ以上のメッセージ復号キーを取得してもよい。更にいくつかの実施形態では、メッセージ復号キーは、地理的データ常駐サーバ６０４Ａから受信した情報に基づき識別されてもよく、及び／又は地理的データ常駐サーバ６０４Ａから送信されたデータとして受信されてもよい。
【０２０２】
オプションのステップ６７０で、地理的データ常駐サーバ６０４Ｂは、地理的データ常駐サーバ６０４Ａに第２のメッセージデータセットを送信してもよい。例えば、地理的データ常駐サーバ６０４Ｂは、応答送信の一部として第２のメッセージデータセットを含んでいてもよい。送信は、前に受信した送信、例えばステップ６６２で受信したリクエストに応答して提供されてもよい。応答は、同様に、第２の地理的領域６０８Ｂ及び第１の地理的領域６０８Ａ間で接続される１つ以上のネットワークデバイスを含む１つ以上のネットワーク及び／又はサブネットワークを介して送信されてもよい。
【０２０３】
ステップ６７２で、地理的データ常駐サーバ６０４Ａは、取得した及び／又は受信した情報に基づき検索インデックスを生成してもよい。いくつかの実施形態では、地理的データ常駐サーバ６０４Ａは、少なくとも取得されたメッセージデータに基づき検索インデックスを生成する。追加又は代替として、いくつかの実施形態では、検索インデックスは、取得されたメッセージデータ及びメッセージメタデータセットの少なくとも一部に基づき生成される。いくつかの例示的なコンテキストでは、メッセージデータは、地理的データ常駐ローカルリポジトリ６０６Ａから取得される。他の例示的なコンテキストでは、メッセージデータセットは、地理的データ常駐サーバ６０４Ａから取得した第１のローカルメッセージデータセットと、地理的データ常駐サーバ６０４Ｂから取得した第２の分散メッセージデータセットとの組み合わせを含んでいる。いくつかのそのような例では、メッセージデータセットは、第１及び第２のメッセージデータセットからのすべてのデータオブジェクトを含んでいてもよい。
【０２０４】
検索インデックスは、メッセージデータセット、又は組み合わされたメッセージデータセット及びメッセージメタデータセットの少なくとも一部を、検索インデックス生成アルゴリズムに適用することにより生成されてもよい。検索インデックス生成アルゴリズムは、１つ以上の検索インデックス方法論を使用して生成されてもよい。例えば、検索インデックスは、メッセージデータセットの様々なメッセージデータオブジェクトに基づき生成されてもよい。例示的なコンテキストでは、検索インデックスは、メッセージデータセットの各メッセージデータオブジェクト内のテキストコンテンツに基づき生成されてもよい。例えば、検索インデックスは、各メッセージデータオブジェクト内の特定のテキストデータ（例えば、特定の単語、フレーズなど）の特定の場所を特定してもよい。検索インデックスは、検索リクエストで特定されるテキストコンテンツを含むメッセージデータオブジェクトについてのメッセージデータオブジェクト識別情報の効率的かつ正確な検索を可能にするように構成されていてもよい。
【０２０５】
いくつかの実施形態では、地理的データ常駐サーバ６０４Ａは、生成された検索インデックスを暗号化してもよい。例えば、いくつかの実施形態では、地理的データ常駐サーバ６０４Ａは、検索インデックスを暗号化する際に使用するためのエンティティ検索キーを受信し若しくは取得してもよく、又はそうでなければ識別する。いくつかの実施形態では、エンティティ検索キーは、検索インデックスの生成を開始するために受信した情報に基づき取得される。例えば、地理的データ常駐サーバ６０４Ａは、検索インデックスにリンクしているか、そうでなければ関連付けられているエンティティデータオブジェクト識別子に基づきエンティティ検索キーを識別してもよい。例示的なコンテキストでは、検索インデックスは、組織データオブジェクト識別子に関連付けられたグループベースのメッセージのメッセージデータ内の特定のコンテンツを検索するために使用できるように、対応する組織データオブジェクト識別子を有する特定の組織データオブジェクトに関連付けて生成されてもよい。
【０２０６】
ステップ６７４で、地理的データ常駐サーバ６０４Ａは、生成された検索インデックスを格納するように構成されている。いくつかの実施形態では、例えば図に示されるように、地理的データ常駐サーバ６０４Ａは、検索インデックスを地理的データ常駐ローカルリポジトリ６０６Ａに格納するように構成されていてもよい。この検索インデックスは、エンティティデータオブジェクト識別子に関連付けて、例えば、第１の地理的領域６０８Ａのデータ常駐ポリシーにリンクした特定のエンティティデータオブジェクトに関連付けて、格納してもよい。いくつかのそのような実施形態では、地理的データ常駐サーバ６０４Ａは、格納用の検索インデックスを含む検索インデックス格納リクエストを生成するように構成されている。この検索インデックスは、暗号化されていない形式及び／又は暗号化された形式で格納されてもよいことを理解されたい。
【０２０７】
オプションのステップ６７６で、地理的データ常駐サーバ６０４Ａは、リクエスタシステム６０２に応答を送信するように構成されている。いくつかの実施形態では、その送信は、例えばステップ６５２で受信された、前に受信されたリクエストに対する応答を含んでいる。応答送信は、検索インデックスが正常に作成及び／又は格納されたことを示す情報を含んでいてもよい。代替又は追加として、いくつかの実施形態では、この応答送信は、検索インデックス、検索インデックス識別情報、及び／又は生成された検索インデックスに関連する他の情報を含んでいてもよい。リクエスタシステム６０２は、受信した情報を格納するように、及び／又は１つ以上のインターフェース、応答メッセージなどを生成する際にその情報を利用するように構成されていてもよい。例えば、リクエスタシステム６０２は、検索インデックスの生成が正常に処理されたかどうかを示す１つ以上のインターフェースコンポーネントを含む確認インターフェースをレンダリングしてもよい。
【０２０８】
検索インデックス利用のための例示的なデータフロー
図７は、格納された検索インデックスを利用して検索リクエストに応答するための例示的なデータフロー図を示している。このデータフロー図は、他の例示的なコンピューティングアーキテクチャの様々なコンピューティングデバイスによって実行される例示的な動作を含んできる。具体的には、コンピューティングアーキテクチャは、グループベースの通信サーバ７０４と通信するクライアントデバイス７０２を含んでいる。グループベースの通信サーバ７０４は、地理的データ常駐ローカルリポジトリ６０６Ａと通信する少なくとも地理的データ常駐サーバ６０４Ａと通信する。グループベースの通信サーバ７０４は、第３の地理的領域５０８Ｃに物理的に位置し、地理的データ常駐サーバ６０４Ａ及び地理的データ常駐ローカルリポジトリ６０６Ａは、第１の地理的領域６０８Ａに物理的に位置している。
【０２０９】
第３の地理的領域５０８Ｃは、任意の物理的領域であってよいことを理解されたい。これに関して、いくつかのそのような実施形態では、この第３の地理的領域５０８Ｃは、第１の地理的領域６０８Ａと同じ領域であってもよい。他の実施形態では、第３の地理的領域５０８Ｃは、第１の地理的領域６０８Ａとは異なる物理的領域を規定する。これに関して、グループベースの通信サーバ７０４は、そのような地理的領域を接続するためのネットワークデバイスを含む１つ以上のネットワークを介して地理的データ常駐サーバ６０４Ａと通信するように構成されていてもよい。クライアントデバイス７０２は、図示の第１、第２、若しくは第３の地理的領域、又は異なる地理的領域（図示しない）などの特定の地理的領域に位置していてもよいことを理解されたい。
【０２１０】
図示された特定のデータフローは、単一のデバイスによって完全に実行されてもよいステップ、又は複数のデバイス（例えば、送信デバイス及び受信デバイス）によって実行される１つ以上の動作を介して実行されてもよいステップを含んでいる。いくつかの実施形態では、各ステップは１つ以上のサブステップを含んでいてもよいことを理解されたい。追加又は代替として、いくつかの実施形態では、ステップは、全体的又は部分的に他のコンピューティングデバイスによって実行されてもよい。オプションのステップは、破線（又は「断続線」）で示されている。いくつかの実施形態では、１つ以上のオプションの動作を実行するか、又は、対応するコンピューティングデバイスをそのようなオプションの動作の実行用に構成してもよく、その一方で、他の実施形態では、動作を実行しないか、又は、１つ以上のコンピューティングデバイスがそのような実行のために構成されていなくてもよい。
【０２１１】
ステップ７５２で、クライアントデバイス７０２は、グループベースの通信サーバ７０４に検索リクエストを送信する。この検索リクエストは、検索を実行し、検索結果データを識別する際に使用される検索リクエストデータを含んでいてもよい。例えば、例示的なコンテキストでは、この検索リクエストデータは、検索結果データを識別するために検索を解析する際に使用するテキストデータを含んでいてもよい。検索リクエストは、クライアントデバイスを介してレンダリングされた１つ以上のインターフェースとのユーザインタラクションに応答して受信されてもよい。例えば、検索リクエストは、グループベースの通信サーバ７０４による処理のために検索データを入力し及び提出するユーザインタラクションに応答して、受信されてもよい。
【０２１２】
いくつかの実施形態では、クライアントデバイス７０２は、特定の認証済みユーザアカウントに関連付けられていてもよい。例えば、クライアントデバイス７０２のユーザは、予め、認証資格情報（例えば、ユーザー名とパスワード）を提供するか、又は、グループベースの通信サーバ７０４によって提供されるサービスへのアクセスを許可するための認証プロセスを認証済みユーザセッション中に完了していてもよい。これに関して、その認証済みユーザセッション中に、クライアントデバイス７０２は、認証済みユーザアカウントに関連付けられた各リクエストを送信するように構成されていてもよい。これに関して、例えば、受信された検索リクエストは、少なくともリクエスタユーザアカウント識別子、及び／又はリクエスタユーザアカウント識別子に関連付けられ若しくはこれを使用して導き出される他の情報を含んでいてもよい。コンテキストの例では、検索リクエストは、認証済みユーザアカウントがリンクされている組織識別子を少なくとも含んでいる。
【０２１３】
ステップ７５４で、グループベースの通信サーバ７０４は、検索インデックス取得リクエストを地理的データ常駐サーバ６０４Ａに送信するように構成されている。検索インデックス取得リクエストを使用して、地理的データ常駐サーバ６０４Ａに、格納された検索インデックスを取得するために、及び／又は処理のために取得された検索インデックスを提供するために、１つ以上の動作を開始させてもよい。
【０２１４】
いくつかの実施形態では、認証済みユーザアカウントに関連する情報は、検索インデックス取得リクエストを送信する際にグループベースの通信サーバ７０４によって識別され及び／又は使用されてもよい。例えば、いくつかの実施形態では、グループベースの通信サーバ７０４は、認証済みユーザアカウントにリンクされ、含まれ、又は他の方法で関連付けられるエンティティ識別子を識別してもよい。例えば、エンティティ識別子は、認証済みユーザアカウントが登録された組織データオブジェクトを一意的に識別する組織識別子を含んでいてもよい。これに代えて、エンティティ識別子は、認証済みユーザアカウントにアクセス可能な１つ以上のワークスペース識別子を含んでいてもよい。これに代えて、更に他の実施形態では、エンティティ識別子は、認証済みユーザアカウント識別子自体を含んでいる。
【０２１５】
グループベースの通信サーバ７０４は、エンティティ識別子、例えば、いくつかの実施形態では組織識別子を利用して、検索リクエストに関連する少なくとも１つのデータ常駐ポリシーデータオブジェクトを識別してもよい。これに関して、データ常駐ポリシーデータオブジェクトは、認証済みユーザアカウントに関連するデータ及び／又は情報が格納される物理的な地理的領域を示してもよい。いくつかの実施形態では、ユーザは、そのユーザがグループベースの通信サーバ７０４によって送信されるすべて又は一部のデータに適用したいデータ常駐ポリシーデータオブジェクトを選択するために、予め認証されたユーザアカウントを設定してもよい。代替又は追加として、いくつかの実施形態では、組織識別子又はワークスペース識別子などの各エンティティ識別子は、組織データオブジェクト又はグループベースのワークスペースに関連付けられた管理者ユーザによって提供される。これに関して、例えば、特定の組織識別子又はワークスペース識別子にリンクされたそのようなすべてのデータは、選択されたデータ常駐ポリシーデータオブジェクトに基づき格納されてもよい。
【０２１６】
いくつかの実施形態では、識別されたデータ常駐ポリシーデータオブジェクトを使用して、格納された検索インデックスをそこから取得できるコンピューティングデバイスを識別してもよい。いくつかの実施形態では、データ常駐ポリシーデータオブジェクトは、対応するエンティティデータオブジェクト識別子に関連する、格納されたメッセージデータ及び／若しくは検索インデックスが格納された、特定の地理的領域を含んでおり又は示している。例えば、データ常駐ポリシーデータオブジェクトは、そのようなデータが格納されるべき地理的領域を表す地理的領域識別子を含んでいてもよい。地理的データ常駐サーバ６０４Ａ及び／又はグループベースの通信サーバ７０４は、地理的領域識別子によって表される地理的領域における特定のコンピューティングデバイスと通信するために使用されるデータを識別するための、ルックアップテーブルなどのデータ及び／又は情報を含んでいてもよい。例示的な実施形態では、地理的データ常駐サーバ６０４Ａ及び／又はグループベースの通信サーバ７０４は、ルックアップテーブル又は他の手段を利用して、地理的領域識別子をコンピューティングデバイスのＩＰアドレス又は他のコンピューティングデバイス識別子に関連付けるように構成されていてもよい。代替又は追加として、いくつかの実施形態では、データ常駐ポリシーデータオブジェクトは、特定のコンピューティングデバイスとの通信を一意的に可能にするデータ（例えば、地理的領域におけるコンピューティングデバイスに関連付けられたＩＰアドレス、又は、コンピューティングデバイスのそのようなＩＰアドレス若しくはその他のネットワーク識別子を識別するために用いてもよい他の識別子）を含んでいてもよい。図示のように、例えば、データ常駐ポリシーデータオブジェクトを使用して、第１の地理的領域６０８Ａから検索インデックス及び／又はデータを取得するために通信する地理的データ常駐サーバ６０４Ａを識別してもよい。
【０２１７】
ステップ７５６で、地理的データ常駐サーバ６０４Ａは、地理的データ常駐ローカルリポジトリ６０６Ａから格納された検索インデックスを、クエリするように構成されている。地理的データ常駐サーバ６０４Ａは、グループベースの通信サーバ７０４から送信されたエンティティデータオブジェクト識別情報に基づき、地理的データ常駐ローカルリポジトリ６０６Ａにクエリしてもよい。例示的なコンテキストでは、例えば、地理的データ常駐サーバ６０４Ａは、グループベースの通信サーバ７０４から送信された組織識別子を識別し、クエリするためにそのような組織識別子を利用してもよい。
【０２１８】
ステップ７５８で、地理的データ常駐ローカルリポジトリ６０６Ａは、格納された検索インデックスを取得し、その取得した検索インデックスを地理的データ常駐サーバ６０４Ａに提供してもよい。いくつかの実施形態では、地理的データ常駐ローカルリポジトリ６０６Ａは、前のステップで、例えばステップ７５６で、開始されたクエリを実行することによって、応答として検索インデックスを取得するように構成されている。取得された検索インデックスは、その実行されたクエリに応答して提供されてもよい。
【０２１９】
オプションのステップ７６０で、地理的データ常駐サーバ６０４Ａは、地理的データ常駐ローカルリポジトリ６０６Ａから取得された検索インデックスを復号するように構成されている。いくつかの実施形態では、地理的データ常駐サーバ６０４Ａは、その検索インデックスを復号する際に使用するための１つ以上のエンティティ検索キーを識別してもよい。地理的データ常駐サーバ６０４Ａは、例えば、グループベースの通信サーバ７０４から地理的データ常駐ローカルサーバ６０４Ａに送信される１つ以上のエンティティ識別子を提供することによって、１つ以上のキー管理システムと通信してエンティティ検索キーを取得してもよい。代替として、いくつかの実施形態では、例えば１つ以上のエンティティ検索キーを含むエンティティ検索キーセットが、例えば前のステップで、検索インデックスの復号のためにグループベースの通信サーバ７０４から地理的データ常駐サーバ６０４Ａに送信されてもよい。例示的なコンテキストでは、１つ以上のエンティティ検索キーを含むエンティティ検索キーセットは、認証済みユーザアカウント識別子、この認証済みユーザアカウント識別子に関連付けられた組織識別子、及びこの認証済みユーザアカウントに関連付けられた少なくとも１つのグループベースのワークスペース識別子、のグループから選択される１つ以上を使用して識別される。
【０２２０】
ステップ７６２で、地理的データ常駐サーバ６０４Ａは、検索インデックスをグループベースの通信サーバ７０４に送信する。いくつかの実施形態では、地理的データ常駐サーバ６０４Ａは、検索インデックスを、例えばステップ７５４で送信された検索インデックス取得リクエストへの応答などのように、前に送信されたリクエストへの応答として、グループベースの通信サーバ５０４に送信する。いくつかの実施形態では、検索インデックスは、グループベースの通信サーバ５０４による１つ以上の動作を開始するために提供される。例えば、地理的データ常駐サーバ６０４Ａは、対応する検索インデックスが取得されるまで、受信された検索リクエストの処理を一時停止し、地理的データ常駐サーバ６０４Ａからの応答を受信したときにのみ後続の検索リクエストの処理ステップに進んでもよい。
【０２２１】
ステップ７６４で、グループベースの通信サーバ７０４は、検索インデックスに基づき、検索リクエストに応答して検索結果データを識別する。いくつかの実施形態では、グループベースの通信サーバ７０４は、検索インデックス及び前に受信された検索リクエストに基づき検索結果データを識別する。例えば、いくつかの実施形態では、グループベースの通信サーバ７０４は、受信した検索リクエストから検索リクエストデータを識別し、解析し、又は抽出し、その検索リクエストデータに基づき検索インデックスから検索リクエストデータを識別してもよい。例示的なコンテキストでは、検索インデックスを使用して、その検索リクエストデータを含み若しくはそれに関連するメッセージデータオブジェクトを表し又は識別する検索結果データを識別してもよい。例えば、検索インデックスを使用して、検索リクエストデータを含み又はそれに関連するすべてのメッセージデータオブジェクト識別子を含むメッセージデータオブジェクト識別子セットを識別してもよい。検索インデックス及び／又は検索リクエストデータに基づき検索結果データを識別するために、グループベースの通信サーバ７０４は、様々な検索インデックス結果識別アルゴリズム及び／又は方法論のいずれを利用してもよいことを理解されたい。
【０２２２】
更にいくつかの実施形態では、検索インデックスは、検索結果データを識別するために使用される前に、グループベースの通信サーバ７０４によって復号される。これに関して、グループベースの通信サーバ７０４は、地理的データ常駐サーバ６０４Ａから受信された検索インデックスを復号する際に使用するための１つ以上のエンティティ検索キーを識別するように構成されていてもよい。いくつかの実施形態では、グループベースの通信サーバ７０４は、キー管理システムと通信して、例えば認証済みユーザアカウント識別子、関連する組織データオブジェクト識別子、及び／又は１つ以上の関連するグループベースのワークスペース識別子を使用して、エンティティ検索キーセットを取得してもよい。そのようなエンティティ検索キーセットを識別するために使用されるデータは、例えば、ステップ７５２でクライアントデバイスから送信された検索リクエストの一部として含まれ、又は前のステップで提供された情報から導出されるなど、前のステップで受信されてもよい。
【０２２３】
ステップ７６６で、グループベースの通信サーバ７０４は、検索結果データをクライアントデバイス７０２に送信する。いくつかの実施形態では、この検索結果データは、クライアントデバイス５０４に送信される検索応答データオブジェクト内で送信される。この検索結果データは、検索リクエストデータを含み若しくはこれに関連するメッセージデータを含む各メッセージデータオブジェクトに関連付けられた、メッセージデータオブジェクト識別子セット、又はメッセージデータオブジェクトセットを含んでいてもよい。
【０２２４】
いくつかの実施形態では、応答は、検索結果データの受信に応答してクライアントデバイス７０２に１つ以上の動作を実行させるように構成されていてもよい。いくつかの実施形態では、クライアントデバイス７０２のユーザが検索リクエストデータを含むメッセージデータオブジェクトを分析できるように、クライアントデバイス７０２に、検索結果データを含む検索結果インターフェースをレンダリングさせてもよい。いくつかのそのような実施形態では、検索結果インターフェースは、検索結果データで提供される１つ以上のメッセージデータオブジェクト（又は対応する識別子）の選択を表すユーザインタラクションを受信するように構成されていてもよい。そのような選択を表すユーザインタラクションに応答して、クライアントデバイス７０２は、グループベースの通信サーバ７０４及び／又はグループベースの通信システムの他のデバイスからの１つ以上のグループベースのメッセージの取得をリクエストしてもよい。いくつかの実施形態では、クライアントデバイス７０２は、グループベースの通信チャネルに関連して格納されたグループベースのメッセージを閲覧するための少なくともグループベースの通信チャネルインターフェースを含む、グループベースの通信インターフェースをレンダリングするために、グループベースのメッセージを使用できるように、選択されたメッセージデータに関連する特定のグループベースの通信チャネルのための１つ以上のグループベースのメッセージをリクエストしてもよい。例えば、グループベースの通信チャネルインターフェースは、検索結果データからの選択されたメッセージデータに対応するグループベースのメッセージ、並びに／又は、選択されたグループベースのメッセージの前及び／若しくは後の時間閾値内に一時的に配置され、且つ、選択されたグループベースのメッセージと同じグループベースの通信チャネル識別子に関連付けられて格納された、１つ以上のグループベースのメッセージを含み得る、取得されたグループベースのメッセージを含めてレンダリングされてもよい。
【０２２５】
他の実施形態では、代替のデータフローは、図６及び図７に示されていない１つ以上の他のデバイスを含むシステムアーキテクチャ間で行われてもよいことを理解されたい。同様に、他の実施形態では、代替のデータフローは、１つ以上の追加のステップ、代替のステップ、又は図６及び図７に示されたステップとは異なる順序で実行される１つ以上のステップを含んでいてもよい。この点に関して、図示されている特定のデータフローは例示目的のみであり、本明細書の開示の範囲及び思想を限定するものではないことを理解されたい。
【０２２６】
例示的装置による検索インデックス生成の例示的フローチャート
図８〜１３は、本開示の実施形態に係る、検索インデックス生成のための例示的な動作を示すフローチャートを示している。オプションのブロックは、全体にわたって破線又は「断続線」で示されている。図示されたブロックの１つ以上は、同時に実行してもよく、又は図示された特定の順序とは別の順序で実行されてもよいことを理解されたい。特定の図示の内容は、本明細書の開示の範囲及び思想を限定するものではないことを理解されたい。
【０２２７】
図８は、検索インデックス生成のために実行される例示的な動作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。
【０２２８】
装置２００は、ブロック８０２で、ローカル検索モジュール２０６、検索管理モジュール２０７、通信回路２０５、プロセッサ２０２など、又はそれらの組み合わせなどの手段を含み、これらの手段は、少なくとも常駐トークンデータセットを含むメッセージメタデータセットを受信するように構成されている。いくつかの実施形態では、常駐トークンデータセットを含むメッセージメタデータセットは、第２の地理的境界によって規定された第２の地理的領域に位置している地理的データ常駐サーバから受信される。メッセージメタデータセットは、第２の地理的領域に関連付けられたデータ常駐ポリシーデータオブジェクトに関連付けられた認証済みユーザアカウントが新しいグループベースのメッセージを送信すると、受信される。この点で、グループベースのメッセージのコンテンツ（例えば、メッセージデータ）は、データ常駐ポリシーデータオブジェクトに従って特定の地理的領域に物理的に格納されており、その一方で、他の物理的領域に格納されているメッセージデータの取得を可能にするために、メッセージメタデータセットは１つ以上の他の物理的な地理的領域（例えば、第１の地理的領域）格納されていてもよい。
【０２２９】
いくつかの実施形態では、メッセージメタデータセットは、異なるデータ常駐ポリシーを介して管理される２つのエンティティに関連付けられた共通のグループベースの通信チャネル内で送信されるメッセージデータに関連付けられている。例えば、いくつかの実施形態では、第１のエンティティが第１の地理的領域におけるメッセージデータの格納を示すデータ常駐ポリシーに関連付けられる一方、第２のエンティティが第２の地理的領域におけるメッセージデータの格納を示すデータ常駐ポリシーに関連付けられるように、装置２００は、第１の地理的領域に関連付けられている。一つの例示的コンテキストでは、第１のエンティティは、第１のデータ常駐ポリシーによって管理される第１の組織であってもよく、ここで、例えば、第１の組織にリンクされた認証済みユーザアカウントによって共通グループベースの通信チャネル内で送信されるメッセージデータは、第１の地理的領域に格納される。同様に、この例のコンテキストでは、第２のエンティティは、第２のデータ常駐ポリシーによって管理される第２の組織であってもよく、ここで、例えば、第２の組織にリンクされた認証済みユーザアカウントによって共通のグループベースの通信チャネル内で送信されるメッセージデータは、第２の地理的領域に格納される。これに関して、各メッセージに対応するメッセージメタデータは、少なくとも共通のグループベースの通信チャネルに関連付けられたメッセージ用検索インデックスを発生させるときに、他の地理的領域における地理的データ常駐サーバがメッセージコンテンツを取得するためにそのようなメッセージメタデータセットを利用できるように、格納のために他の地理的領域に送信されてもよい。
【０２３０】
更に他の例では、２つのエンティティは、各々が同じ組織識別子に関連付けられた第１のグループベースのワークスペース及び第２のグループベースのワークスペースによって具現化されていてもよい。これに関して、組織は、第１のグループベースの通信ワークスペース内のデータを第１のデータ保持ポリシーによって管理されるように、且つ、第２のグループベースの通信ワークスペース内のデータを第２のデータ保持ポリシーによって管理されるように割り当てていてもよい。共通のグループベースの通信チャネルが第１及び第２のグループベースのワークスペースを介してアクセスできる状況では、組織の管理者ユーザアカウントは、メッセージを取得し、及び／又は、両方の地理的領域でそのようなグループベースのワークスペースに対して検索インデックスが作成されるように、共通のグループベースの通信チャネルのメッセージメタデータを両方の領域に格納するように設定してもよい。この点で、第１の地理的領域に格納される各メッセージのメッセージメタデータは、第２の地理的領域の地理的データ常駐ローカルリポジトリに複製され、同様に、第２の地理的領域に格納される各メッセージのメッセージメタデータは、第１の地理的領域の地理的データ常駐ローカルリポジトリに複製されてもよい。
【０２３１】
装置２００は、ブロック８０４で、第２の地理的領域に関連付けられた地理的データ常駐ローカルリポジトリから、少なくとも常駐トークンデータセットに基づくメッセージデータセットを取得するように構成された、例えば、ローカル検索モジュール２０６、検索管理モジュール２０７、通信回路２０５、プロセッサ２０２など、又はそれらの組み合わせなどの、手段を備えている。いくつかの実施形態では、メッセージデータセットを取得するために、装置２００は、地理的データ常駐データ取得リクエストを生成し、第２の地理的領域に関連付けられた地理的データ常駐サーバに送信するように構成されていてもよい。この地理的データ常駐データ取得リクエストは、少なくとも常駐トークンデータセットを含んでいてもよく、いくつかの実施形態では、メッセージメタデータセットの１つ以上の他の部分を含んでいてもよい。この地理的データ常駐データ取得リクエストは、常駐トークンデータセットに関連するメッセージデータセットについての地理的データ常駐サーバのクエリを表していてもよい。この点に関して、地理的データ常駐データ取得リクエストにより、地理的データ常駐サーバは、常駐トークンデータセットに基づき、関連する地理的データ常駐リポジトリにそのようなメッセージデータセットをクエリし、装置２００へ対応する結果データを（例えば、送信することによって）提供してもよい。
【０２３２】
いくつかの実施形態では、装置２００は、前のリクエストにより要求されたデータを格納している地理的データ常駐ローカルキャッシュからデータを取得するように構成されている。例えば、いくつかの実施形態では、装置２００は、前のブロックの地理的データ常駐ローカルリポジトリから少なくとも常駐トークンデータセットに関連付けられたメッセージデータセットを取得し、このメッセージデータセットを将来の取得のために地理的データ常駐ローカルキャッシュに格納していてもよい。地理的データ常駐ローカルキャッシュは、装置２００と同じ地理的領域にあり、第２の地理的領域における地理的データ常駐ローカルリポジトリと通信するために必要なネットワーキングリソースを利用せずにアクセスできる。
【０２３３】
装置２００は、ブロック８０６で、メッセージメタデータセット及びメッセージデータセットのグループから選択される１つ以上に基づく検索インデックスを生成するように構成された、ローカル検索モジュール２０６、検索管理モジュール２０７、通信回路２０５、プロセッサ２０２など、又はそれらの組み合わせなどの手段を備えている。これに関して、その検索インデックスは、グループベースのメッセージセットを識別するために効率的に検索されるように構成され及び／若しくは編成されたデータオブジェクト、又は、特定の検索リクエストデータを含むメッセージデータに関連するグループベースのメッセージについての対応するグループベースのメッセージ識別子セットを、具現化していてもよい。検索インデックスは、様々な検索インデックスアルゴリズム（search indexing algorithms）及び／又は方法論のいずれかを使用して生成してもよいことを理解されたい。例えば、いくつかの実施形態では、検索インデックスは、テキストデータ（例えば、単語、句など）を１つ以上のグループベースのメッセージにリンクするためのツリー構造を含んでいる。いくつかの実施形態では、検索インデックスは、１つ以上の関連するグループベースのメッセージ内の検索リクエストデータに関する更なる情報及び／又はより詳細な情報を提供してもよいことを理解されたい。例えば、いくつかの実施形態では、検索インデックスは、検索リクエストデータを含むグループベースのメッセージ内の特定のテキストデータの場所に関する位置データを提供してもよい。
【０２３４】
装置２００は、ブロック８０８で、例えば、ローカル検索モジュール２０６、検索管理モジュール２０７、通信回路２０５、プロセッサ２０２など、又はそれらの組み合わせなどの、第２の地理的領域に関連付けられた地理的データ常駐ローカルリポジトリに検索インデックスを格納するように構成された手段を備えている。いくつかの実施形態では、装置２００は、検索インデックスを第２の地理的領域に位置する地理的データ常駐サーバに送信して、この地理的データ常駐サーバに、その検索インデックスを第２の地理的領域における第２の地理的データ常駐ローカルリポジトリに格納させてもよい。例えば、装置２００は、検索インデックス格納リクエストを生成し、これを第２の地理的領域に関連付けられた地理的データ常駐サーバに送信してもよい。ここで、検索インデックス格納リクエストは、第２の地理的領域に格納するための検索インデックスを含んでいる。
【０２３５】
図９は、検索インデックス生成のために、特に、第２の地理的領域に関連付けられた地理的データ常駐ローカルリポジトリから少なくとも常駐トークンデータセットに基づきメッセージデータセットを取得するために、実行される例示的な動作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。
【０２３６】
装置２００は、ブロック９０２で、常駐トークンデータセットを含む地理的データ常駐データ取得リクエストを生成するように構成された、例えば、ローカル検索モジュール２０６、検索管理モジュール２０７、通信回路２０５、プロセッサ２０２など、又はそれらの組み合わせなどの手段を備えている。地理的データ常駐データ取得リクエストは、常駐トークンデータセットに関連するメッセージデータセットのクエリを表していてもよい。これに関して、常駐トークンデータセット内の各常駐トークンデータオブジェクトは、他の地理的領域、例えば第２の地理的領域に物理的に位置している地理的データ常駐ローカルリポジトリの特定のメッセージ行に対応していてもよい。これに関して、各常駐トークンデータオブジェクトは、常駐トークンデータオブジェクトに関連付けられたグループベースのメッセージのメッセージデータを取得するために、地理的データ常駐サーバ及び／又は対応する地理的データ常駐ローカルリポジトリによって利用されてもよい。
【０２３７】
装置２００は、ブロック９０４で、地理的データ常駐データ取得リクエストを第２の地理的領域に関連付けられた地理的データ常駐サーバに送信するように構成された、例えば、ローカル検索モジュール２０６、検索管理モジュール２０７、通信回路２０５、プロセッサ２０２など、又はそれらの組み合わせなどの、手段を備えている。地理的データ常駐データ取得リクエストは、地理的データ常駐サーバに、第２の地理的領域に関連付けられた相関する地理的データ常駐ローカルリポジトリからメッセージデータセットを取得させるように構成されていてもよい。いくつかの実施形態では、地理的データ常駐サーバ及び／又は地理的データ常駐ローカルリポジトリは、常駐トークンデータセットの少なくとも一部に基づき識別されてもよい。例えば、常駐トークンデータセットは、１つ以上の常駐トークンデータオブジェクトを含んでいてもよく、各常駐トークンデータオブジェクトは、特定の常駐トークンデータオブジェクトと相互に関連するメッセージデータを取得するために使用される地理的データ常駐サーバや地理的データ常駐ローカルリポジトリに関連付けられたデバイス識別情報を含む。いくつかのそのような実施形態では、リクエストを受信すると、地理的データ常駐サーバは、常駐トークンデータセットに基づき地理的データ常駐ローカルリポジトリをクエリすることによってメッセージデータセットを取得してもよい。
【０２３８】
装置２００は、ブロック９０６で、第２の地理的領域に関連付けられた地理的データ常駐サーバからの応答としてメッセージデータを受信するように構成された、ローカル検索モジュール２０６、検索管理モジュール２０７、通信回路２０５、プロセッサ２０２など、又はそれらの組み合わせなどの手段を備えている。いくつかの実施形態では、メッセージデータセットは、１つ以上の関連するグループベースのメッセージのコンテンツを含んでいる。メッセージデータセットは、様々なエンティティデータオブジェクト及び／又は地理的領域に関連付けられた１つ以上の検索インデックスを生成する際に使用するために提供されてもよい。例えば、いくつかのそのような実施形態では、常駐トークンデータセットは、メッセージデータセットが、特定のエンティティデータオブジェクト識別子に関連付けられたすべてのグループベースのメッセージのメッセージデータオブジェクトを含むように、特定のエンティティデータオブジェクト識別子に関連付けられた常駐トークンデータオブジェクトを含んでいる。これに関して、特にエンティティデータオブジェクト識別子に関連付けられた検索インデックスを生成するために、メッセージデータセットを使用してもよい。
【０２３９】
図１０は、特に、暗号化された環境でメッセージデータセットを取得するための、検索インデックスを生成するために実行される例示的な操作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。
【０２４０】
装置２００は、ブロック１００２で、常駐トークンデータセットに関連付けられた少なくとも１つのメッセージ復号キーを識別するように構成された、例えば、ローカル検索モジュール２０６、検索管理モジュール２０７、通信回路２０５、プロセッサ２０２など、又はそれらの組み合わせなどの手段を備えている。いくつかの実施形態では、装置２００は、装置２００と同じ地理的領域における安全な環境に、少なくともメッセージ復号キーを格納するように構成されたキー管理システムと通信するように構成されている。いくつかの実施形態では、このキー管理システムは、１つ以上のエンティティデータオブジェクト識別子に関連付けられたメッセージ復号キーを含んでいてもよい。いくつかの実施形態では、例えば、常駐トークンデータセットは、特定のエンティティデータオブジェクト識別子に関連付けられ、少なくとも１つのメッセージ復号キーは、同様に特定のエンティティデータオブジェクト識別子に関連付けられていてもよい。これに関して、１つ以上のメッセージ復号キーを利用して、対応するエンティティデータオブジェクト識別子に関連付けられた暗号化されたメッセージデータオブジェクトを復号してもよい。いくつかの実施形態では、１つ以上のメッセージ復号キーは、メッセージデータオブジェクトを暗号化するための暗号化キーとして同様に機能する。他の実施形態では、メッセージメッセージオブジェクトの暗号化を可能にするために、異なるメッセージ暗号化キーが１つ以上のメッセージ復号キーと対にされる。
【０２４１】
装置２００は、ブロック１００４で、常駐トークンデータセットを含む地理的データ常駐データ取得リクエストを生成するように構成された、例えば、ローカル検索モジュール２０６、検索管理モジュール２０７、通信回路２０５、プロセッサ２０２など、又はそれらの組み合わせなどの手段を備えている。地理的データ常駐データ取得リクエストは、常駐トークンデータセットに関連付けられたメッセージデータセットについてのクエリを表していてもよい。これに関して、常駐トークンデータセット内の各常駐トークンデータオブジェクトは、例えば第２の地理的領域などの、他の地理的領域に、物理的に位置している地理的データ常駐ローカルリポジトリの特定のメッセージ行に対応していてもよい。これに関して、各常駐トークンデータオブジェクトは、地理的データ常駐サーバ及び／又は対応する地理的データ常駐ローカルリポジトリによって利用されて、常駐トークンデータオブジェクトに関連するグループベースのメッセージのメッセージデータを取得してもよい。いくつかの実施形態では、地理的データ常駐データ取得リクエストは、地理的データ常駐サーバ及び／又は地理的データ常駐ローカルリポジトリによって使用される少なくとも１つのメッセージ復号キーを更に含んでいる。
【０２４２】
装置２００は、ブロック１００６で、地理的データ常駐データ取得リクエストを、第２の地理的領域に関連付けられた地理的データ常駐サーバに送信するように構成された、例えば、ローカル検索モジュール２０６、検索管理モジュール２０７、通信回路２０５、プロセッサ２０２など、又はそれらの組み合わせなどの手段を備えている。地理的データ常駐データ取得リクエストは、地理的データ常駐サーバに、暗号化されたメッセージデータセットを、第２の地理的領域に関連付けられた相関する地理的データ常駐ローカルリポジトリから取得させるように構成されていてもよい。いくつかの実施形態では、地理的データ常駐サーバ及び／又は地理的データ常駐ローカルリポジトリは、常駐トークンデータセットの少なくとも一部に基づき識別されてもよい。例えば、常駐トークンデータセットは、１つ以上の常駐トークンデータオブジェクトを含んでいてもよく、各常駐トークンデータオブジェクトは、特定の常駐トークンデータオブジェクトに関連するメッセージデータを取得するために使用される地理的データ常駐サーバ及び／又は地理的データ常駐ローカルリポジトリに関連付けられたデバイス識別情報を含んでいる。いくつかのそのような実施形態では、そのリクエストを受信すると、地理的データ常駐サーバは、常駐トークンデータセットに基づき地理的データ常駐ローカルリポジトリをクエリすることによって、暗号化されたメッセージデータセットを取得してもよい。例えば、各暗号化されたメッセージデータオブジェクトは、地理的データ常駐ローカルリポジトリに、常駐トークンデータセットの特定の常駐トークンデータオブジェクトに対応するメッセージ行として格納されていてもよい。
【０２４３】
地理的データ常駐データ取得リクエストが少なくとも１つのメッセージ復号キーを更に含むいくつかの実施形態では、地理的データ常駐サーバ及び／又は地理的データ常駐ローカルリポジトリは、少なくとも１つのメッセージ復号キーを利用してメッセージデータセットを取得してもよい。例えば、いくつかの実施形態では、地理的データ常駐ローカルリポジトリは、少なくとも１つのメッセージ復号キーを利用して、メッセージデータを取得し及び／又は暗号化されたメッセージデータセットを復号してもよい。そのようないくつかの実施形態では、地理的データ常駐ローカルリポジトリは、少なくとも１つのメッセージ復号キーを利用してメッセージデータセットを取得し、及び／又は取得された暗号化データを復号するように構成されている。代替として、いくつかの実施形態では、地理的データ常駐サーバは、少なくとも１つのメッセージ復号キーを利用して、対応する地理的データ常駐ローカルリポジトリから取得されたメッセージデータセットを復号するように構成されている。
【０２４４】
いくつかの実施形態では、装置２００は、地理的データ常駐ローカルキャッシュが前に完了したリクエストに応答して、暗号化されたデータを格納している地理的データ常駐ローカルキャッシュから暗号化されたデータを取得するように構成されている。例えば、いくつかの実施形態では、装置２００は、前のブロックで地理的データ常駐ローカルリポジトリから暗号化メッセージデータセットを取得し、将来の取得のためにその暗号化されたメッセージデータセットを地理的データ常駐ローカルキャッシュに格納していてもよい。地理的データ常駐ローカルキャッシュは、装置２００と同じ地理的領域にあってもよく、第２の地理的領域における地理的データ常駐ローカルリポジトリと通信するために必要なネットワーキングリソースを利用せずにアクセスできる。
【０２４５】
装置２００は、ブロック１００８で、少なくとも１つのメッセージ復号キーを使用して暗号化されたメッセージデータセットを復号するように構成された、例えば、ローカル検索モジュール２０６、検索管理モジュール２０７、通信回路２０５、プロセッサ２０２など、又はそれらの組み合わせなどの手段を備えている。暗号化されたメッセージデータセットは、復号されてメッセージデータセットを識別してもよい。そのようないくつかの実施形態では、メッセージデータの暗号化は、メッセージ復号キーにアクセスできない他のサーバ及び／又は認証されていないコンピューティングデバイスによる暗号化メッセージデータの復号を防ぐことにより、システム全体のセキュリティを改善できる。更に、いくつかの実施形態では、認証済みユーザアカウントは、その認証済みユーザアカウントが管理者である１つ以上のエンティティデータオブジェクトに関連付けられた１つ以上のメッセージ復号キーを管理してもよい。これに関して、ユーザは、認証済みユーザアカウントを介して、特定のメッセージ復号キーへのアクセスを取り消し、及び／又は対応する暗号化されたメッセージデータへのアクセスを防止するためにそのメッセージ復号キーを削除してもよい。
【０２４６】
図１１は、検索インデックス生成のために、特に、少なくとも共通のグループベースの通信チャネル識別子に関連付けられたグループベースのメッセージのための検索インデックスを生成するために、実行される例示的な動作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。
【０２４７】
装置２００は、ブロック１１０２で、第１の地理的境界に関連付けられた地理的データ常駐ローカルリポジトリから、共通のグループベースの通信チャネル識別子に関連付けられた第１のメッセージデータサブセット及びメッセージメタデータセットを取得する、例えば、ローカル検索モジュール２０６、検索管理モジュール２０７、通信回路２０５、プロセッサ２０２など、又はそれらの組み合わせなどの手段を備えている。これに関して、第１のメッセージデータサブセットは、第１の領域に位置している地理的データ常駐リポジトリに格納されたグループベースのメッセージのメッセージデータを含んでいてもよい。メッセージメタデータセットは、他の地理的領域、例えば特定の第２の地理的領域における地理的データ常駐ローカルリポジトリに物理的に位置している１つ以上のコンピューティングデバイスによって格納されたメッセージデータを有する１つ以上のグループベースのメッセージを識別してもよい。メッセージメタデータセットは、追加又は代替として、対応する第１のメッセージデータサブセットを取得する際の、ユーザのための常駐トークンデータセットを含んでいてもよい。
【０２４８】
いくつかのそのような実施形態では、メッセージメタデータセットは、共通のグループベースの通信チャネル識別子に関連付けられた格納されたメッセージデータを有する各グループベースのメッセージについてのデータ常駐トークンデータオブジェクトを含んでいる。共通のグループベースのチャネル識別子は、複数のエンティティデータオブジェクト（例えば、２つ以上の組織データオブジェクト）に関連付けられている。これに関して、グループベースのメッセージの一部分は、第１のデータ常駐ポリシーデータオブジェクトに関連付けられていてもよく、グループベースのメッセージの第２の一部分は、第２のデータ常駐ポリシーデータオブジェクトに関連付けられていてもよい。データ常駐ポリシーデータオブジェクトの少なくとも１つは、第１の地理的領域におけるメッセージデータの格納に関連し、その第２番目は第２の地理的領域におけるメッセージデータの格納に関連していてもよい。常駐トークンデータセットは、共通のグループベースの通信チャネル識別子に関連付けられたすべてのメッセージ行について、最初の地理的境界に関連付けられた地理的データ常駐ローカルリポジトリにクエリを実行し、そのメッセージ行を、第１のメッセージデータサブセット（例えば、常駐トークンデータセットを含まないメッセージ行について）及びメッセージメタデータセット（例えば、常駐トークンデータオブジェクトを含む各メッセージ行についての少なくとも常駐トークンデータオブジェクトを含む）に分けて解析してもよい。
【０２４９】
装置２００は、オプションのブロック１１０４で、メッセージメタデータセットの少なくとも一部に基づき、第２の地理的領域に関連付けられた地理的データ常駐サーバを特定するように構成された、ローカル検索モジュール２０６、検索管理モジュール２０７、通信回路２０５、プロセッサ２０２など、又はそれらの組み合わせなどの、手段を備えている。いくつかの実施形態では、地理的データ常駐サーバは、（１）常駐トークンデータセット及び（２）メッセージメタデータセットの第２の部分のグループからの１つ以上を使用して特定される。１つの例示的なコンテキストでは、常駐トークンデータセットは、各々がメッセージデータセットを取得するために通信されるデバイスを識別する情報を含む常駐トークンデータオブジェクトを含んでいる。例えば、１つ以上の常駐トークンデータオブジェクトには、地理的データ常駐サーバ及び／若しくは対応する地理的データ常駐ローカルリポジトリとの通信に使用でき、又は、これらとの通信に使用できる他の情報を導き出すために用いられる、ＩＰアドレス或いは他の識別子を少なくとも含めてもよい。他の例示的なコンテキストでは、地理的データ常駐サーバは、メッセージメタデータセットに含まれるエンティティデータオブジェクト識別子に基づき特定される。
【０２５０】
装置２００は、オプションのブロック１１０６で、第２の地理的領域に関連付けられた地理的データ常駐サーバに、メッセージメタデータセットの少なくとも一部を複製させるように構成された、ローカル検索モジュール２０６、検索管理モジュール２０７、通信回路２０５、プロセッサ２０２など、又はそれらの組み合わせなどの手段を備えている。例えば、いくつかの実施形態では、地理的データ常駐サーバは、少なくともグループベースのメッセージ識別情報を第２の地理的領域に関連付けられた地理的データ常駐ローカルリポジトリに複製して、その複製されたメタデータを使用して、どのメッセージデータが特定のグループベースのメッセージ行に対応するかを識別するようにしてもよい。いくつかの実施形態では、地理的データ常駐サーバは、検索インデックスに基づき検索結果データを識別する際に使用するために、メッセージメタデータセットの少なくとも一部を複製させられる（例えば、メッセージメタデータセットの一部に関連するメッセージデータが、局所的に又は他の地理的データ常駐サーバから取得できるように）。追加又は代替として、いくつかの実施形態では、地理的データ常駐サーバは、地理的データ常駐サーバが背後で装置２００との通信をしなくてもメッセージメタデータセットを取得できるように、格納するメッセージメタデータセットの少なくとも一部を地理的データ常駐ローカルキャッシュに複製させられる。
【０２５１】
装置２００は、ブロック１１０８で、第２の地理的領域に位置している地理的データ常駐サーバから、共通のグループベースの通信チャネル識別子に関連付けられた第２のメッセージデータサブセットを受信するように構成された、例えば、ローカル検索モジュール２０６、検索管理モジュール２０７、通信回路２０５、プロセッサ２０２など、又はそれらの組み合わせなどの、手段を備えている。いくつかの実施形態では、装置２００は、第２の地理的領域に位置する地理的データ常駐サーバと通信して、取得されたメッセージメタデータセットに含まれる常駐トークンデータセットに基づき第２のメッセージデータサブセットを取得するように構成されている。常駐トークンデータセットは、共通のグループベースの通信チャネル識別子に関連付けられたグループベースのメッセージのメッセージデータに各々が関連する１つ以上の常駐トークンデータオブジェクトを含んでいてもよい。例えば、第２のメッセージデータサブセットは、第２の組織データオブジェクト識別子に関連して送信されるグループベースのメッセージを含んでいてもよい。ここで、その第２の組織データオブジェクト識別子は、第２の地理的領域にある組織データオブジェクトの認証済みユーザアカウントに関連付けられたグループベースのメッセージを格納するように構成された、データ常駐ポリシーデータオブジェクトに関連づけられている。
【０２５２】
これに関して、装置２００は、少なくとも常駐トークンデータセットと、更にいくつかの実施形態では共通のグループベースの通信チャネル識別子とを含む地理的データ常駐データ取得リクエストを生成し及び送信してもよい。地理的データ常駐データ取得リクエストは、常駐トークンデータセットに基づく第２のメッセージデータセットのクエリを表していてもよい。メッセージ取得セットは、第２の地理的領域に位置する地理的データ常駐サーバに、第２の地理的領域に関連付けられた第２の地理的データ常駐ローカルリポジトリから第２のメッセージデータサブセットを取得させるように構成されていてもよい。例えば、地理的データ常駐データ取得リクエストは、第２の地理的領域に位置する地理的データ常駐サーバに、第２のメッセージデータセットを取得するための第２の地理的データ常駐ローカルリポジトリへの１つ以上のクエリを開始させてもよい。次いで、地理的データ常駐サーバは、例えば、送信された地理的データ常駐データ取得リクエストに対する応答データとして、取得された第２のメッセージデータサブセットを装置２００に提供してもよい。
【０２５３】
いくつかの実施形態では、装置２００は、地理的データ常駐ローカルキャッシュが前に完了したリクエストに応答して第２のメッセージデータサブセットを格納した地理的データ常駐ローカルキャッシュから、第２のメッセージデータサブセットを取得するように構成されている。例えば、いくつかの実施形態では、装置２００は、前のブロックで地理的データ常駐ローカルリポジトリから第２のメッセージデータサブセットを取得し、将来の取得のためにその第２のメッセージデータサブセットを地理的データ常駐ローカルキャッシュに格納していてもよい。この地理的データ常駐ローカルキャッシュは、装置２００と同じ地理的領域にあり、第２の地理的領域における地理的データ常駐ローカルリポジトリと通信するために必要なネットワーキングリソースを利用することなくアクセスできる。
【０２５４】
装置２００は、ブロック１１１０で、第１のメッセージデータサブセット、第２のメッセージデータサブセット、及びメッセージメタデータサブセットに基づき、検索インデックスを生成するように構成された、ローカル検索モジュール２０６、検索管理モジュール２０７、通信回路２０５、プロセッサ２０２など、又はそれらの組み合わせなどの手段を備えていてもよい。これに関して、検索インデックスは、メッセージデータに関連するグループベースのメッセージについて、グループベースのメッセージセット、又は対応するグループベースのメッセージ識別子セットを識別するために、特定の検索リクエストデータを含む、第１又は第２のメッセージデータサブセットから、効率的に検索されるように構成され及び／又は編成されたデータオブジェクトを具現化していてもよい。検索インデックスは、様々な検索インデックスアルゴリズム及び／又は方法論のいずれかを使用して生成してもよいことを理解されたい。例えば、いくつかの実施形態では、検索インデックスは、テキストデータ（例えば、単語、句など）を１つ以上のグループベースのメッセージにリンクするためのツリー構造を含んでいる。いくつかの実施形態では、検索インデックスは、１つ以上の関連するグループベースのメッセージ内の検索リクエストデータに関する更なる情報及び／又はより詳細な情報を提供してもよいことを理解されたい。例えば、いくつかの実施形態では、検索インデックスは、検索リクエストデータを含むグループベースのメッセージ内の特定のテキストデータの場所に関する位置データを提供してもよい。特定のメッセージデータのインスタンスは、メッセージメタデータサブセットからのメッセージデータオブジェクト識別子、及び／又は常駐トークンデータオブジェクトに関連付けられて格納されてもよい。これらは、検索結果データで識別されたグループベースのメッセージを再構築し及び提供するために必要なすべての情報を取得するために使用されてもよい。
【０２５５】
装置２００は、ブロック１１１２で、第１の地理的領域に関連付けられた地理的データ常駐ローカルリポジトリに検索インデックスを格納するように構成された、ローカル検索モジュール２０６、検索管理モジュール２０７、通信回路２０５、プロセッサ２０２など、又はそれらの組み合わせなどの手段を備えている。いくつかの実施形態では、装置２００は、新たに生成された検索インデックスを、格納するために地理的データ常駐ローカルリポジトリに送信する。いくつかの実施形態では、装置２００は、検索インデックスがメッセージメタデータセットからの情報の少なくとも一部に基づき取得可能であるように、検索インデックスを第１の地理的境界に関連付けられた地理的データ常駐ローカルリポジトリに格納するように構成されている。例えば、いくつかの実施形態では、新しく生成された検索インデックスは、特定のエンティティデータオブジェクト識別子に関連付けられて格納される。これに関して、検索は、各々が特定のエンティティデータオブジェクトに関連付けられた検索インデックスを使用して実行されてもよい。例示的なコンテキストでは、例えば、検索インデックスは、特定の組織データオブジェクト識別子に関連付けられた検索リクエストを処理するために検索インデックスを取得及び利用できるように、組織データオブジェクト識別子に関連付けられて生成されてもよい。これに関して、そのような検索は、組織データオブジェクト識別子に関連付けられたグループベースのメッセージを識別してもよい（例えば、組織データオブジェクト識別子に関連付けられた認証済みユーザアカウントによって送信又は受信され、グループベースの通信チャネル及び／又は組織データオブジェクト識別子に関連付けられた共通のグループベースの通信チャネルに関連付けられて格納され、組織データオブジェクト識別子に関連付けられたグループベースのワークスペース内で送信されるなど）。
【０２５６】
図１２は、少なくとも常駐トークンデータセットに基づき、第２の地理的領域に関連付けられた地理的データ常駐ローカルリポジトリから、特に第２のメッセージデータサブセットを取得するための、検索インデックス生成のために実行される例示的な動作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。
【０２５７】
装置２００は、ブロック１２０２で、第２のメッセージデータサブセットを取得するために、少なくとも常駐トークンデータセットを第２の地理的領域に位置する地理的データ常駐サーバに送信するように構成された、ローカル検索モジュール２０６、検索管理モジュール２０７、通信回路２０５、プロセッサ２０２、又はそれらの組み合わせなどの手段を備えている。いくつかの実施形態では、常駐トークンデータセットは、前に受信されたメッセージメタデータセットから解析され、抽出され、又はその識別される。いくつかの実施形態では、装置２００は、地理的データ常駐サーバに、相関する地理的データ常駐ローカルリポジトリから第２のメッセージデータサブセットを取得させるために、常駐トークンデータセットを含む地理的データ常駐データ取得リクエストを生成し、この地理的データ常駐データ取得リクエストを第２の地理的領域に位置する地理的データ常駐サーバに送信するように構成されている。例えば、装置２００は、地理的データ常駐サーバに、地理的データ常駐データ取得リクエストに含まれる常駐トークンデータセットに基づき、第２の地理的領域に位置する相関する地理的データ常駐ローカルリポジトリに格納されたメッセージデータのクエリを開始及び／又は実行させてもよい。
【０２５８】
装置２００は、ブロック１２０４で、前記の送信に応答して、第２地理的領域における地理的データ常駐サーバからの第２のメッセージデータサブセットを受信するように構成された、ローカル検索モジュール２０６、検索管理モジュール２０７、通信回路２０５、プロセッサ２０２、又はそれらの組み合わせなどの手段を備えている。いくつかの実施形態では、第２のメッセージデータサブセットは、１つ以上の関連するグループベースのメッセージのメッセージコンテンツを含んでいる。第２のメッセージデータサブセットは、複数のエンティティデータオブジェクト及び／又は関連する地理的領域に関連付けられた１つ以上の検索インデックスを生成する際に使用するために提供されてもよい。例えば、いくつかのそのような実施形態では、第２のメッセージデータサブセットは、第２の組織データオブジェクト識別子などの特定の第２のエンティティデータオブジェクト識別子に関連付けられた認証済みユーザアカウントによって送信されるグループベースのメッセージのメッセージデータを含んでいる。第２のメッセージデータサブセットは、共通のグループベースの通信チャネル内の第２のエンティティデータオブジェクト識別子と通信する異なるエンティティデータオブジェクト識別子に特に関連付けられた検索インデックスを生成するために使用されてもよい。
【０２５９】
送信は、１つ以上の通信ネットワークを介して行われてもよい。いくつかの実施形態では、１つ以上の通信ネットワークは、長距離間で（例えば、世界中の国々の間で）送信を伝播する複数のネットワークサブデバイスを含んでいる。いくつかの実施形態では、通信ネットワークは、装置２００と、異なる地理的領域に位置する１つ以上の地理的データ常駐サーバとの間の直接の通信を可能にする。代替又は追加として、通信ネットワークは、装置２００と地理的データ常駐サーバとの間の間接的な通信を可能にして、異なる地理的領域に位置する１つ以上の地理的データ常駐ローカルリポジトリにアクセスしてもよい。いくつかのそのような実施形態では、装置２００は、異なる地理的領域からの地理的データ常駐サーバによる地理的データ常駐ローカルリポジトリの直接操作が実行できないように構成されてもよい。そうすることによって、１つ以上の地理的データ常駐ポリシーデータオブジェクトに従ってデータ常駐要件が確実に維持されるようにして、システム全体のセキュリティやユーザプライバシーを強化できる。
【０２６０】
図１３は、検索インデックス生成のために、特に、暗号化された環境において共通のグループベースの通信チャネル識別子に関連付けられたメッセージデータサブセットを取得するために、実行される例示的な動作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。他の実施形態では、この動作は、装置２００によって具現化されるグループベースの通信サーバなどの、グループベースの通信サーバによって実行される。装置２００は、同様に、第１の地理的境界によって規定された第１の地理的領域に物理的に位置していてもよい。
【０２６１】
装置２００は、ブロック１３０２で、少なくとも１つの共通のグループベースの通信チャネル識別子に関連付けられたエンティティデータオブジェクト識別子についての少なくとも１つのメッセージ復号キーを識別するように構成された、ローカル検索モジュール２０６、検索管理モジュール２０７、通信回路２０５、プロセッサ２０２など、又はそれらの組み合わせなどの手段を備えている。いくつかの実施形態では、装置２００は、少なくともメッセージ復号キーを、装置２００と同じ地理的領域における安全な環境に格納するように構成されたキー管理システムと通信するように構成されている。いくつかの実施形態では、キー管理システムは、１つ以上のエンティティデータオブジェクト識別子及び／又は常駐トークンデータオブジェクトに関連付けられたメッセージ復号キーを格納してもよい。いくつかのそのような実施形態では、装置２００は、常駐トークンデータセット内の各常駐トークンデータオブジェクトに関連付けられたエンティティデータオブジェクト識別子に関連づけられて格納されたメッセージ復号キーについてクエリすることにより、キー管理システムから１つ以上のメッセージ復号キーを識別する。これに関して、０個以上のメッセージ復号キーを含む、取得されたメッセージ復号キーセットを使用して、第２の地理的領域に位置する地理的データ常駐ローカルリポジトリに格納された暗号化メッセージデータのセットを復号してもよい。
【０２６２】
装置２００は、ブロック１３０４で、第２地理的領域における地理的データ常駐サーバに、第２のローカル地理的データ常駐リポジトリから第２の暗号化メッセージデータサブセットを取得させるために、少なくとも常駐トークンデータセットを、第２の地理的領域における地理的データ常駐サーバに送信するように構成された、ローカル検索モジュール２０６、検索管理モジュール２０７、通信回路２０５、プロセッサ２０２、又はそれらの組み合わせなどの手段を備えている。いくつかの実施形態では、第２の地理的データ常駐ローカルリポジトリも第２の地理的領域と一緒に配置されている。いくつかの実施形態では、装置２００は、常駐トークンデータセットを含む地理的データ常駐データ取得リクエストを生成し、次いで、これを地理的データ常駐サーバに送信するように構成されている。この地理的データ常駐データ取得リクエストは、常駐トークンデータセットに関連付けられた暗号化メッセージデータセットについてのクエリを表していてもよい。例えば、各常駐トークンデータセットは、第２の地理的領域における地理的データ常駐ローカルリポジトリの特定のメッセージ行に一意的に対応する情報を含んでいてもよい。
【０２６３】
装置２００は、ブロック１３０６で、前の送信に応答して、第２の暗号化メタデータサブセットを、第２の地理的領域における地理的データ常駐サーバから受信するように構成された、ローカル検索モジュール２０６、検索管理モジュール２０７、通信回路２０５、プロセッサ２０２、又はそれらの組み合わせなどの手段を備えていてもよい。そのようないくつかの実施形態では、例えば地理的データ常駐データ取得リクエスト内の、常駐トークンデータセットの送信により、第２の地理的領域における地理的データ常駐サーバが、相関する地理的データ常駐ローカルリポジトリに、受信した常駐トークンデータセットに基づく暗号化メッセージデータサブセットについてのクエリの実行を開始させてもよい。例えば、いくつかのそのような実施形態では、セット内の各常駐トークンデータオブジェクトは、クエリによって結果データとして返される特定のメッセージ行に関連付けられてもよい。
【０２６４】
装置２００は、ブロック１３０８で、少なくとも１つのメッセージ復号キーを使用して第２の暗号化メッセージデータサブセットを復号するように構成された、ローカル検索モジュール２０６、検索管理モジュール２０７、通信回路２０５、プロセッサ２０２、又はそれらの組み合わせなどの手段を備えている。第２の暗号化メッセージデータサブセットは、対応する検索インデックスを生成する際に使用するための第２のメッセージデータサブセットを識別するために復号されてもよい。第２のメッセージデータサブセットを復号することにより、第１及び第２のメッセージデータサブセットを組み合わせて、共通のグループベースの通信チャネルを介して通信する１つ以上の特定のエンティティデータオブジェクトに関連する完全なメッセージデータセットを形成してもよい。これに関して、各エンティティデータオブジェクトについてのメッセージデータは、特定のユーザグループが望むようにデータプライバシーを強化ために、各エンティティデータオブジェクトに関連するデータ常駐ポリシーに従って格納されてもよい。更に、第２のメッセージデータサブセットを暗号化すると、共通のグループベースの通信チャネル内で送信されるグループベースのメッセージに関連するシステムセキュリティ及びデータプライバシーが改善される。例えば、この点で、グループベースのメッセージへのアクセスを削除する必要がある場合、又はグループベースのメッセージへのアクセスができなくなった場合、特定のメッセージ復号キーへのアクセスにより、それに続く、グループベースのメッセージ若しくは特定の関連するメッセージデータ自体の格納への変更なしで、グループベースのメッセージへのアクセスの取り消しを可能にする。１つ以上のメッセージ復号キーへのそのようなアクセスを取り消すか、又はそのキーを削除すると、メッセージデータは１つ以上の他の認証済みユーザアカウント（例えば、アクセスが取り消された組織データオブジェクト識別子に関連付けられた認証済みユーザアカウント）がアクセス不可となってもよく、また、対応するメッセージデータに基づき新しい検索インデックスが作成されなくてもよい。
【０２６５】
他の実施形態では、本明細書に示されるブロックは、追加の及び／若しくは代替のブロック、又は図示された１つ以上のブロックの異なる位置づけを含んでいてもよいことを理解されたい。追加又は代替として、いくつかの実施形態では、２つ以上のフローに関して説明された動作を、単一のフローを形成するように組み合わせてもよい。この点に関して、図６〜１１に関して示されている特定のフロー及び動作は、ここでの開示の範囲と思想を制限するものではないことを理解されたい。
【０２６６】
例示的装置による検索インデックス利用の例示的フローチャート
図１４及び図１５は、本開示の実施形態に係る、検索インデックス利用のための例示的な動作を示すフローチャートである。オプションのブロックは、全体にわたって破線又は「断続線」で示されている。図示されたブロックの１つ以上は、代替の順序か、同時か、又は図示された特定の順序とは異なる順序で実行されてもよいことを理解されたい。特定の図示は、ここでの開示の範囲及び思想を限定するものではないことを理解されたい。
【０２６７】
図１４は、検索インデックス利用のために実行される例示的な動作を示している。いくつかの実施形態では、動作は、例えば装置２００によって具現化される地理的データ常駐サーバによって実行される。装置２００は、第１の地理的境界によって規定された第１の地理的領域に物理的に位置していてもよい。
【０２６８】
装置２００は、ブロック１４０２で、リクエスタシステムから、検索エンティティ識別子に関連付けられた検索リクエストを受信するように構成された、ローカル検索モジュール２０６、検索管理モジュール２０７、通信回路２０５、プロセッサ２０２、又はそれらの組み合わせなどの手段を備えている。いくつかの実施形態では、リクエスタシステムは、クライアントデバイスによって具現化され、例えば、認証されたセッション中に認証済みユーザアカウントに関連付けられたユーザによってアクセスされる。他の実施形態では、リクエスタシステムは、グループベースの通信サーバ、例えば、クライアントデバイスから受信した検索リクエストを適切なコンピューティングデバイスに処理のために転送するように構成されたグループベースの通信サーバ、によって具現化される。更に他の実施形態では、リクエスタデバイスは、検索リクエストを処理のために送信するように構成された地理的データ常駐サーバによって具現化される。
【０２６９】
検索リクエストは、例えば認証されたセッション中に、クライアントデバイスを介してグループベースの通信システムにアクセスする認証済みユーザアカウントに関連付けられたユーザによって発信されてもよい。いくつかのそのような実施形態では、その検索リクエストは、グループベースの通信システムにアクセスするために使用される認証済みユーザアカウントに関連付けられたユーザアカウント識別子を含んでいてもよい。いくつかのそのような実施形態では、認証済みユーザアカウント識別子は、関連する検索エンティティ識別子を識別するために使用されてもよい。その検索エンティティ識別子は、特定の地理的データ常駐ポリシーデータオブジェクトにリンクされた特定の組織データオブジェクト識別子を含み、又はこれに関連付けられていてもよい。追加又は代替として、いくつかの実施形態では、検索リクエストは、検索が開始されたエンティティデータオブジェクトに関連付けられた検索エンティティ識別子を含んでいてもよい。
【０２７０】
いくつかの実施形態では、検索エンティティ識別子は、検索リクエストに関連するものとして装置２００によって判定される組織データオブジェクト識別子を含んでいる。例えば、組織データオブジェクト識別子は、例えば、ユーザが組織のメンバである場合に、検索リクエストを開始した認証済みユーザーアカウントデータオブジェクトにリンクされていてもよい。いくつかのそのような実施形態では、例えば、組織データオブジェクト識別子を使用して、組織データオブジェクト識別子に関連付けられたすべてのグループベースのメッセージを検索してもよい。他の文脈では、検索エンティティ識別子は、グループベースのワークスペース識別子を含んでいる。いくつかのそのような実施形態では、グループベースのワークスペース識別子は、検索リクエストを発信したユーザによって入力及び／又は選択されてもよい。これに関して、いくつかの実施形態では、例えば、ユーザは、特定のグループベースのワークスペース識別子（例えば、グループベースのメッセージがグループベースのワークスペース内で送信されるように、対応するグループベースのワークスペース識別子に関連付けられた、グループベースの通信チャネル内で送信されるグループベースのメッセージ）に関連付けられた検索結果データのみを検索することを選択してもよい。グループベースのワークスペース識別子は、グループベースのワークスペース識別子を使用して、特に組織データオブジェクト識別子に関連付けられ且つグループベースのワークスペース識別子によって識別されるグループベースのワークスペース内に位置する、グループベースのメッセージを検索できるように、特定の組織データオブジェクト識別子に関連付けられていてもよい。更に他のコンテキストでは、検索エンティティ識別子は、認証済みユーザアカウント識別子を含んでいる。装置２００は、例えば、検索リクエストを発信及び／又は送信するために使用されるクライアントデバイスの認証されたセッションに基づき、検索リクエストに関連付けられた認証済みユーザアカウント識別子を自動的に判定するように構成されていてもよい。いくつかの実施形態では、検索リクエストは、認証済みユーザアカウント識別子、又はその証済みユーザアカウント識別子を識別するために使用されてもよいデータを含んでいる。認証済みユーザアカウント識別子は、その認証済みユーザアカウント識別子に関連付けられたメッセージデータ（例えば、認証済みユーザアカウント識別子によって作成され、及び／又は他の実施形態で認証済みユーザアカウント識別子によって受信された）が格納される地理的領域を示す、データ常駐ポリシーデータオブジェクトに関連付けられていてもよい。追加又は代替として、いくつかの実施形態では、認証済みユーザアカウント識別子は、その認証済みユーザアカウント識別子を特に組織データオブジェクト識別子に関連付けられたグループベースのメッセージの検索を実行するために使用できるように、特定の組織データオブジェクト識別子に関連付けられていてもよい（例えば、その認証済みユーザアカウントがその組織データオブジェクトのメンバである場合）。
【０２７１】
装置２００は、オプションのブロック１４０４で、検索エンティティ識別子に基づきエンティティ検索キーを取得するように構成された、ローカル検索モジュール２０６、検索管理モジュール２０７、通信回路２０５、プロセッサ２０２、又はそれらの組み合わせなどの手段を備えている。いくつかの実施形態では、装置２００は、第１の地理的領域に物理的に位置するキー管理システムからエンティティ検索キーを取得するように構成されている。いくつかのそのような実施形態では、キー管理システムは、少なくともエンティティ検索キーを格納するように構成されていてもよい。他の実施形態では、キー管理システムは、少なくともエンティティ検索キー及びメッセージ復号キーを格納するように構成されている。例示的なコンテキストでは、キー管理システムは、各検索エンティティ識別子にリンクされたエンティティ検索キーを生成及び／又は格納していてもよい。ここで、そのエンティティ検索キーは、検索エンティティ識別子に関連付けられた検索インデックスを復号するために利用されてもよい。
【０２７２】
例示的な実施形態では、エンティティ検索キーは、各組織データオブジェクト識別子に関連付けられて格納される。同様に、検索インデックスは、例えばここで説明する検索インデックス生成プロセスの１つ以上を使用して、組織データオブジェクト識別子に関連付けられて、生成され格納されてもよい。検索インデックスは、組織データオブジェクト識別子にリンクされたグループベースのメッセージに関連するメッセージデータのコーパスを効率的に検索するように構成されていてもよい。検索エンティティは、例えばエンティティ検索キー又はエンティティ検索キーと暗号記法的に（cryptographically）対になった対応するエンティティ検索暗号化キーを使用して、暗号化及び復号を可能にするなど、格納前に暗号化されていてもよい。エンティティ検索キーは、多種多様の暗号化キー管理方法を使用して暗号化及び／若しくは復号するように設計並びに／又は構成されていてもよいことを理解されたい。
【０２７３】
装置２００は、ブロック１４０６で、第１の地理的領域に関連付けられた地理的データ常駐ローカルリポジトリから、検索エンティティ識別子に関連付けられた検索インデックスを取得するように構成された、ローカル検索モジュール２０６、検索管理モジュール２０７、通信回路２０５、プロセッサ２０２、又はそれらの組み合わせなどの手段を備えている。例えば、いくつかの実施形態では、装置２００は、検索エンティティ識別子に基づき地理的データ常駐ローカルリポジトリをクエリするか、又はクエリを開始するように構成されている。いくつかのそのような実施形態では、取得された検索インデックスは、特定の検索エンティティ識別子に関連付けられて直近に生成された検索インデックスを表していてもよい。
【０２７４】
いくつかの実施形態では、暗号化検索インデックスは、地理的データ常駐ローカルリポジトリから取得される。いくつかのそのような実施形態では、装置２００は、検索インデックスを識別するエンティティ検索キーを使用して、暗号化検索インデックスを復号するように構成された、ローカル検索モジュール２０６、検索管理モジュール２０７、通信回路２０５、プロセッサ２０２、又はそれらの組み合わせなどの手段を備えている。これに関して、検索インデックスへのアクセスを制御し、偶発的な露出から保護してもよい。例えば、暗号化検索インデックスのみのデータ漏洩の場合、そのような暗号化検索インデックスは、対応するエンティティ検索キーへのアクセスなしでは使用できない。
【０２７５】
いくつかの実施形態では、装置２００は、地理的データ常駐ローカルキャッシュが前に完了したリクエストに応答して検索インデックスを格納している地理的データ常駐ローカルキャッシュから検索インデックスを取得するように構成されている。例えば、いくつかの実施形態では、装置２００は、前のブロックで地理的データ常駐ローカルリポジトリから検索インデックスを取得し、将来の取得のためにその検索インデックス（又は暗号化形式）を地理的データ常駐ローカルキャッシュに格納していてもよい。地理的データ常駐ローカルキャッシュは、装置２００と同じ地理的領域にあり、第２の地理的領域における地理的データ常駐ローカルリポジトリと通信するために必要なネットワーキングリソースを利用せずにアクセスできる。
【０２７６】
装置２００は、ブロック１４０８で、検索インデックスに基づき検索結果データを識別するように構成された、ローカル検索モジュール２０６、検索管理モジュール２０７、通信回路２０５、プロセッサ２０２など、又はそれらの組み合わせなどの手段を備えている。検索結果データは、検索リクエストに含まれる検索リクエストデータに基づき検索インデックスから識別されてもよい。例えば、検索リクエストデータは、様々なグループベースのメッセージのメッセージデータ内で検索されるテキストデータを含んでいてもよい。代替的又は追加的に、検索リクエストデータは、装置２００にアクセス可能な様々なファイルデータオブジェクトに関連して検索されるファイルデータを含んでいてもよい。いくつかのそのような実施形態では、検索結果データは、あらゆる多種多様な検索インデックストラバーサルアルゴリズム及び／又は方法論を使用した、検索インデックス及び／又は検索リクエストデータに基づき、識別されてもよい。例えば、いくつかの実施形態では、ツリートラバーサルアルゴリズムを適用して、検索インデックスから検索結果データを識別してもよい。
【０２７７】
検索結果データは、検索リクエストに関連するグループベースのメッセージに関連するメッセージメタデータセット及び／又はメッセージデータセットを含んでいてもよい。例えば、検索結果データは、検索リクエストデータを含むメッセージデータを有するグループベースのメッセージに関連するデータを含んでいてもよい。いくつかの実施形態では、検索結果データは、検索リクエストに関連するものとして識別されてリンクされた１つ以上のグループベースのメッセージに関連付けられた少なくとも常駐トークンデータセットを含むメッセージメタデータセットを含んでいてもよい。
【０２７８】
装置２００は、ブロック１４１０で、検索結果データをリクエスタシステムに提供するように構成された、ローカル検索モジュール２０６、検索管理モジュール２０７、通信回路２０５、プロセッサ２０２、又はそれらの組み合わせなどの手段を備えている。いくつかの実施形態では、検索結果データは、受信された検索リクエストに応答して提供される。検索結果データは、例えばインターネットを介して、２つ以上の地理的領域間で接続され得る１つ以上の通信ネットワークを介してリクエスタシステムに提供されてもよい。
【０２７９】
検索結果データは、検索結果データの受信に応答して、リクエスタシステムに１つ以上の動作を実行させるように構成されていてもよい。例えば、いくつかの実施形態では、リクエスタシステムは、リクエスタシステムに関連付けられたユーザが見るために、検索結果データを含む１つ以上のインターフェースをレンダリングするように構成されている。代替として、リクエスタシステムは、レンダリングのために、検索結果データを他のデバイス、例えばクライアントデバイスに、転送してもよい。検索結果データは、ユーザによるユーザインタラクションを受信するために、例えば、リクエスタシステム及び／又は関連するクライアントデバイスによってレンダリングされてもよいことを理解されたい。例えば、いくつかの実施形態では、選択されたグループベースのメッセージに関連するメッセージデータを見るための、及び／又は、グループベースのメッセージを表示するために対応するグループベースの通信チャネルインターフェースをレンダリングするための、ユーザによる選択のための検索結果データを含むインターフェースが、レンダリングされてもよい。
【０２８０】
いくつかの実施形態では、検索インデックスは、２つ以上の検索インデックスの組み合わせに基づき生成されてもよいことが理解されるべきである。例えば、共通のグループベースの通信チャネルのコンテキストでは、各グループベースのメッセージは１つ以上の組織データオブジェクトに関連付けられ、各々は、グループベースのメッセージ（メッセージデータなど）の一部が格納される地理的領域を示すデータ常駐ポリシーデータオブジェクトに関連付けられている。各組織データオブジェクトは、例えば、第１の組織データオブジェクトに関連するメッセージデータは、第１の地理的領域に格納され、第２の組織データオブジェクトに関連するメッセージデータは第２の地理的領域に格納されるなど、対応する各データ常駐ポリシーデータオブジェクトに基づき、様々な異なる領域のメッセージデータ格納に関連付けられていてもよい。いくつかの実施形態では、そのようなコンテキストにおいて、各組織データオブジェクトは、地理的領域のそれぞれにおいて物理的に地理的データ常駐ローカルリポジトリに格納された検索インデックスに関連付けられ得ていてもよい。装置２００は、そのような検索インデックスを含む検索インデックスセットを取得してもよく、その検索インデックスセットは、異なる地理的領域に関連付けられた地理的データ常駐ローカルリポジトリからそのセット内の各サブ検索インデックスを取得することによって取得される。次いで、検索インデックスセットを組み合わせて、検索結果データを識別するために使用できる完全な検索インデックスを生成してもよい。これに関して、装置２００は、各データ常駐ポリシーデータオブジェクトによって表されるデータ常駐要件への適合性を維持しながら、そのようなメッセージデータに関連する検索機能を引き続き有効にする。
【０２８１】
図１５は、検索インデックス利用のために、特に検索インデックスを利用して、暗号化された環境でメッセージデータを識別し及び提供するために実行される他の例示的な動作を示している。いくつかの実施形態では、この動作は、例えば装置２００によって具現化される地理的データ常駐サーバによって実行される。装置２００は、第１の地理的境界によって規定された第１の地理的領域に物理的に位置していてもよい。
【０２８２】
装置２００は、ブロック１５０２で、検索インデックス及び検索リクエストに基づき、検索結果データに関連付けられた常駐トークンデータセットを識別するように構成された、ローカル検索モジュール２０６、検索管理モジュール２０７、通信回路２０５、プロセッサ２０２、又はそれらの組み合わせなどの手段を備えている。この点に関して、検索インデックスは、装置２００の地理的領域における地理的データ常駐ローカルリポジトリによって格納された常駐トークンデータセットにリンクされていてもよい。常駐トークンデータセットは、他の地理的領域における１つ以上のシステムによって維持される対応するメッセージデータセットを取得するために使用されてもよい。
【０２８３】
装置２００は、ブロック１５０４で、第２の地理的領域に関連付けられた地理的データ常駐サーバから、少なくとも常駐トークンデータセットに基づくメッセージデータセットを含む検索結果を取得するように構成された、ローカル検索モジュール２０６、検索管理モジュール２０７、通信回路２０５、プロセッサ２０２など、又はそれらの組み合わせなどの手段を備えている。例えば、いくつかの実施形態では、装置２００は、地理的データ常駐データ取得リクエストを生成し及び／又はこれを地理的データ常駐サーバに送信するように構成されていてもよく、ここで、この地理的データ常駐データ取得リクエストは、地理的データ常駐サーバに、第２の地理的領域に関連付けられた第２の地理的データ常駐サーバからメッセージデータセットを取得させ、そのメッセージデータセットを装置２００への応答として提供させるように構成されている。いくつかのそのような実施形態では、地理的データ常駐データ取得リクエストは常駐トークンデータセットを含んでいてもよい。追加又は代替として、いくつかの実施形態では、地理的データ常駐サーバは、常駐トークンデータセット又はその一部を使用して識別されてもよい。
【０２８４】
装置２００は、オプションのブロック１５０６で、常駐トークンデータセットに関連付けられた少なくとも１つのメッセージ復号キーを識別するように構成された、ローカル検索モジュール２０６、検索管理モジュール２０７、通信回路２０５、プロセッサ２０２、又はそれらの組み合わせなどの手段を備えている。例えば、少なくとも１つのメッセージ復号キーは、メッセージ復号キーセットを構成していてもよい。メッセージ復号キーは、いくつかの実施形態では、常駐トークンデータセットに関連付けられていてもよい。追加又は代替として、いくつかの実施形態では、メッセージ復号キーは、検索エンティティ識別子、及び／又は関連データに基づき識別されてもよい。例えば、いくつかの実施形態では、少なくとも１つのメッセージ復号キーは、その少なくとも１つのメッセージ復号キーが認証済みユーザアカウント識別子に関連付けられたデータを復号するために使用されるように、その認証済みユーザアカウント識別子に関連付けられて格納されてもよく、又は、その少なくとも１つのメッセージ復号キーが認証済みユーザアカウント識別子に関連付けられたデータを復号するために使用されるように、組織データオブジェクト識別子に関連付けて格納されていてもよい。いくつかの実施形態では、装置２００は、メッセージ復号キーを安全な環境に格納するキー管理システムを含み、又はそれと通信してもよい。装置は、常駐トークンデータセット及び／又は関連データ（例えば、組織データオブジェクト識別子などのエンティティデータオブジェクト識別子）に基づきキー管理システムにクエリを実行して、１つ以上のメッセージ復号キーを取得してもよい。
【０２８５】
装置２００は、オプションのブロック１５０８で、少なくとも１つのメッセージ復号キーに基づきメッセージデータを復号するように構成された、ローカル検索モジュール２０６、検索管理モジュール２０７、通信回路２０５、プロセッサ２０２、又はそれらの組み合わせなどの手段を備えている。いくつかのそのような実施形態では、単一のメッセージ復号キーを利用して、メッセージデータセット全体を復号してもよい。他の実施形態では、単一のメッセージ復号キーを利用して、メッセージデータセットの一部を含む１つ以上のメッセージデータオブジェクトを復号してもよい。メッセージデータセットは、例えば格納時に、メッセージ復号キー又は関連付けられたメッセージ暗号化キーを使用して暗号化されていてもよい。メッセージデータを暗号化及び／又は復号するために、様々な暗号化キー暗号化方法論が利用されてもよいことを理解されたい。更に、そのような暗号化により、例えば特定の組織データオブジェクトにリンクされた認証済みユーザアカウントに関連付けられているユーザが、前に認証されたユーザがそのメッセージデータを解読しそのメッセージデータにアクセスすることを防止するために、１つ以上のメッセージを取り消し及び／又は１つ以上の復号キーを削除することができることを理解されたい。
【０２８６】
装置２００は、ブロック１５１０で、少なくともメッセージデータセットを含む検索結果データをリクエスタシステムに提供するように構成された、ローカル検索モジュール２０６、検索管理モジュール２０７、通信回路２０５、プロセッサ２０２、又はそれらの組み合わせなどの手段を備えている。いくつかの実施形態では、検索結果データは、追加又は代替として、取得メッセージデータセットに関連付けられたメッセージメタデータセットを含んでいる。検索結果データは、受信した検索リクエストに応答して提供される。検索結果データは、例えばインターネットを介して、２つ以上の地理的領域間で接続され得る１つ以上の通信ネットワークを介してリクエスタシステムに提供されてもよい。
【０２８７】
検索結果データは、検索結果データの受信に応答して、リクエスタシステムに、１つ以上の動作を実行させるように構成されていてもよい。例えば、いくつかの実施形態では、リクエスタシステムは、リクエスタシステムに関連するユーザが見るための検索結果データを含む１つ以上のインターフェースをレンダリングするように構成されている。代替として、リクエスタシステムは、レンダリングのために、検索結果データを他のデバイス、例えばクライアントデバイスに転送してもよい。検索結果データは、ユーザによるユーザインタラクションを受信するために、例えばリクエスタシステム及び／又は関連するクライアントデバイスによって、レンダリングされてもよいことを理解されたい。例えば、いくつかの実施形態では、選択されたグループベースのメッセージに関連するメッセージデータを見るために、及び／又はグループベースのメッセージを表示するための対応するグループベースの通信チャネルインターフェースをレンダリングするために、ユーザによる選択のための検索結果データを含むインターフェースがレンダリングされてもよい。
【０２８８】
そのようないくつかの実施形態では、検索時にメッセージデータセットを提供することにより、検索リクエストの完全な処理に関連する全体の処理時間を短縮できることが理解されるべきである。例えば、検索結果データを提供することで、互いにかなり離れた場所にあるデバイス間で必要な送信（例えば、グループベースの通信サーバと１つ以上の地理的データ常駐サーバとの間の送信）の数を減らすことができる。そのような実施形態は、ネットワークリソースを節約でき、コンピューティングハードウェアが送信を待機し及び／又は応答を待機する間に動いていない合計時間を削減できる。
【０２８９】
前記のように、いくつかの実施形態では、データ保持ポリシーは、特定のエンティティに関連付けられたデータが格納される特定の地理的領域を特定する。いくつかの例示的なコンテキストでは、地理的領域は、市民権、居住地、又はそのエンティティを具現化する及び／若しくはそのエンティティに関連付けられた組織の他の場所の優先傾向に関連付けられている。この点で、その地理的領域のメッセージデータ及び／又はメタデータを物理的に格納する地理的データ常駐ローカルリポジトリは、その地理的領域に物理的に位置していてもよい。
【０２９０】
単一の地理的領域に位置する物理的コンピューティングデバイスへの依存は、グループベースの通信システムを、データアクセス及び永続性に関するリスクにさらすおそれがある。例えば、例示的なコンテキストでは、地理的データ常駐サーバ及び／又は地理的データ内の地理的データ常駐ローカルリポジトリなどのコンピューティングデバイスは、ネットワーク内の１つ以上の他のコンピューティングデバイスとの通信のために利用できなくなるおそれがある。例えば、いくつかの実施形態では、ネットワークの中断又はコンピューティングデバイスの障害により、そのようなコンピューティングデバイスが一時的にアクセスできなくなるおそれがある。追加又は代替として、他の例示的なコンテキストでは、コンピューティングデバイスは、例えば、そのコンピューティングデバイスに物理的に影響を与える自然災害により、物理的に利用できなくなる又は完全に破壊されるおそれがある。データを格納するコンピューティングデバイスが単一の地理的領域に限定されている場合、そのような自然災害や、コンピューティングデバイスに物理的に影響を与えるその他の壊滅的な出来事は、そのようなコンピューティングデバイスに格納されるデータへのアクセスに永続的に影響を与えるおそれがある。
【０２９１】
従って、いくつかの実施形態では、１つ以上のデータ保持ポリシーは、データ保持ポリシーに使用される主要な地理的領域に加え、バックアップ地理的境界によって規定されたバックアップ地理的領域を提供してもよい。バックアップ地理的領域は、バックアップ地理的データ常駐サーバ及び／又はバックアップ地理的データ常駐ローカルリポジトリを含んでいてもよい。これらのデバイスは、データ保持ポリシー内で表される主要な地理的領域の主要なものに格納されたデータのバックアップバージョンを格納するように構成されていてもよい。この点について、主要な地理的領域に関連付けられた地理的データ常駐サーバ及び／又は地理的データ常駐ローカルリポジトリが一時的又は永続的にアクセスできなくなった状況では、データ損失のリスクを最小限に抑えるために、バックアップ地理的データ常駐サーバ及び／又は地理的データ常駐ローカルリポジトリからのデータにアクセスしてもよい。
【０２９２】
追加又は代替として、いくつかの実施形態では、データ保持ポリシーに従って、新しく受信したメッセージデータ及び／又はメッセージメタデータの格納を容易にするために、バックアップ地理的データ常駐サーバ及び／又は地理的データ常駐ローカルサーバを使用してもよい。例えば、新しく受信したメッセージに主要な地理的領域に格納すべきメッセージコンテンツが含まれるが、地理的データ常駐ローカルリポジトリ及び／又は対応する地理的データ常駐サーバに多種多様な理由で到達できない場合、メッセージコンテンツは、代わりにバックアップ地理的データ常駐サーバ及びバックアップデータ常駐ローカルリポジトリを使用して格納されてもよい。主要な地理的データ常駐サーバ及び／又は主要な地理的データ常駐ローカルリポジトリがアクセス可能になった場合（例えば、ある程度の時間が経過した後）、バックアップデータ常駐ローカルリポジトリ内に新しく格納されたデータが主要な地理的領域における主要な地理的データ常駐ローカルリポジトリに複製されてもよい。これに関して、いくつかのそのような例示的な実施形態では、データ常駐ポリシーにバックアップ地理的領域を含めることは、ユーザが経験するデータ損失及び／又は不整合のリスクの影響を最小限に抑える。
【０２９３】
バックアップ地理的領域は、所定のエンティティに関連付けられた管理者によって選択されてもよく、ここで、例えば、その管理者は１つ以上のエンティティに対する１つ以上のデータ常駐ポリシーを作成し、編集し、及び／又は割り当てることを許可されている。例えば、いくつかの実施形態では、管理者は、データ常駐ポリシーの作成中、又はそれに続く既存のデータ常駐ポリシーの編集中に、バックアップ地理的領域を選択する。
【０２９４】
いくつかの実施形態では、グループベースの通信システムは、データ保持ポリシーに関連付けられた各主要な地理的領域に対して所定のバックアップ地理的位置のセットを提供する。ここで、前記所定のバックアップ地理的位置のセットは、例えば管理者によって、選択され得る１つ以上のバックアップ地理的位置を含んでいる。いくつかのそのような実施形態では、各主要な地理的領域は、バックアップ地理的領域に適切な選択であると判定された任意の数のバックアップ地理的領域にリンクされていてもよい。前記所定のバックアップ地理的領域のセットは、データ保持ポリシーの主要な地理的領域に基づき事前に決定されていてもよい。これに関して、グループベースの通信システムは、１つ以上の関連するバックアップ地理的領域に関連付けられた各主要な地理的領域を格納してもよい。いくつかの実施形態では、特定の主要な地理的領域に関連付けられたバックアップ地理的領域は、各地理的領域に関連する情報の１つ以上の態様に依存していてもよい。例えば、いくつかの実施形態では、特定の主要な地理的領域のバックアップ地理的領域は、その地理的領域において適用可能な同じデータプライバシー制限を有していてもよく、又はその地理的領域の法的枠組みの間での比較に基づきその地理的領域において適用可能な同様のデータプライバシー制限を有すると判定されてもよい。例えば、フランクフルトが主要な地理的領域として提供される例示的なコンテキストでは、パリが選択可能なバックアップ地理的領域として提供され、及び／又はミュンヘンが他の選択可能なバックアップ地理的領域として提供されてもよい。代替又は追加として、東京が主要な地理的領域として提供される例示的なコンテキストでは、京都がバックアップ地理的領域として提供されてもよい。
【０２９５】
追加又は代替として、少なくともいくつかの実施形態では、１つ以上のバックアップ地理的領域は、主要な地理的領域に関連付けられたより大きな地理的境界内にあってもよい。例えば、この主要な地理的領域は、特定の国内の州、省、都市、又は他の１つ以上の規定された境界であってもよく、事前に決められたバックアップ地理的領域のセットの１つ以上は、他の州、省、都市、又はその国内の他の地理的に規定された地理的領域を含んでいてもよい。いくつかの実施形態では、所定の組のバックアップ地理的領域は、所望のバックアップ閾値範囲によって制限される。これに関して、事前に決められたバックアップ地理的領域のセットは、各々、主要な地理的領域からの所望のバックアップ閾値の範囲内にあってもよい（例えば、主要な地理的領域と各バックアップ地理的領域との間の距離は、所望のバックアップ閾値の範囲以下である）。他の実施形態では、グループベースの通信システムは、管理者ユーザが、選択可能な地理的領域の完全なリストからバックアップ地理的領域を選択できるように構成されている。この地理的領域の完全なリストは、主要な地理的領域以外のすべての地理的領域が含んでいてもよく、グループベースの通信システムは、使用のためのバックアップコンピューティングデバイスを含む。
【０２９６】
いくつかの実施形態では、グループベースの通信システムは、所定の更新タイムスタンプ閾値内で、データを、バックアップ地理的領域におけるバックアップデバイスから主要な地理的領域における主要なコンピューティングデバイスに移動及び／又は複製するように構成されている。いくつかの実施形態では、その所定の更新タイムスタンプ閾値は、グループベースの通信システムによって維持されるすべてのデータ常駐ポリシーに適用される。これに関して、新しいメッセージメタデータ及び／又はコンテンツをバックアップコンピューティングデバイスに書き込んだ後、バックアップコンピューティングデバイスから、その所定の更新タイムスタンプ閾値内の主要な地理的領域におけるコンピューティングデバイス内の永続的格納に書き込んでもよい。他の実施形態では、その所定の更新タイムスタンプ閾値は、新しいデータ保持ポリシーを作成するとき、及び／又は既存のデータ保持ポリシーを編集するときに設定されてもよい。
【０２９７】
これに関して、いくつかの実施形態では、グループベースの通信システムは、所定のタイムスタンプ間隔でアクセスできなくなった地理的領域におけるコンピューティングデバイスとの通信を試みるように構成されている。その地理的領域におけるコンピューティングデバイスが再びアクセス可能になると、グループベースの通信システムは、前にバックアップ地理的領域におけるバックアップコンピューティングデバイスに書き込まれたデータの書き込みを開始してもよい。これに関して、グループベースの通信システムは、バックアップコンピューティングデバイスに、主要なコンピューティングデバイスにまだ書き込まれていないデータ（例えば、中断されたアクセスに関連する特定されたタイムスタンプ後に受信及び／又は書き込まれたデータ）を主要なコンピューティングデバイスに送信させることができる。主要なコンピューティングデバイスが所定の更新タイムスタンプ閾値内に再びアクセスできなくなる状況では、グループベースの通信システムは、そのグループベースの通信システムに関連する１人以上の管理者に及び／又は主要な地理的領域で維持される１つ以上のデータ常駐ポリシーに関連付けられた１人以上のエンティティ管理者に、主要なコンピューティングデバイスがアクセスできないままであることを知らせるエラー通知を生成し及び／又は提供してもよい。
【０２９８】
様々な実施形態は、バックアップ地理的領域におけるバックアップ地理的データ常駐ローカルリポジトリへの格納について、そのような情報を格納することを可能にするために１つ以上の動作を実行するように構成されていてもよい。例えば、ここで説明される実施形態は、第２の地理的領域に物理的に位置する地理的データ常駐サーバがアクセスできないと判定するように構成されていてもよい。いくつかのそのような実施形態は、地理的データ常駐サーバが、新しいメッセージデータ及び／又はメタデータを格納するために地理的データ常駐サーバに送信する試みの間に、アクセスできないと判定してもよい。例えば、第２の地理的領域における地理的データ常駐サーバは、地理的データ格納ジポリシーに関連付けられた主要な地理的データ常駐サーバであってもよいが、地理的データ常駐サーバがその第２の地理的領域における地理的データ常駐サーバにアクセスできない状況では、送信が失敗したりエラーを返したりしてもよい。いくつかのそのような実施形態は、第２の地理的領域における地理的データ常駐サーバが、送信エラーを受信及び／又は処理したときに、アクセスできないと判定してもよい。
【０２９９】
追加又は代替として、ここに記載の実施形態は、メッセージのメッセージデータを含む受信され及び／又は識別された地理的データ常駐メッセージパッケージを、規定されたバックアップ地理的領域に物理的に位置する地理的データ常駐サーバに送信するように構成されていてもよい。これに関して、いくつかのそのような実施形態は、地理的データ格納ポリシーからバックアップ地理的領域を特定してもよい。１つの例示的なコンテキストでは、地理的データ格納ポリシーは、バックアップ地理的領域を表すパラメータのデータ値を含んでいる。いくつかのそのようなコンテキストでは、そのような例示的な実施形態は、バックアップ地理的領域に基づき、例えば各地理的領域に関連付けられた１つ以上の既知のネットワークアドレスに基づき、バックアップ地理的領域に基づくバックアップ地理的データ常駐サーバを特定してもよい。これに関して、バックアップ地理的領域は、例えば、そのバックアップ地理的領域を、エンティティに関連付けられた管理者ユーザアカウントによって地理的データ格納ポリシーに割り当てると、地理的データ格納ポリシーに関連付けられる。他の実施形態では、バックアップ地理的領域に物理的に位置するバックアップ地理的データ常駐サーバは、そのバックアップ地理的データ常駐サーバが地理的データ格納ポリシー内のデータに基づきすぐに通信できるように、例えば１つ以上のネットワーク識別子に基づき、地理的データ格納ポリシーにおいて特定される。
【０３００】
バックアップ地理的データ常駐サーバは、受信された地理的データ常駐メッセージパケットの一部又はすべてを格納するように構成されていてもよい。例えば、バックアップ地理的データ常駐サーバは、バックアップ地理的領域に物理的に位置するバックアップ地理的データ常駐ローカルリポジトリと通信して、バックアップ地理的データ常駐ローカルリポジトリに地理的データ常駐メッセージパケットの少なくとも一部を格納させてもよい。地理的データ常駐サーバは、単独で、又は地理的データ常駐ローカルリポジトリと組み合わせて、格納されたデータの識別に使用するための対応するバックアップ常駐トークンデータを生成してもよい。そのようなデータは、格納されたデータを地理的データ常駐ローカルリポジトリから取得する際に使用するために、１つ以上の他のデバイス、装置、及び／又はシステムに送信されてもよい。
【０３０１】
追加又は代替として、ここに記載の実施形態は、メッセージのメッセージデータを、バックアップ地理的データ常駐サーバから受信したバックアップ常駐トークンデータで更新するように構成されていてもよい。これに関して、バックアップ常駐トークンデータは、バックアップ地理的データ常駐サーバへの送信に応答して受信されてもよい。バックアップ常駐トークンデータは、バックアップ地理的領域に関連付けられたバックアップ地理的データ常駐ローカルリポジトリに格納するための常駐トークンデータを特に表していてもよい。これに関して、データはバックアップ地理的データ常駐ローカルリポジトリに格納されたままである一方、バックアップ常駐トークンデータを使用して、対応するバックアップ地理的データ常駐サーバとの通信を通じて、バックアップ地理的データ常駐ローカルリポジトリから情報を取得できるようにしてもよい。追加又は代替として、そのような実施形態は、更新されたメッセージデータを、第１の地理的境界によって規定された第１の地理的領域に物理的に位置する地理的データ常駐ローカルリポジトリに格納するように構成されていてもよい。
【０３０２】
これに関して、対応するメッセージデータが、例えばクライアントデバイス又は他の地理的データ常駐サーバによってリクエストされるとき、バックアップ常駐トークンデータが、メッセージデータにアクセスするために取得され利用されてもよい。これに関して、バックアップ常駐トークンデータは、対応するメッセージデータをリクエストするために、使用するバックアップ地理的データ常駐サーバを特定してもよい。従って、メッセージデータがバックアップ地理的データ常駐ローカルリポジトリに残っている間、バックアップ常駐トークンデータは、通信する適切な地理的データ常駐サーバの特定、及び、適切な地理的データ常駐サーバを介してのアクセスの、両方を提供してもよい。
【０３０３】
更に、いくつかの実施形態は、主要な地理的データ常駐サーバ及び／又は主要な地理的データ常駐ローカルリポジトリがアクセス可能となると、バックアップ地理的データ常駐ローカルリポジトリに格納されたデータの主要な地理的データ常駐ローカルリポジトリへの複製を試みるように構成されている。このような状況は、ネットワーク中断などの一時的な中断が修復され、コンピューティングデバイス間の通信が再び可能になるときに起こり得る。
【０３０４】
これに関して、追加又は代替として、いくつかの実施形態は、第２の地理的領域に物理的に位置する地理的データ常駐サーバ（例えば、この例の目的のための主要な地理的領域における主要な地理的データ常駐サーバ）がアクセス可能になったと判定するように構成されている。例えば、いくつかの実施形態は、所定のタイムスタンプ間隔で第２の地理的領域における地理的データ常駐サーバとの通信を試みるように構成されている。例示的なコンテキストでは、いくつかの実施形態は、毎分、毎時、毎日など、地理的データ常駐サーバとの通信を試みるように構成されている。通信を試みるために、いくつかのそのような実施形態は、地理的データ常駐サーバへの、リクエストの送信及び／又は他のデータ送信を行ってもよい。所定の応答及び／又は非エラー応答が受信された場合、地理的データ常駐サーバはアクセス可能であると判定されてもよく、ここで、エラー応答及び／又は不完全な送信は、地理的データ常駐サーバがアクセスできないままであると判定するために使用されてもよい。
【０３０５】
前にアクセスできなかった地理的データ常駐サーバがアクセス可能になったと判定すると、いくつかのそのような実施形態は、データをバックアップ地理的領域における格納から主要な地理的領域における格納に複製及び／又は移動するための１つ以上の動作を実行してもよい。例えば、前記に加え、又は代替として、いくつかの実施形態は、バックアップ地理的領域に物理的に位置するバックアップ地理的データ常駐サーバから地理的データ常駐メッセージパッケージを識別するように構成されている。いくつかの実施形態では、バックアップ地理的領域に格納された１つ以上の地理的データ常駐メッセージパッケージは、各メッセージ識別子及び対応する地理的データ格納ポリシーの格納されたバックアップ常駐トークンデータに基づき識別される。例えば、実施形態は、バックアップ常駐トークンデータに基づき、対応するメッセージデータが格納される地理的領域を判定し、地理的データ格納ポリシーから、データが格納される地理的領域がバックアップ地域的領域かどうかを判定するように構成されていてもよい。そのような実施形態により地理的領域がバックアップ地理的領域であるかを判定する状況では、そのような実施形態は、バックアップ地理的データ常駐ローカルリポジトリと通信するバックアップ地理的データ常駐サーバとの通信を介して、格納された地理的データ常駐メッセージパッケージを識別するように構成されていてもよい。地理的データ常駐メッセージパッケージを識別した後、その地理的データ常駐メッセージパケットは、第２の地理的領域（例えば、主要な地理的領域）に物理的に位置する地理的データデータ常駐サーバに送信され、そのような情報は、第２の地理的領域に複製及び／又は移動される。これに関して、この送信によって、地理的データ格納ポリシーに従って、第２の地理的領域における地理的データ常駐サーバ及び／又は地理的データ常駐ローカルリポジトリを介して、そのような情報の一部又はすべてを格納させてもよい。これに関して、新しい常駐トークンデータは、第２の地理的領域において地理的データ常駐サーバ及び／又は対応する地理的データ常駐ローカルリポジトリによって生成され、２番の地理的領域から将来取得できるようにメッセージに関連付けられた第１の地理的領域に格納される。いくつかの実施形態では、そのようなデータは、その後、バックアップ地理的領域における格納から消去され（deleted）及び／又は除去され（removed）てもよい。
【０３０６】
追加の実装の詳細
例示的な処理システムについて前記で説明したが、ここで説明する主題及び機能動作の実装は、この明細書に開示される構造及びそれらの構造的同等物、又はそれらの１つ以上の組み合わせを含む、他のタイプのデジタル電子回路、又はコンピュータソフトウェア、ファームウェア、又はハードウェアに実装してもよい。
【０３０７】
前記のフローの１つ以上についての記載は、単に例示及び説明の目的で、限られた数のエンティティ及び／又は関連する地理的データ格納ポリシーに関して説明されていることを理解されたい。全体を通して説明するように、共通のグループベースの通信チャネルは、任意の数のエンティティに関連付けられていてもよく、従って、そのようなエンティティに関連付けられる任意の数の地理的データ格納ポリシーに関連付けてもよい。例えば、いくつかの実施形態では、共通のグループベースの通信チャネルは、任意の数の組織識別子に関連付けられ、各組織識別子は、共通のグループベースの通信チャネルにアクセスすることを許可され、及び／又は共通のグループベースの通信チャネルにアクセスできる少なくとも１つの認証済みユーザアカウントに関連付けられている。更に、各組織識別子は、地理的データ常駐格納ポリシーが任意の数の関連付けられた地理的領域を特定するように、地理的データ格納ポリシーに関連付けられてもよい。追加又は代替として、いくつかの実施形態では、共通のグループベースの通信チャネルは、任意の数のグループベースのワークスペース識別子に関連付けられ、各グループベースのワークスペース識別子は、地理的データ常駐格納ポリシーが各々任意の数の関連付けられた地理的領域を特定するように、地理的データ格納ポリシーに関連付けられている。従って、メッセージコンテンツ及び／又はメッセージメタデータを格納するための動作は、１つ又は２つの地理的領域に関連付けられた１つ又は２つの地理的データ格納ポリシーに関連付けられて説明されるが、その一方で、１つ以上のそのような動作は、共通のグループベースの通信チャネルにアクセスするように構成されたエンティティに基づき、必要に応じて任意の数の地理的領域に関連付けられた任意の数のデータ常駐格納ポリシーについて同様に繰り返されてもよい。
【０３０８】
ここで説明する主題及び動作の実施形態は、本明細書に開示された構造及びそれらの構造的等価物を含む、デジタル電子回路、又はコンピュータソフトウェア、ファームウェア、若しくはハードウェア、或いはそれらの組み合わせの１つ以上に実装してもよい。ここで説明する主題の実施形態は、情報／データ処理装置による実行のために、又はそれらの動作を制御するためにコンピュータ記憶媒体にコード化された１つ以上のコンピュータプログラム、すなわちコンピュータプログラム命令の１つ以上のモジュールとして実装されてもよい。代替として、又は追加として、そのプログラム命令は、人工的に生成された伝播信号、例えば、情報／データ処理装置による実行のために、適切な受信装置に送信するための情報／データをエンコードするために生成される、機械生成された電気信号、光信号、又は電磁信号、にエンコードされてもよい。コンピュータ記憶媒体は、コンピュータ可読格納デバイス、コンピュータ可読格納基板、ランダム又はシリアルアクセスメモリアレイ若しくはデバイス、又はそれらの１つ以上の組み合わせであってもよく、或いはそれらに含まれていてもよい。更に、コンピュータ記憶媒体は伝播信号ではないが、コンピュータ記憶媒体は、コンピュータプログラム命令が人工的に生成された伝播信号にコード化される元（source）又はコード化された先（destination）であってもよい。コンピュータ記憶媒体はまた、１つ以上の別個の物理的コンポーネント又は媒体（例えば、複数のＣＤ、ディスク、若しくは他の記憶装置）であってもよく、或いはそれらに含まれていてもよい。
【０３０９】
ここで説明する動作は、１つ以上のコンピュータ可読の各デバイスに格納された、又は他のソースから受信した、情報／データに対して、情報／データ処理装置によって実行される動作として実装されてもよい。
【０３１０】
「データ処理装置」という用語は、例として、プログラム可能なプロセッサ、コンピュータ、チップ上のシステム、又は複数のプロセッサ、又はこれらの組み合わせを含む、データを処理するためのあらゆる種類の装置、デバイス、及び機械を包んでいる。この装置は、例えば、ＦＰＧＡ（フィールドプログラマブルゲートアレイ）又はＡＳＩＣ（特定用途向け集積回路）などの特定用途向け論理回路を含んでいてもよい。この装置はまた、ハードウェアに加え、問題のコンピュータプログラムの実行環境を生成するコード、例えば、プロセッサファームウェア、プロトコルスタック、リポジトリ管理システム、オペレーティングシステム、クロスプラットフォームランタイム環境、仮想マシン、又はそれらの１つ以上の組み合わせを構成するコードも含んでいてもよい。装置及び実行環境は、ウェブサービス、分散コンピューティング、グリッドコンピューティングインフラストラクチャなど、様々なコンピューティングモデルインフラストラクチャを実現できる。
【０３１１】
コンピュータプログラム（プログラム、ソフトウェア、ソフトウェアアプリケーション、スクリプト、又はコードとしても知られている）は、コンパイル（compiled）言語又はインタープリタ（interpreted）言語、宣言型又は手続き型言語を含む任意の形式のプログラミング言語で書かれてもよく、スタンドアロンプログラム（a stand-alone program）として、又はモジュール、コンポーネント、サブルーチン、オブジェクト、又はコンピューティング環境での使用に適した他のユニットとしてなど、任意の形式で配備される。コンピュータプログラムは、必ずしもそうである必要はないが、ファイルシステム内のファイルに対応していてもよい。プログラムは、他のプログラム又は情報／データ（例えば、マークアップ言語のドキュメントに格納された１つ以上のスクリプト）を保持するファイルの一部、問題のプログラム専用の単一ファイル、又は複数の統合ファイル（例えば、１つ以上のモジュール、サブプログラム、又はコードの一部を格納するファイル）に格納できる。コンピュータプログラムは、１つのコンピュータ又は１つのサイトに配置され若しくは複数のサイトに分散され且つ通信ネットワークによって相互接続された複数のコンピュータによって実行されるように配備できる。
【０３１２】
ここで説明されるプロセス及び論理フローは、入力情報／データを操作し及び出力を生成することによって動作を実行する１つ以上のコンピュータプログラムを実行する１つ以上のプログラム可能なプロセッサによって実行できる。コンピュータプログラムの実行に適したプロセッサは、例として、汎用及び専用の両方のマイクロプロセッサ、及びあらゆる種類のデジタルコンピュータの１つ以上のプロセッサを含んでいる。一般に、プロセッサは、読み取り専用メモリ若しくはランダムアクセスメモリ、又はその両方から命令及び情報／データを受信する。コンピュータの必須要素は、命令に従って動作を実行するプロセッサ、及び命令とデータとを格納する１つ以上のメモリデバイスである。一般に、コンピュータはまた、磁気、光磁気ディスク、若しくは光ディスクなど、データを格納するための１つ以上の大容量記憶装置を含み、又はそれらから情報／データを受信し若しくはそれらに情報／データを転送し若しくはその両方を行うように結合して動作可能である。しかしながら、コンピュータはそのような装置を有する必要はない。コンピュータプログラム命令及び情報／データを格納するのに適したデバイスは、例えば、ＥＰＲＯＭ、ＥＥＰＲＯＭ、及びフラッシュメモリデバイスなどの半導体メモリデバイス；内蔵ハードディス又はリムーバブルディスクなどの磁気ディスク；光磁気ディスク；ＣＤ−ＲＯＭ及びＤＶＤ−ＲＯＭディスク、を含む、あらゆる形態の不揮発性メモリ、媒体及びメモリデバイスを含んでいる。プロセッサ及びメモリは、特別な目的の論理回路によって補完され又は組み込まれていてもよい。
【０３１３】
ユーザとのインタラクションを提供するために、ここに記載される主題の実施形態は、情報／データをユーザに対して表示するため、例えば、ＣＲＴ（陰極線管）又はＬＣＤ（液晶ディスプレイ）モニタなどの表示装置、及び、ユーザがコンピュータに入力を与えるためのマウス又はトラックボールなどのポインティングデバイスを有する、コンピュータ上で実施できる。ユーザとのインタラクションを提供するために他の種類のデバイスも使用でき、例えば、ユーザに提供されるフィードバックは、例えば視覚的フィードバック、聴覚的フィードバック、又は触覚的フィードバックなどのあらゆる形態の感覚的フィードバックであってもよく、ユーザからの入力は、音響、音声、又は触覚入力を含むあらゆる形態で受信できる。更に、コンピュータは、ユーザが使用するデバイスとの間でドキュメントを送信し及びドキュメントを受信することにより、例えば、ユーザのクライアントデバイスのＷｅｂブラウザに、このＷｅｂブラウザから受信したリクエストに応答して、Ｗｅｂページを送信することにより、ユーザとのインタラクションができる。
【０３１４】
ここで説明される主題の実施形態は、例えば情報／データサーバとしてのバックエンドコンポーネントを含み、又は、例えばアプリケーションサーバなどのミドルウェアコンポーネントを含み、又は、例えば、ユーザがここで説明する主題の実装とインタラクションできるグラフィカルユーザーインターフェイス若しくはＷｅｂブラウザを備えたクライアントコンピュータなどのフロントエンドコンポーネントを含み、或いは１つ以上のそのようなバックエンド、ミドルウェア、又はフロントエンドコンポーネントの任意の組み合わせなどの、コンピューティングシステムで実装できる。システムのコンポーネントは、例えば通信ネットワークなどの、あらゆる形態又は媒体のデジタル情報／データ通信によって相互接続できる。通信ネットワークの例は、ローカル領域ネットワーク（「ＬＡＮ」）とワイド領域ネットワーク（「ＷＡＮ」）、相互ネットワーク（例えば、インターネット）、ピアツーピアネットワーク（例えば、アドホックピアツーピアネットワーク）を含んでいる。
【０３１５】
コンピューティングシステムは、クライアント及びサーバを含んでいてもよい。クライアント及びサーバは、一般に、互いに離れており、通常、通信ネットワークを介してインタラクションする。クライアント及びサーバの関係は、それぞれのコンピュータ上で実行され、互いにクライアント／サーバの関係を有する、コンピュータプログラムによって生じる。いくつかの実施形態では、サーバは、情報／データ（例えば、ＨＴＭＬページ）をクライアントデバイスに送信する（例えば、情報／データを表示し、クライアントデバイスとインタラクションするユーザからのユーザ入力を受信する目的で）。クライアントデバイスで生成された情報／データ（例えば、ユーザインタラクションの結果）は、サーバのクライアントデバイスから受信できる。
【０３１６】
本明細書は多くの特定の実施の詳細を含むが、これらは、あらゆる開示又は請求の範囲に対する制限として解釈されるべきではなく、特定の開示の特定の実施形態に特有の特徴の説明として解釈されるべきである。別個の実施形態の文脈において、ここで説明される特定の特徴は、単一の実施形態で組み合わせて実施してもよい。逆に、単一の実施形態の文脈で説明されている様々な特徴は、複数の実施形態で別々に、又はあらゆる適切なサブコンビネーションで実施してもよい。更に、特徴は、特定の組み合わせで及び最初に請求されるようなもののように、動作するものとして前記で説明できるが、請求されたものの組み合わせ由来の１つ以上の特徴は、場合によってはその組み合わせから削除でき、請求された組み合わせは、サブコンビネーション又はサブコンビネーションのバリエーションに向けられてもよい。
【０３１７】
同様に、動作は特定の順序で図示されているが、これは、そのような動作が、示された特定の順序で若しくは連続した順序で実行されること、又は示されたすべての動作が望ましい結果を達成するためには実行されることを要求するものとして理解されるべきではない。特定の状況では、マルチタスクと並列処理が有利な場合がある。更に、前記の実施形態における様々なシステムコンポーネントの分離は、すべての実施形態においてそのような分離が必要であると理解されるべきではなく、説明されたプログラムコンポーネント及びシステムは、一般に単一のソフトウェア製品に統合されるか、又は複数のソフトウェア製品にパッケージ化されてもよいことが理解されるべきである。
【０３１８】
このように、主題の特定の実施形態が説明された。他の実施形態は、従属する請求項の範囲内にある。いくつかの場合には、特許請求の範囲に記載されている動作を異なる順序で実行しても、望ましい結果を得ることができる。更に、添付の図面に示されたプロセスは、望ましい結果を達成するために、必ずしも示された特定の順序、又は連続した順序あることを必要としない。特定の実装では、マルチタスクと並列処理が有利な場合がある。
【０３１９】
ここに記載されているコンピュータに実装された方法、装置、及びコンピュータプログラム製品のいくつかの例は、以下のとおりである。
【０３２０】
Ｉ１．グループベースの通信システムにおいて地理的に分散したデータ格納を管理するための装置が提供され、この装置は、第１の地理的境界によって規定された第１の地理的領域に物理的に位置し、少なくとも１つのプロセッサ及びコンピュータプログラムコードを含む少なくとも１つの非一時的メモリを備えている。前記の少なくとも１つの非一時的メモリ及びコンピュータプログラムコードは、少なくとも１つのプロセッサにより、装置に、以下を行わせるように構成されている：メッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する、ここで、第２の地理的領域は地理的データ格納ポリシーに関連付けられている；メッセージのメッセージデータを、地理的データ常駐サーバから受信した常駐トークンデータで更新する；そして、更新されたメッセージを、第１の地理的境界によって規定された第１の地理的領域に物理的に位置する地理的データ常駐ローカルリポジトリに格納する。
【０３２１】
Ｉ２．更新されたメッセージが、常駐トークンデータ、メッセージメタデータ、及びメッセージ識別子を含む、（Ｉ１）の装置もまた提供される。
【０３２２】
Ｉ３．地理的データ常駐ローカルリポジトリアドレスが、地理的データ格納ポリシーに関連付けられた第２の地理的境界内に物理的に位置する地理的データ常駐ローカルリポジトリに関連付けられた、（Ｉ１）の装置もまた提供される。
【０３２３】
Ｉ４．メッセージに関連付けられた受信者識別子が、作成者識別子に関連付けられたものとは異なる地理的データ格納ポリシーに関連付けられた、（Ｉ１）の装置もまた提供される。
【０３２４】
Ｊ１．更に、グループベースの通信システムにおいて地理的に分散したデータ格納を管理するための更に他の装置が提供され、この装置は、第１の地理的境界によって規定された第１の地理的領域に物理的に位置し、少なくとも１つのプロセッサ及びコンピュータプログラムコードを含む少なくとも１つの非一時的メモリを備えている。前記の少なくとも１つの非一時的メモリ及びコンピュータプログラムコードは、少なくとも１つのプロセッサにより、装置に、以下を行わせるように構成されている：第１の地理的境界によって規定された第１の地理的領域に物理的に位置する装置から、少なくともメッセージデータを含むメッセージを受信する；このメッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する、ここで、第２の地理的領域は、地理的データ格納ポリシーに関連付けられている；地理的データ常駐サーバから、メッセージデータに関連付けられた常駐トークンデータを受信する；メッセージのメッセージデータを、地理的データ常駐サーバから受信した常駐トークンデータで更新する；そして、更新されたメッセージを、第１の地理的境界によって規定された第１の地理的領域に物理的に位置する地理的データ常駐ローカルリポジトリに格納する。
【０３２５】
Ｊ２．更新されたメッセージが、常駐トークンデータ、メッセージメタデータ、及びメッセージ識別子を含む、（Ｊ１）の装置もまた提供される。
【０３２６】
Ｊ３．地理的データ常駐ローカルリポジトリアドレスが、地理的データ格納ポリシーに関連付けられた第２の地理的境界内に物理的に位置する地理的データ常駐ローカルリポジトリに関連付けられた、（Ｊ１）の装置もまた提供される。
【０３２７】
Ｊ４．メッセージが受信者識別子及び作成者識別子に更に関連付けられており、その受信者識別子が、作成者識別子に関連付けられた第２の地理的データ格納ポリシーとは異なる第１の地理的データ格納ポリシーに関連付けられた、（Ｊ１）の装置もまた提供される。
【０３２８】
Ｊ５．以下のような（Ｊ１）の装置もまた提供される。この装置は、更に、第２の地理的領域に物理的に位置する地理的データ常駐サーバがアクセス不可であるかを判定させられ、以下を行う；メッセージのメッセージデータを含む地理的データ常駐メッセージパッケージを、地理的データ格納ポリシーに関連付けさせられバックアップ地理的境界によって規定されたバックアップ地理的領域に物理的に位置する地理的データ常駐サーバに送信する；バックアップ地理的データ常駐サーバから受信したバックアップ常駐トークンデータでメッセージのメッセージデータを更新する；更新されたメッセージデータを、第１の地理的境界によって規定された第１の地理的領域に物理的に位置する地理的データ常駐ローカルリポジトリに格納する。
【０３２９】
Ｊ６．以下のような（Ｊ５）の装置もまた提供される。この装置は、更に、第２の地理的領域に物理的に位置する地理的データ常駐サーバがアクセス可能になったことを判定する；バックアップ地理的領域に物理的に位置するバックアップ地理的データ常駐サーバからの地理的データ常駐メッセージパッケージを識別する；ここで、地理的データ常駐メッセージパッケージを第２の地理的領域に物理的に位置する地理的データ常駐サーバへ送信することは、第２の地理的領域に位置する地理的データ常駐サーバがアクセス可能になったとの判定に応答して行う。
【０３３０】
Ｊ７．地理的データ常駐メッセージパッケージが、メッセージデータのサブセットを含み、このメッセージデータのサブセットは、更新されたメッセージ内の常駐トークンデータで置き換えられる、（Ｊ１）の装置もまた提供される。
【０３３１】
Ｊ８．以下のような（Ｊ１）の装置もまた提供される。少なくとも１つの非一時的メモリ及びコンピュータプログラムコードは、少なくとも１つのプロセッサとともに、装置に、更に、第２のクライアントデバイスから、メッセージ識別子を含むメッセージ取得リクエストを受信させる；ローカルリポジトリから、更新されたメッセージを取得させる；更新されたメッセージが常駐トークンデータを含むと判定すると、地理的データ常駐データ取得リクエストを、この常駐トークンデータに関連付けられた地理的データ常駐サーバに送信させる、ここで、この地理的データ常駐取得リクエストは、常駐トークンデータを含んでいる；地理的データ常駐サーバから、常駐トークンデータに関連付けられた地理的データ常駐ローカルリポジトリアドレスの地理的データ常駐ローカルリポジトリに格納されたメッセージデータを受信させる；そして、このメッセージデータをクライアントデバイスに送信させる。
【０３３２】
Ｊ９．第１の地理的境界が第１の複数の緯度及び経度座標によって規定され、第２の地理的境界が第２の複数の緯度及び経度座標によって規定された、（Ｊ１）の装置もまた提供される。
【０３３３】
Ｊ１０．第１の地理的境界が第１のデータ格納ポリシーに従い、第２の地理的境界が第２のデータ格納ポリシーに従う、（Ｊ１）の装置もまた提供される。
【０３３４】
Ｊ１１．地理的データ常駐サーバが、第３の地理的境界によって規定された第３の地理的領域に物理的に位置する、（Ｊ１）の装置もまた提供される。
【０３３５】
Ｊ１２．メッセージデータが、このメッセージデータの永続性が地理的データ常駐ローカルリポジトリにのみ存在するように、短期メモリに格納される、（Ｊ８）の装置もまた提供される。
【０３３６】
Ｊ１３．地理的データ格納ポリシーが、特定の地理的境界に関連付けられた法的データ格納要件に関連付けられた、（Ｊ１）の装置もまた提供される。
【０３３７】
Ｊ１４．第１の地理的境界、第２の地理的境界、及び特定の地理的境界の各々が、アジア、西ヨーロッパ、又は北米のうちの１つ以上である、（Ｊ１３）の装置もまた提供される。
【０３３８】
Ｊ１５．常駐トークンデータが、メッセージ識別子、格納場所識別子、又はメッセージ暗号化キーのうちの１つ以上を含む、（Ｊ１）の装置もまた提供される。
【０３３９】
Ｊ１６．メッセージ暗号化キーが、組織識別子に関連付けられた第１のメッセージ暗号化キーと、少なくとも１つの組織識別子に関連付けられた第２のメッセージ暗号化キーとを含む、（Ｊ１５）の装置もまた提供される。
【０３４０】
Ｊ１７．メッセージ暗号化キーが、グループベースの通信サーバによって管理された中央管理のメッセージ暗号化キーと組み合わせて復号に使用される、（Ｊ１５）の装置もまた提供される。
【０３４１】
Ｊ１８．常駐トークンデータが、装置によって受信される前に、地理的データ常駐サーバによってグループベースの通信暗号化キー管理サーバに送信される、（Ｊ１）の装置もまた提供される。
【０３４２】
Ｊ１９．メッセージ取得リクエストが、地理的データ常駐サーバが常駐トークンデータを位置特定できない場合に地理的データ常駐サーバに転送される、（Ｊ８）の装置もまた提供される。
【０３４３】
Ｋ１．更に、グループベースの通信システムにおいて地理的に分散したデータ格納を管理するためのコンピュータに実装された方法が提供される。このコンピュータに実装された方法は、メッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する、ここで、第２の地理的領域は、地理的データ格納ポリシーに関連付けられている；地理的データ常駐サーバから受信した常駐トークンデータでメッセージのメッセージデータを更新する；そして、この更新されたメッセージを、第１の地理的境界によって規定された第１の地理的領域に物理的に位置する地理的データ常駐ローカルリポジトリに、格納する。
【０３４４】
Ｋ２．更新されたメッセージが、常駐トークンデータ、メッセージメタデータ、及びメッセージ識別子を含む、（Ｋ１）のコンピュータに実装された方法もまた提供される。
【０３４５】
Ｋ３．地理的データ常駐ローカルリポジトリアドレスが、地理的データ格納ポリシーに関連付けられた第２の地理的境界内に物理的に位置する地理的データ常駐ローカルリポジトリに関連付けられた、（Ｋ１）のコンピュータに実装された方法もまた提供される。
【０３４６】
Ｋ４．メッセージに関連付けられた受信者識別子が、作成者識別子が関連付けられたものとは異なる地理的データ格納ポリシーに関連付けられた、（Ｋ１）のコンピュータに実装された方法もまた提供される。
【０３４７】
Ｌ１．更に、グループベースの通信システムにおいて地理的に分散したデータ格納を管理するための更に他のコンピュータに実装された方法が提供され、このコンピュータに実装された方法は、第１の地理的境界によって規定された第１の地理的領域に物理的に位置する装置から、少なくともメッセージデータを含むメッセージを受信する；このメッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する、ここで、第２の地理的領域は、地理的データ格納ポリシーに関連付けられている；地理的データ常駐サーバから、メッセージデータに関連付けられた常駐トークンデータを受信する；メッセージのメッセージデータを、地理的データ常駐サーバから受信した常駐トークンデータで更新する；そして、更新されたメッセージを、第１の地理的境界によって規定された第１の地理的領域に物理的に位置する地理的データ常駐ローカルリポジトリに格納する。
【０３４８】
Ｌ２．更新されたメッセージが、常駐トークンデータ、メッセージメタデータ、及びメッセージ識別子を含む、（Ｌ１）のコンピュータに実装された方法もまた提供される。
【０３４９】
Ｌ３．地理的データ常駐ローカルリポジトリアドレスが、地理的データ格納ポリシーに関連付けられた第２の地理的境界内に物理的に位置する地理的データ常駐ローカルリポジトリに関連付けられた、（Ｌ１）のコンピュータに実装された方法もまた提供される。
【０３５０】
Ｌ４．メッセージが受信者識別子及び作成者識別子に更に関連付けられており、その受信者識別子が、作成者識別子に関連付けられた第２の地理的データ格納ポリシーとは異なる第１の地理的データ格納ポリシーに関連付けられた、（Ｌ１）のコンピュータに実装された方法もまた提供される。
【０３５１】
Ｌ５．以下のような（Ｌ１）のコンピュータに実装された方法もまた提供される。このコンピュータに実装された方法は、更に、第２の地理的領域に物理的に位置する地理的データ常駐サーバがアクセス不可であると判定し、以下を行う；メッセージのメッセージデータを含む地理的データ常駐メッセージパッケージを、地理的データ格納ポリシーに関連付けられバックアップ地理的境界によって規定されたバックアップ地理的領域に物理的に位置する地理的データ常駐サーバに送信する；バックアップ地理的データ常駐サーバから受信したバックアップ常駐トークンデータでメッセージのメッセージデータを更新する；更新されたメッセージデータを、第１の地理的境界によって規定された第１の地理的領域に物理的に位置する地理的データ常駐ローカルリポジトリに格納する。
【０３５２】
Ｌ６．以下のような（Ｌ５）のコンピュータに実装された方法もまた提供される。このコンピュータに実装された方法は、更に、第２の地理的領域に物理的に位置する地理的データ常駐サーバがアクセス可能になったことを判定する；バックアップ地理的領域に物理的に位置するバックアップ地理的データ常駐サーバからの地理的データ常駐メッセージパッケージを識別する；ここで、地理的データ常駐メッセージパッケージを第２の地理的領域に物理的に位置する地理的データ常駐サーバへ送信することは、第２の地理的領域に位置する地理的データ常駐サーバがアクセス可能になったとの判定に応答して行う。
【０３５３】
Ｌ７．地理的データ常駐メッセージパッケージが、メッセージデータのサブセットを含み、このメッセージデータのサブセットが、更新されたメッセージ内の常駐トークンデータで置き換えられる、（Ｌ１）のコンピュータに実装された方法もまた提供される。
【０３５４】
Ｌ８．以下のような（Ｌ１）のコンピュータに実装された方法もまた提供される。このコンピュータに実装された方法は、第２のクライアントデバイスから、メッセージ識別子を含むメッセージ取得リクエストを受信する；ローカルリポジトリから、更新されたメッセージを取得する；更新されたメッセージが常駐トークンデータを含むと判定すると、地理的データ常駐取得リクエストを、この常駐トークンデータに関連付けられた地理的データ常駐サーバに送信する、ここで、この地理的データ常駐取得リクエストは、常駐トークンデータを含んでいる；地理的データ常駐サーバから、常駐トークンデータに関連付けられた地理的データ常駐ローカルリポジトリアドレスの地理的データ常駐ローカルリポジトリに格納されたメッセージデータを受信する；そして、このメッセージデータをクライアントデバイスに送信する。
【０３５５】
Ｌ９．第１の地理的境界が第１の複数の緯度及び経度座標によって規定され、第２の地理的境界が第２の複数の緯度及び経度座標によって規定された、（Ｌ１）のコンピュータに実装された方法もまた提供される。
【０３５６】
Ｌ１０．第１の地理的境界が第１のデータ格納ポリシーに従い、第２の地理的境界が第２のデータ格納ポリシーに従う、（Ｌ１）のコンピュータに実装された方法もまた提供される。
【０３５７】
Ｌ１１．地理的データ常駐サーバが、第３の地理的境界によって規定された第３の地理的領域に物理的に位置する、（Ｌ１）のコンピュータに実装された方法もまた提供される。
【０３５８】
Ｌ１２．メッセージデータが、このメッセージデータの永続性が地理的データ常駐ローカルリポジトリにのみ存在するように、短期メモリに格納される、（Ｌ１１）のコンピュータに実装された方法もまた提供される。
【０３５９】
Ｌ１３．地理的データ格納ポリシーが、特定の地理的境界に関連付けられた法的データ格納要件に関連付けられた、（Ｌ１）のコンピュータに実装された方法もまた提供される。
【０３６０】
Ｌ１４．第１の地理的境界、第２の地理的境界、及び特定の地理的境界の各々が、アジア、西ヨーロッパ、又は北米のうちの１つ以上である、（Ｌ１３）のコンピュータに実装された方法もまた提供される。
【０３６１】
Ｌ１５．常駐トークンデータが、メッセージ識別子、格納場所識別子、又はメッセージ暗号化キーのうちの１つ以上を含む、（Ｌ１）のコンピュータに実装された方法もまた提供される。
【０３６２】
Ｌ１６．メッセージ暗号化キーが、組織識別子に関連付けられた第１のメッセージ暗号化キーと、少なくとも１つの組織識別子に関連付けられた第２のメッセージ暗号化キーとを含む、（Ｌ１）のコンピュータに実装された方法もまた提供される。
【０３６３】
Ｌ１７．メッセージ暗号化キーが、グループベースの通信サーバによって管理された中央管理のメッセージ暗号化キーと組み合わされて復号に使用される、（Ｌ１６）のコンピュータに実装された方法もまた提供される。
【０３６４】
Ｌ１８．常駐トークンデータが、受信される前に、地理的データ常駐サーバによってグループベースの通信暗号化キー管理サーバに送信される、（Ｌ１）のコンピュータに実装された方法もまた提供される。
【０３６５】
Ｌ１９．メッセージ取得リクエストが、地理的データ常駐サーバが常駐トークンデータを位置特定できない場合に、地理的データ常駐サーバに転送される、（Ｌ８）のコンピュータに実装された方法もまた提供される。
【０３６６】
Ｍ１．更に、グループベースの通信システムにおいて地理的に分散したデータ格納を管理するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は、以下を行うように構成されている：メッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信し、ここで、第２の地理的領域は、地理的データ格納ポリシーに関連付けられている；地理的データ常駐サーバから受信した常駐トークンデータでメッセージのメッセージデータを更新する；そして、この更新されたメッセージを、第１の地理的境界によって規定された第１の地理的領域に物理的に位置する地理的データ常駐ローカルリポジトリに、格納する。
【０３６７】
Ｍ２．更新されたメッセージが、常駐トークンデータ、メッセージメタデータ、及びメッセージ識別子を含む、（Ｍ１）のコンピュータプログラム製品もまた提供される。
【０３６８】
Ｍ３．地理的データ常駐ローカルリポジトリアドレスが、地理的データ格納ポリシーに関連付けられた第２の地理的境界内に物理的に位置する地理的データ常駐ローカルリポジトリに関連付けられた、（Ｍ１）のコンピュータプログラム製品もまた提供される。
【０３６９】
Ｍ４．メッセージに関連付けられた受信者識別子が、作成者識別子が関連付けられたものとは異なる地理的データ格納ポリシーに関連付けられた、（Ｍ１）のコンピュータプログラム製品もまた提供される。
【０３７０】
Ｎ１．更に、グループベースの通信システムにおいて地理的に分散したデータ格納を管理するための更に他のコンピュータプログラム製品が提供され、このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は、以下を行うように構成されている：第１の地理的境界によって規定された第１の地理的領域に物理的に位置する装置から、少なくともメッセージデータを含むメッセージを受信する；このメッセージに関連付けられたエンティティ識別子が地理的データ格納ポリシーに関連付けられていると判定すると、メッセージのメッセージデータを含む地理的データ常駐メッセージパッケージを、第２の地理的境界によって規定された第２の地理的領域に物理的に位置する地理的データ常駐サーバに送信する、ここで、第２の地理的領域は、地理的データ格納ポリシーに関連付けられている；地理的データ常駐サーバから、メッセージデータに関連付けられた常駐トークンデータを受信する；メッセージのメッセージデータを、地理的データ常駐サーバから受信した常駐トークンデータで更新する；そして、更新されたメッセージを、第１の地理的境界によって規定された第１の地理的領域に物理的に位置する地理的データ常駐ローカルリポジトリに格納する。
【０３７１】
Ｎ２．更新されたメッセージが、常駐トークンデータ、メッセージメタデータ、及びメッセージ識別子を含む、（Ｎ１）のコンピュータプログラム製品もまた提供される。
【０３７２】
Ｎ３．地理的データ常駐ローカルリポジトリアドレスが、地理的データ格納ポリシーに関連付けられた第２の地理的境界内に物理的に位置する地理的データ常駐ローカルリポジトリに関連付けられた、（Ｎ１）のコンピュータプログラム製品もまた提供される。
【０３７３】
Ｎ４．メッセージが受信者識別子及び作成者識別子に更に関連付けられており、その受信者識別子が、作成者識別子に関連付けられた第２の地理的データ格納ポリシーとは異なる第１の地理的データ格納ポリシーに関連付けられた、（Ｎ１）のコンピュータプログラム製品もまた提供される。
【０３７４】
Ｎ５．以下のような（Ｎ１）のコンピュータプログラム製品もまた提供される。このコンピュータプログラム製品は、更に、第２の地理的領域に物理的に位置する地理的データ常駐サーバがアクセス不可であると判定し、以下を行う；メッセージのメッセージデータを含む地理的データ常駐メッセージパッケージを、地理的データ格納ポリシーに関連付けられバックアップ地理的境界によって規定されたバックアップ地理的領域に物理的に位置する地理的データ常駐サーバに送信する；バックアップ地理的データ常駐サーバから受信したバックアップ常駐トークンデータでメッセージのメッセージデータを更新する；そして、更新されたメッセージデータを、第１の地理的境界によって規定された第１の地理的領域に物理的に位置する地理的データ常駐ローカルリポジトリに格納する。
【０３７５】
Ｎ６．以下のような（Ｎ５）のコンピュータプログラム製品もまた提供される。このコンピュータプログラム製品は、更に、第２の地理的領域に物理的に位置する地理的データ常駐サーバがアクセス可能になったことを判定する；バックアップ地理的領域に物理的に位置するバックアップ地理的データ常駐サーバからの地理的データ常駐メッセージパッケージを識別する；ここで、地理的データ常駐メッセージパッケージを第２の地理的領域に物理的に位置する地理的データ常駐サーバへ送信することは、第２の地理的領域に位置する地理的データ常駐サーバがアクセス可能になったとの判定に応答して行う。
【０３７６】
Ｎ７．地理的データ常駐メッセージパッケージが、メッセージデータのサブセットを含み、このメッセージデータのサブセットが、更新されたメッセージ内の常駐トークンデータで置き換えられる、（Ｎ１）のコンピュータプログラム製品もまた提供される。
【０３７７】
Ｎ８．以下のような（Ｎ１）のコンピュータプログラム製品もまた提供される。このコンピュータプログラム製品は、第２のクライアントデバイスから、メッセージ識別子を含むメッセージ取得リクエストを受信する；ローカルリポジトリから、更新されたメッセージを取得する；更新されたメッセージが常駐トークンデータを含むと判定すると、地理的データ常駐データ取得リクエストを、この常駐トークンデータに関連付けられた地理的データ常駐サーバに送信する、ここで、この地理的データ常駐取得リクエストは、常駐トークンデータを含んでいる；地理的データ常駐サーバから、常駐トークンデータに関連付けられた地理的データ常駐ローカルリポジトリアドレスの地理的データ常駐ローカルリポジトリに格納されたメッセージデータを受信する；そして、このメッセージデータをクライアントデバイスに送信する。
【０３７８】
Ｎ９．第１の地理的境界が第１の複数の緯度及び経度座標によって規定され、第２の地理的境界が第２の複数の緯度及び経度座標によって規定された、（Ｎ１）のコンピュータプログラム製品もまた提供される。
【０３７９】
Ｎ１０．第１の地理的境界が第１のデータ格納ポリシーに従い、第２の地理的境界が第２のデータ格納ポリシーに従う、（Ｎ１）のコンピュータプログラム製品もまた提供される。
【０３８０】
Ｎ１１．地理的データ常駐サーバが、第３の地理的境界によって規定された第３の地理的領域に物理的に位置する、（Ｎ１）のコンピュータプログラム製品もまた提供される。
【０３８１】
Ｎ１２．メッセージデータが、このメッセージデータの永続性が地理的データ常駐ローカルリポジトリにのみ存在するように、短期メモリに格納される、（Ｎ９）のコンピュータプログラム製品もまた提供される。
【０３８２】
Ｎ１３．地理的データ格納ポリシーが、特定の地理的境界に関連付けられた法的データ格納要件に関連付けられた、（Ｎ１）のコンピュータプログラム製品もまた提供される。
【０３８３】
Ｎ１４．第１の地理的境界、第２の地理的境界、及び特定の地理的境界の各々が、アジア、西ヨーロッパ、又は北米のうちの１つ以上である、（Ｎ１３）のコンピュータプログラム製品もまた提供される。
【０３８４】
Ｎ１５．常駐トークンデータが、メッセージ識別子、格納場所識別子、又はメッセージ暗号化キーのうちの１つ以上を含む、（Ｎ１）のコンピュータプログラム製品もまた提供される。
【０３８５】
Ｎ１６．メッセージ暗号化キーが、組織識別子に関連付けられた第１のメッセージ暗号化キーと、少なくとも１つの組織識別子に関連付けられた第２のメッセージ暗号化キーとを含む、（Ｎ１５）のコンピュータプログラム製品もまた提供される。
【０３８６】
Ｎ１７．メッセージ暗号化キーが、グループベースの通信サーバによって管理された中央管理のメッセージ暗号化キーと組み合わされて復号に使用される、（Ｎ１５）のコンピュータプログラム製品もまた提供される。
【０３８７】
Ｎ１８．常駐トークンデータが、受信される前に、地理的データ常駐サーバによってグループベースの通信暗号化キー管理サーバに送信される、（Ｎ１）のコンピュータプログラム製品もまた提供される。
【０３８８】
Ｎ１９．メッセージ取得リクエストが、地理的データ常駐サーバが常駐トークンデータを位置特定できない場合に、地理的データ常駐サーバに転送される、（Ｎ１８）のコンピュータプログラム製品もまた提供される。
【０３８９】
Ｏ１．更に、グループベースの通信システムにおいて分散した検索インデックスを使用して検索結果データを発生させるコンピュータに実装された方法が提供される。このコンピュータに実装された方法は、以下を含んでいる：リクエスタシステムから、第１の地理的境界によって規定された第１の地理的領域に物理的に位置する装置で、検索エンティティ識別子に関連付けられた検索リクエストを受信する、ここで、検索エンティティ識別子は、第２の地理的境界によって規定された第２の地理的領域に関連付けられている；第２の地理的領域に関連付けられた地理的データ常駐サーバから、検索エンティティ識別子に関する検索インデックスを取得する；検索インデックスに基づき検索結果データを識別する；そして、検索結果データをリクエスタシステムに提供する。
【０３９０】
Ｏ２．以下のような（Ｏ１）のコンピュータに実装された方法もまた提供される。このコンピュータに実装された方法では、検索結果データは少なくともメッセージデータセットを含み、検索インデックスに基づき検索結果データを識別することは、検索リクエスト及び検索インデックスに基づき検索結果データに関連付けられた常駐トークンデータセットを識別すること；第２の地理的領域に関連付けられた地理的データ常駐サーバから、少なくとも常駐トークンデータセットに基づくメッセージデータセットを含む検索結果データを受信すること；及び、リクエスタシステムに、少なくともメッセージデータセットを含む検索結果データを提供することを含んでいる。
【０３９１】
Ｏ３．以下のような（Ｏ２）のコンピュータに実装された方法もまた提供される。このコンピュータに実装された方法では、メッセージデータセットは暗号化されたメッセージデータセットを含み、この方法は更に、常駐トークンデータセットに基づきメッセージ復号キーセットを識別すること；暗号化されていないメッセージデータセットを識別するために、メッセージ復号キーセットに基づき暗号化されたメッセージを復号すること；及び、暗号化されていないメッセージデータセットを検索結果データに含めることを含んでいる。
【０３９２】
Ｏ４．検索エンティティ識別子に基づき取得できるエンティティ検索キーに基づき、第２の地理的境界に関連付けられた地理的データ常駐サーバから検索インデックスを取得することを更に含む、（Ｏ１）のコンピュータに実装された方法もまた提供される。
【０３９３】
Ｐ１．更に、グループベースの通信システムにおける地理的に分散したデータ格納に基づき検索インデックスを生成するための更に他のコンピュータに実装された方法が提供される。このコンピュータに実装された方法は、第１の地理的境界によって規定された第１の地理的領域に物理的に位置する装置によって、第１の地理的境界に関連付けられた地理的データ常駐ローカルリポジトリから、共通のグループベースの通信チャネル識別子に関連付けられた第１のメッセージデータサブセット及びメッセージメタデータセットを取得すること；第２の地理的境界によって規定された第２の地理的領域に位置する地理的データ常駐サーバから、メッセージメタデータセットの少なくとも常駐トークンデータセットに基づく第２のメッセージデータサブセットを受信すること、ここで第２のメッセージデータサブセットは共通のグループベースの通信チャネル識別子に関連付けられている；第１のメッセージデータサブセット、第２のメッセージデータサブセット、及びメッセージメタデータセットに基づき検索インデックスを生成すること；そして、第１の地理的境界に関連付けられた地理的データ常駐ローカルリポジトリに検索インデックスを格納することを含んでいる。
【０３９４】
Ｐ２．以下のような（Ｐ１）のコンピュータに実装された方法もまた提供される。このコンピュータに実装された方法では、第２のメッセージデータサブセットを取得することは、少なくとも常駐トークンデータセットを第２の地理的領域に位置する地理的データ常駐サーバに送信すること、ここで第２の地理的領域における地理的データ常駐サーバは、常駐トークンデータセットに基づき、第２の地理的領域における第２の地理的データ常駐ローカルリポジトリから第２のメッセージデータサブセットを取得する；及び、送信に応答して、第２の地理的領域における地理的データ常駐サーバから第１のメッセージデータサブセットを受信することを含んでいる。
【０３９５】
Ｐ３．共通のグループベースの通信チャネル識別子に関連付けられた第２のエンティティデータオブジェクト識別子についての少なくとも１つのメッセージ復号キーを識別することを更に含む、（Ｐ１）のコンピュータに実装された方法もまた提供される。
【０３９６】
Ｐ４．第２のエンティティデータオブジェクト識別子が、第２の地理的領域に対応するデータ常駐ポリシーデータオブジェクトに関連付けられた、（Ｐ１）のコンピュータに実装された方法もまた提供される。
【０３９７】
Ｐ５．以下のような（Ｐ４）のコンピュータに実装された方法もまた提供される。第２のメッセージデータサブセットを取得することは、第２の地理的領域に位置する地理的データ常駐サーバに常駐トークンデータセットを送信すること、ここで、第２の地理的領域における地理的データ常駐サーバは、常駐トークンデータセットに基づき、第２の地理的領域における第２の地理的データ常駐ローカルリポジトリから第２の暗号化メッセージデータサブセットを取得する；第２の地理的領域における地理的データ常駐サーバから第２の暗号化メッセージデータサブセットを受信すること；及び、少なくとも１つのメッセージ復号キーを利用して、第２の暗号化メッセージデータサブセットを復号することを含んでいる。
【０３９８】
Ｐ６．常駐トークンデータセット又はメッセージメタデータセットの少なくとも一部に基づき、第２の地理的領域に関連付けられた地理的データ常駐サーバを特定することを更に含む、（Ｐ１）のコンピュータに実装された方法もまた提供される。
【０３９９】
Ｐ７．第２の地理的境界に関連付けられた地理的データ常駐サーバに、メッセージメタデータセットを複製させることを更に含む、（Ｐ１）のコンピュータに実装された方法もまた提供される。
【０４００】
Ｑ１．更に、グループベースの通信システムにおいて地理的に分散したデータ格納に基づき検索インデックスを生成するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は、以下のように構成されている：第１の地理的境界により規定された第１の地理的領域に位置する装置において、第２の地理的境界により規定された第２の地理的領域に位置する地理的データ常駐サーバから、少なくとも常駐トークンデータセットを含むメッセージメタデータセットを受信する；第２の地理的境界に関連付けられた地理的データ常駐ローカルリポジトリから、少なくとも常駐トークンデータセットに基づくメッセージデータセットを取得する；メッセージメタデータセット及びメッセージデータセットに基づき検索インデックスを生成する；第２の地理的領域における地理的データ常駐ローカルリポジトリに検索インデックスを格納する。
【０４０１】
Ｑ２．以下のような（Ｑ１）のコンピュータプログラム製品もまた提供される。プロセッサで実行されるコンピュータ実行可能プログラムコード命令は、更に、第２の地理的境界に関連付けられた地理的データ常駐ローカルリポジトリから、少なくとも常駐トークンデータセットに基づき、以下によってメッセージデータセットを取得するように構成されている：常駐トークンデータセットを含む地理的データ常駐データ取得リクエストを生成する；地理的データ常駐データ取得リクエストを、第２の地理的領域に関連付けられた地理的常駐データサーバに送信して、この地理的常駐データサーバに、第２の地理的領域に関連付けられた地理的常駐データローカルリポジトリからメッセージデータを取得させる；そして、第２の地理的領域に関連付けられたこの地理的データ常駐サーバからの応答としてメッセージデータセットを受信する。
【０４０２】
Ｑ３．以下のような（Ｑ１）のコンピュータプログラム製品もまた提供される。プロセッサで実行されるコンピュータ実行可能プログラムコード命令は、更に、第２の地理的境界に関連付けられた地理的データ常駐ローカルリポジトリから、少なくとも常駐トークンデータセットに基づくメッセージデータセットを、以下によって取得するように構成されている：常駐トークンデータセットに関連付けられた少なくとも１つのメッセージ復号キーを識別する；常駐トークンデータセットを含む地理的データ常駐データ取得リクエストを生成する；暗号化されたメッセージデータセットを、第２の地理的領域に関連付けられた地理的データ常駐サーバからの応答として受信する；そして、少なくとも１つのメッセージ復号キーを使用して、暗号化されたメッセージセットを復号して、メッセージデータセットを識別する。
【０４０３】
Ｑ４．プロセッサで実行されるコンピュータ実行可能プログラムコード命令が、更に、常駐トークンデータセット又はメッセージ識別セットの１つ以上に基づきメッセージデータセットを取得するように構成された、（Ｑ１）のコンピュータプログラム製品もまた提供される。
【０４０４】
Ｑ５．地理的データ常駐ローカルリポジトリが、地理的データ常駐ローカルキャッシュを含む、（Ｑ１）のコンピュータプログラム製品もまた提供される。
【０４０５】
Ｒ１．更に、グループベースの通信システムにおいて地理的に分散したデータ格納に基づき検索インデックスを生成するための装置が提供される。この装置は、第１の地理的境界によって規定された第１の地理的領域に物理的に位置し、少なくとも１つのプロセッサ及びコンピュータプログラムコードを含む少なくとも１つの非一時的メモリを備えている。前記の少なくとも１つの非一時的メモリ及びコンピュータプログラムコードは、少なくとも１つのプロセッサにより、装置に、以下を行わせるように構成されている：第２の地理的境界により規定された第２の地理的領域に位置する地理的データ常駐サーバから、少なくとも常駐トークンデータセットを含むメッセージメタデータセットを受信する；第２の地理的境界に関連付けられた地理的データ常駐ローカルリポジトリから、少なくとも常駐トークンデータセットに基づくメッセージデータセットを取得する；メッセージメタデータセット及びメッセージデータセットに基づき検索インデックスを生成する；第２の地理的領域における地理的データ常駐ローカルリポジトリに検索インデックスを格納する。
【０４０６】
Ｒ２．以下のような（Ｒ１）の装置もまた提供される。装置は、更に、第２の地理的境界に関連付けられた地理的データ常駐ローカルリポジトリから、少なくとも常駐トークンデータセットに基づき、以下によってメッセージデータセットを取得するように構成されている：常駐トークンデータセットを含む地理的データ常駐データ取得リクエストを生成する；地理的データ常駐データ取得リクエストを、第２の地理的領域に関連付けられた地理的常駐データサーバに送信して、この地理的常駐データサーバに、第２の地理的領域に関連付けられた地理的常駐データローカルリポジトリからメッセージデータを取得させる；そして、第２の地理的領域に関連付けられたこの地理的データ常駐サーバからの応答としてメッセージデータセットを受信する。
【０４０７】
Ｒ３．以下のような（Ｒ１）の装置もまた提供される。この装置は、更に、第２の地理的境界に関連付けられた地理的データ常駐ローカルリポジトリから、少なくとも常駐トークンデータセットに基づくメッセージデータセットを、以下によって取得するように構成されている：常駐トークンデータセットに関連付けられた少なくとも１つのメッセージ復号キーを識別する；常駐トークンデータセットを含む地理的データ常駐データ取得リクエストを生成する；暗号化されたメッセージデータセットを、第２の地理的領域に関連付けられた地理的データ常駐サーバからの応答として受信する；そして、少なくとも１つのメッセージ復号キーを使用して、暗号化されたメッセージセットを復号して、メッセージデータセットを識別する。
【０４０８】
Ｒ４．更に、常駐トークンデータセット又はメッセージ識別セットの１つ以上に基づきメッセージデータセットを取得するように構成された、（Ｒ１）の装置もまた提供される。
【０４０９】
Ｒ５．地理的データ常駐ローカルリポジトリが、地理的データ常駐ローカルキャッシュを含む、（Ｒ１）の装置もまた提供される。
【０４１０】
Ｓ１．更に、グループベースの通信システムにおける分散した検索インデックスを使用して、検索結果データを生成するためのコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は以下のように構成されている：第１の地理的境界によって規定された第１の地理的領域に位置する装置において、リクエスタシステムから、検索エンティティ識別子に関連付けられた検索リクエストを受信する、ここで、この検索エンティティ識別子は、第２の地理的境界によって規定された第２の地理的領域に関連付けられている；第２の地理的領域に関連付けられた地理的データ常駐サーバから、検索エンティティ識別子についての検索インデックスを取得する；検索インデックスに基づき検索結果データを識別する；そして、検索結果データをリクエスタシステムに提供する。
【０４１１】
Ｓ２．以下のような（Ｓ１）の装置もまた提供される。検索結果データは少なくともメッセージデータセットを含み、検索インデックスに基づき検索結果データを識別するために、プロセッサで実行されるコンピュータ実行可能プログラムコード命令は、更に、以下のように構成されている：検索リクエスト及び検索インデックスに基づき、検索結果データに関連付けられた常駐トークンデータセットを識別する；第２の地理的領域に関連付けられた地理的データ常駐サーバから、少なくとも常駐トークンデータセットに基づくメッセージデータセットを含む検索結果データを受信する；そして、少なくともメッセージデータセットを含む検索結果データをリクエスタシステムに提供する。
【０４１２】
Ｓ３．以下のような（Ｓ２）の装置もまた提供される。この装置では、メッセージデータセットは暗号化されたメッセージデータセットを含み、プロセッサで実行されるコンピュータ実行可能プログラムコード命令は、更に、以下のように構成されている：常駐トークンデータセットに基づきメッセージ復号キーセットを識別する；このメッセージ復号キーセットに基づき暗号化されたメッセージデータセットを復号して、暗号化されていないメッセージデータセットを識別する；そして、この暗号化されていないメッセージデータセットを検索結果データに含める。
【０４１３】
Ｓ４．以下のような（Ｓ１）の装置もまた提供される。この装置では、プロセッサで実行されるコンピュータ実行可能プログラムコード命令は、更に、エンティティ検索キーに基づき第２の地理的境界に関連付けられた地理的データ常駐サーバから検索インデックスを取得するように構成されている。ここで、そのエンティティ検索キーは、検索エンティティ識別子に基づき取得可能である。
【０４１４】
Ｔ１．更に、グループベースの通信システムにおいて分散した検索インデックスを使用して検索結果データを発生させる装置が提供される。この装置は、第１の地理的境界によって規定された第１の地理的領域に物理的に位置し、少なくとも１つのプロセッサ及びコンピュータプログラムコードを含む少なくとも１つの非一時的メモリを備えている。前記の少なくとも１つの非一時的メモリ及びコンピュータプログラムコードは、少なくとも１つのプロセッサにより、装置に、以下を行わせるように構成されている：リクエスタシステムから、検索エンティティ識別子に関連付けられた検索リクエストを受信する、ここで、検索エンティティ識別子は、第２の地理的境界によって規定された第２の地理的領域に関連付けられている；第２の地理的領域に関連付けられた地理的データ常駐サーバから、検索エンティティ識別子に関する検索インデックスを取得する；検索インデックスに基づき検索結果データを識別する；そして、検索結果データをリクエスタシステムに提供する。
【０４１５】
Ｔ２．以下のような（Ｔ１）の装置もまた提供される。この装置では、検索結果データは少なくともメッセージデータセットを含み、検索インデックスに基づき検索結果データを識別するために、装置は、更に、検索リクエスト及び検索インデックスに基づき、検索結果データに関連付けられた常駐トークンデータセットを識別し；第２の地理的領域に関連付けられた地理的データ常駐サーバから、少なくとも常駐トークンデータセットに基づくメッセージデータセットを含む検索結果データを受信し；そして、リクエスタシステムに、少なくともメッセージデータセットを含む検索結果データを提供する。
【０４１６】
Ｔ３．以下のような（Ｔ２）のコンピュータプログラム製品もまた提供される。メッセージデータセットは暗号化されたメッセージデータセットを含み、この装置は更に、常駐トークンデータセットに基づきメッセージ復号キーセットを識別すること；メッセージ復号キーセットに基づき暗号化されたメッセージを復号して、暗号化されていないメッセージデータセットを識別すること；及び、暗号化されていないメッセージデータセットを検索結果データに含めることを含んでいる。
【０４１７】
Ｔ４．検索エンティティ識別子に基づき取得できるエンティティ検索キーに基づき、第２の地理的境界に関連付けられた地理的データ常駐サーバから検索インデックスを取得するように更に構成された、（Ｔ１）の装置もまた提供される。
【０４１８】
Ｕ１．更に、グループベースの通信システムにおける分散した検索インデックスを用いて検索結果データを生成するためのコンピュータに実装された方法が提供される。このコンピュータに実装された方法は、第１の地理的境界によって規定された第１の地理的領域に位置する装置で、リクエスタシステムから、検索エンティティ識別子に関連付けられた検索リクエストを受信すること、ここで、検索エンティティ識別子は、第２の地理的境界によって規定された第２の地理的領域に関連付けられている；第２の地理的領域に関連付けられた地理的データ常駐サーバから、検索エンティティ識別子に関する検索インデックスを取得すること；検索インデックスに基づき検索結果データを識別すること；及び、検索結果データをリクエスタシステムに提供することを含んでいる。
【０４１９】
Ｕ２．以下のような（Ｕ１）のコンピュータに実装された方法もまた提供される。検索結果データは少なくともメッセージデータセットを含み、検索インデックスに基づき検索結果データを識別することは、以下を含む：検索リクエスト及び検索インデックスに基づき、検索結果データに関連付けられた常駐トークンデータセットを識別し；第２の地理的領域に関連付けられた地理的データ常駐サーバから、少なくとも常駐トークンデータセットに基づくメッセージデータセットを含む検索結果データを受信し；そして、リクエスタシステムに、少なくともメッセージデータセットを含む検索結果データを提供する。
【０４２０】
Ｕ３．以下のような（Ｕ２）のコンピュータに実装された方法もまた提供される。メッセージデータセットは暗号化されたメッセージデータセットを含み、このコンピュータに実装された方法は、更に、常駐トークンデータセットに基づきメッセージ復号キーセットを識別すること；メッセージ復号キーセットに基づき暗号化されたメッセージを復号して、暗号化されていないメッセージデータセットを識別すること；及び、暗号化されていないメッセージデータセットを検索結果データに含めることを含んでいる。
【０４２１】
Ｕ４．検索エンティティ識別子に基づき取得できるエンティティ検索キーに基づき、第２の地理的境界に関連付けられた地理的データ常駐サーバから検索インデックスを取得するように更に構成された、（Ｕ１）のコンピュータに実装された方法もまた提供される。
【０４２２】
Ｖ１．更に、グループベースの通信システムにおける地理的に分散したデータ格納に基づき検索インデックスを生成するための更に他のコンピュータプログラム製品が提供される。このコンピュータプログラム製品は、コンピュータ実行可能プログラムコード命令が格納された少なくとも１つの非一時的コンピュータ可読記憶媒体を備え、プロセッサで実行されるこのコンピュータ実行可能プログラムコード命令は以下のように構成されている：第１の地理的境界によって規定された第１の地理的領域に位置する装置によって、第１の地理的境界に関連付けられた地理的データ常駐ローカルリポジトリから、共通のグループベースの通信チャネル識別子に関連付けられた第１のメッセージデータサブセット及びメッセージメタデータセットを取得する；第２の地理的境界によって規定された第２の地理的領域に位置する地理的データ常駐サーバから、メッセージメタデータセットの少なくとも常駐トークンデータセットに基づく第２のメッセージデータサブセットを受信する、ここで第２のメッセージデータサブセットは共通のグループベースの通信チャネル識別子に関連付けられている；第１のメッセージデータサブセット、第２のメッセージデータサブセット、及びメッセージメタデータセットに基づき検索インデックスを生成する；そして、第１の地理的境界に関連付けられた地理的データ常駐ローカルリポジトリに検索インデックスを格納する。
【０４２３】
Ｖ２．以下のような（Ｖ１）のコンピュータプログラム製品もまた提供される。第２のメッセージデータサブセットを取得するために、プロセッサで実行されるコンピュータ実行可能プログラムコード命令は、更に、少なくとも常駐トークンデータセットを第２の地理的領域に位置する地理的データ常駐サーバに送信する、ここで第２の地理的領域における地理的データ常駐サーバは、常駐トークンデータセットに基づき、第２の地理的領域における第２の地理的データ常駐ローカルリポジトリから第２のメッセージデータサブセットを取得する；そして、送信に応答して、第２の地理的領域における地理的データ常駐サーバから第１のメッセージデータサブセットを受信するように構成されている。
【０４２４】
Ｖ３．共通のグループベースの通信チャネル識別子に関連付けられた第２のエンティティデータオブジェクト識別子についての少なくとも１つのメッセージ復号キーを識別するように更に構成された、（Ｖ１）のコンピュータプログラム製品もまた提供される。
【０４２５】
Ｖ４．第２のエンティティデータオブジェクト識別子が、第２の地理的領域に対応するデータ常駐ポリシーデータオブジェクトに関連付けられた、（Ｖ３）のコンピュータプログラム製品もまた提供される。
【０４２６】
Ｖ５．以下のような（Ｖ４）のコンピュータプログラム製品もまた提供される。第２のメッセージデータサブセットを取得するために、プロセッサで実行されるコンピュータ実行可能プログラムコード命令は、更に、以下を行うように構成されている：第２の地理的領域に位置する地理的データ常駐サーバに常駐トークンデータセットを送信する、ここで、第２の地理的領域における地理的データ常駐サーバは、常駐トークンデータセットに基づき、第２の地理的領域における第２の地理的データ常駐ローカルリポジトリから第２の暗号化メッセージデータサブセットを取得する；第２の地理的領域における地理的データ常駐サーバから第２の暗号化メッセージデータサブセットを受信する；そして、少なくとも１つのメッセージ復号キーを利用して、第２の暗号化メッセージデータサブセットを復号する。
【０４２７】
Ｖ６．プロセッサで実行されるコンピュータ実行可能プログラムコード命令は、更に、常駐トークンデータセット又はメッセージメタデータセットの少なくとも一部に基づき、第２の地理的領域に関連付けられた地理的データ常駐サーバを特定するように構成された、（Ｖ１）のコンピュータプログラム製品もまた提供される。
【０４２８】
Ｖ７．プロセッサで実行されるコンピュータ実行可能プログラムコード命令は、更に、第２の地理的境界に関連付けられた地理的データ常駐サーバに、メッセージメタデータセットを複製させることを更に含む、（Ｖ１）のコンピュータプログラム製品もまた提供される。
【０４２９】
Ｗ１．更に、グループベースの通信システムにおいて地理的に分散したデータ格納に基づき検索インデックスを生成するための更に他の装置が提供される。この装置は、第１の地理的境界によって規定された第１の地理的領域に物理的に位置し、少なくとも１つのプロセッサ及びコンピュータプログラムコードを含む少なくとも１つの非一時的メモリを備えている。前記の少なくとも１つの非一時的メモリ及びコンピュータプログラムコードは、少なくとも１つのプロセッサにより、装置に、以下を行わせるように構成されている：第１の地理的境界に関連付けられた地理的データ常駐ローカルリポジトリから、及び第１の地理的境界に関連付けられた地理的データ常駐ローカルリポジトリから、共通のグループベースの通信チャネル識別子に関連付けられた第１のメッセージデータサブセット及びメッセージメタデータセットを取得する；第２の地理的境界によって規定された第２の地理的領域に位置する地理的データ常駐サーバから、メッセージメタデータセットの少なくとも常駐トークンデータセットに基づく第２のメッセージデータサブセットを受信する、ここで第２のメッセージデータサブセットは共通のグループベースの通信チャネル識別子に関連付けられている；第１のメッセージデータサブセット、第２のメッセージデータサブセット、及びメッセージメタデータセットに基づき検索インデックスを生成する；そして、第１の地理的境界に関連付けられた地理的データ常駐ローカルリポジトリに検索インデックスを格納する。
【０４３０】
Ｗ２．以下のような（Ｗ１）の装置もまた提供される。第２のメッセージデータサブセットを取得するために、装置は、少なくとも常駐トークンデータセットを第２の地理的領域に位置する地理的データ常駐サーバに送信する、ここで第２の地理的領域における地理的データ常駐サーバは、常駐トークンデータセットに基づき、第２の地理的領域における第２の地理的データ常駐ローカルリポジトリから第２のメッセージデータサブセットを取得する；そして、送信に応答して、第２の地理的領域における地理的データ常駐サーバから第１のメッセージデータサブセットを受信するように構成されている。
【０４３１】
Ｗ３．共通のグループベースの通信チャネル識別子に関連付けられた第２のエンティティデータオブジェクト識別子についての少なくとも１つのメッセージ復号キーを識別するように更に構成された、（Ｗ１）の装置もまた提供される。
【０４３２】
Ｗ４．第２のエンティティデータオブジェクト識別子が、第２の地理的領域に対応するデータ常駐ポリシーデータオブジェクトに関連付けられた、（Ｗ３）の装置もまた提供される。
【０４３３】
Ｗ５．以下のような（Ｗ４）の装置もまた提供される。第２のメッセージデータサブセットを取得するために、装置は、更に、以下を行うように構成されている：第２の地理的領域に位置する地理的データ常駐サーバに常駐トークンデータセットを送信する、ここで、第２の地理的領域における地理的データ常駐サーバは、常駐トークンデータセットに基づき、第２の地理的領域における第２の地理的データ常駐ローカルリポジトリから第２の暗号化メッセージデータサブセットを取得する；第２の地理的領域における地理的データ常駐サーバから第２の暗号化メッセージデータサブセットを受信する；そして、少なくとも１つのメッセージ復号キーを利用して、第２の暗号化メッセージデータサブセットを復号する。
【０４３４】
Ｗ６．更に、常駐トークンデータセット又はメッセージメタデータセットの少なくとも一部に基づき、第２の地理的領域に関連付けられた地理的データ常駐サーバを特定するように構成された、（Ｗ１）の装置もまた提供される。
【０４３５】
Ｗ７．更に、第２の地理的境界に関連付けられた地理的データ常駐サーバに、メッセージメタデータセットを複製させるように更に構成された、（Ｗ１）の装置もまた提供される。
【０４３６】
Ｘ１．更に、グループベースの通信システムにおける地理的に分散したデータ格納に基づき、検索インデックスを生成するためのコンピュータに実装された方法が提供される。このコンピュータに実装された方法は、第１の地理的境界によって規定された第１の地理的領域に位置する装置で、第１の地理的境界に関連付けられた地理的データ常駐ローカルリポジトリから、共通のグループベースの通信チャネル識別子に関連付けられた第１のメッセージデータサブセット及びメッセージメタデータセットを取得する；第２の地理的境界によって規定された第２の地理的領域に位置する地理的データ常駐サーバから、メッセージメタデータセットの少なくとも常駐トークンデータセットに基づく第２のメッセージデータサブセットを受信する、ここで第２のメッセージデータサブセットは共通のグループベースの通信チャネル識別子に関連付けられている；第１のメッセージデータサブセット、第２のメッセージデータサブセット、及びメッセージメタデータセットに基づき検索インデックスを生成する；そして、第１の地理的境界に関連付けられた地理的データ常駐ローカルリポジトリに検索インデックスを格納する。
【０４３７】
Ｘ２．以下のような（Ｘ１）のコンピュータに実装された方法もまた提供される。第２のメッセージデータサブセットを取得することは、少なくとも常駐トークンデータセットを第２の地理的領域に位置する地理的データ常駐サーバに送信すること、ここで第２の地理的領域における地理的データ常駐サーバは、常駐トークンデータセットに基づき、第２の地理的領域における第２の地理的データ常駐ローカルリポジトリから第２のメッセージデータサブセットを取得する；及び、送信に応答して、第２の地理的領域における地理的データ常駐サーバから第１のメッセージデータサブセットを受信することを含んでいる。
【０４３８】
Ｘ３．共通のグループベースの通信チャネル識別子に関連付けられた第２のエンティティデータオブジェクト識別子についての少なくとも１つのメッセージ復号キーを識別するように更に構成された、（Ｘ１）のコンピュータに実装された方法もまた提供される。
【０４３９】
Ｘ４．第２のエンティティデータオブジェクト識別子が、第２の地理的領域に対応するデータ常駐ポリシーデータオブジェクトに関連付けられた、（Ｘ３）のコンピュータに実装された方法もまた提供される。
【０４４０】
Ｘ５．以下のような（Ｘ４）のコンピュータに実装された方法もまた提供される。第２のメッセージデータサブセットを取得することは、第２の地理的領域に位置する地理的データ常駐サーバに常駐トークンデータセットを送信すること、ここで、第２の地理的領域における地理的データ常駐サーバは、常駐トークンデータセットに基づき、第２の地理的領域における第２の地理的データ常駐ローカルリポジトリから第２の暗号化メッセージデータサブセットを取得する；第２の地理的領域における地理的データ常駐サーバから第２の暗号化メッセージデータサブセットを受信すること；及び、少なくとも１つのメッセージ復号キーを利用して、第２の暗号化メッセージデータサブセットを復号することを含んでいる。
【０４４１】
Ｘ６．更に、常駐トークンデータセット又はメッセージメタデータセットの少なくとも一部に基づき、第２の地理的領域に関連付けられた地理的データ常駐サーバを特定するように構成された、（Ｘ１）のコンピュータに実装された方法もまた提供される。
【０４４２】
Ｘ７．更に、第２の地理的境界に関連付けられた地理的データ常駐サーバに、メッセージメタデータセットを複製させる、（Ｘ１）のコンピュータに実装された方法もまた提供される。
【図１】
2020126600.tif 000003
【図２】
2020126600.tif 000004
【図３】
2020126600.tif 000005
【図４Ａ】
2020126600.tif 000006
【図４Ｂ】
2020126600.tif 000007
【図５Ａ】
2020126600.tif 000008
【図５Ｂ】
2020126600.tif 000009
【図６】
2020126600.tif 000010
【図７】
2020126600.tif 000011
【図８】
2020126600.tif 000012
【図９】
2020126600.tif 000013
【図１０】
2020126600.tif 000014
【図１１】
2020126600.tif 000015
【図１２】
2020126600.tif 000016
【図１３】
2020126600.tif 000017
【図１４】
2020126600.tif 000018
【図１５】
2020126600.tif 000019
【外国語明細書】
2020126600000001.pdf